(57)【要約】  本願は、情報を送信する方法、ネットワーク装置、及び端末装置を提供する。当該方法は、ネットワーク装置により、複数のハイブリッド自動再送要求ＨＡＲＱタイミングから、端末装置の第１サービスに対応する第１ＨＡＲＱタイミングを決定するステップと、前記ネットワーク装置により、前記端末装置へ指示情報を送信するステップであって、前記指示情報は前記第１ＨＡＲＱタイミングを示すために使用される、ステップと、を含む。本願で提供される方法、ネットワーク装置、及び端末装置によると、端末装置が複数のサービスを使用するときに、異なるＨＡＲＱタイミングが異なるサービスのために使用できるように、指示情報が端末装置へ送信され、サービスのＱｏＳを向上する。
2019536346.tif 000002
【特許請求の範囲】
【請求項１】
情報伝送方法であって、前記方法は、
ネットワーク装置により、複数のハイブリッド自動再送要求ＨＡＲＱタイミングから、端末装置の第１サービスに対応する第１ＨＡＲＱタイミングを決定するステップと、
前記ネットワーク装置により、前記端末装置へ指示情報を送信するステップであって、前記指示情報は前記第１ＨＡＲＱタイミングを示すために使用される、ステップと、
を含む方法。
【請求項２】
前記ネットワーク装置により、前記端末装置へ指示情報を送信する前記ステップは、
前記ネットワーク装置により、前記第１サービスに対応する第１ダウンリンク制御情報ＤＣＩを前記端末装置へ送信するステップであって、
前記第１ＤＣＩの種類は前記第１ＨＡＲＱタイミングを示すために使用される、又は、
前記第１ＤＣＩの中の特定情報ビットが、前記第１ＨＡＲＱタイミングを示すために使用される、又は、
前記第１ＤＣＩを伝達する無線インタフェースリソース位置が、前記第１ＨＡＲＱタイミングを示すために使用される、又は、
前記第１ＤＣＩをスクランブリングする第１無線ネットワーク一時識別子ＲＮＴＩが、前記第１ＨＡＲＱタイミングを示すために使用される、ステップを含む、請求項１に記載の方法。
【請求項３】
ネットワーク装置により、複数のハイブリッド自動再送要求ＨＡＲＱタイミングから、端末装置の第１サービスに対応する第１ＨＡＲＱタイミングを決定する前記ステップの前に、前記方法は、
前記ネットワーク装置により、ＨＡＲＱタイミングとリソースとの間のマッピング関係に関する情報を前記端末装置へ送信するステップであって、前記マッピング関係の情報は、前記複数のＨＡＲＱタイミング及び前記複数のＨＡＲＱタイミングの各々に対応するリソースを含む、ステップ、
を更に含む請求項１又は２に記載の方法。
【請求項４】
前記第１ＨＡＲＱタイミングは第１ダウンリンクＨＡＲＱタイミングであり、前記方法は、
前記ネットワーク装置により、前記第１ダウンリンクＨＡＲＱタイミング及び前記マッピング関係の情報に基づき、前記第１ダウンリンクＨＡＲＱタイミングに対応する第１リソースを決定するステップと、
前記ネットワーク装置により、前記第１ダウンリンクＨＡＲＱタイミングに基づき前記第１リソースで、前記端末装置により送信され且つ前記第１サービスに対応する第１ダウンリンクＨＡＲＱフィードバック情報を受信するステップと、
を更に含む請求項３に記載の方法。
【請求項５】
前記第１ＨＡＲＱタイミングは第１アップリンクＨＡＲＱタイミングであり、前記方法は、
前記ネットワーク装置により、前記第１アップリンクＨＡＲＱタイミング及び前記マッピング関係の情報に基づき、前記第１アップリンクＨＡＲＱタイミングに対応する第１リソースを決定するステップと、
前記ネットワーク装置により、前記第１アップリンクＨＡＲＱタイミングに基づき前記第１リソースで、前記端末装置へ前記第１サービスに対応する第１アップリンクＨＡＲＱフィードバック情報を送信するステップと、
を更に含む請求項３に記載の方法。
【請求項６】
前記第１リソースは、リソースブロックＲＢ位置、ＲＢの数、コードワード情報、及びシーケンス番号のうちの少なくとも１つを含む、請求項４又は５に記載の方法。
【請求項７】
前記マッピング関係の情報は、以下の対応：
複数のダウンリンクＨＡＲＱタイミング、及び前記複数のダウンリンクＨＡＲＱタイミングの各々に対応する物理アップリンク制御チャネルＰＵＣＣＨリソース、
複数のダウンリンクＨＡＲＱタイミング、及び前記複数のダウンリンクＨＡＲＱタイミングの各々に対応する物理アップリンク共有チャネルＰＵＳＣＨリソース、及び、
複数のアップリンクＨＡＲＱタイミング、及び前記複数のアップリンクＨＡＲＱタイミングの各々に対応する物理ハイブリッド自動再送要求指示チャネルＰＨＩＣＨリソース、
のうちの少なくとも１つを含む、請求項３乃至６のいずれか一項に記載の方法。
【請求項８】
情報伝送方法であって、前記方法は、
端末装置により、ネットワーク装置により送信された指示情報を受信するステップであって、前記指示情報は、複数のハイブリッド自動再送要求ＨＡＲＱタイミングの中で、前記端末装置の第１サービスに対応する第１ＨＡＲＱタイミングを示すために使用される、ステップと、
前記端末装置により、前記第１ＨＡＲＱタイミングに基づき、前記第１サービスに対応するＨＡＲＱフィードバック情報を受信又は送信するステップと、
を含む方法。
【請求項９】
端末装置により、ネットワーク装置により送信された指示情報を受信する前記ステップは、
前記端末装置により、前記ネットワーク装置により送信され且つ前記第１サービスに対応する第１ダウンリンク制御情報ＤＣＩを受信するステップであって、
前記第１ＤＣＩの種類は前記第１ＨＡＲＱタイミングを示すために使用される、又は、
前記第１ＤＣＩの中の特定情報ビットが、前記第１ＨＡＲＱタイミングを示すために使用される、又は、
前記第１ＤＣＩを伝達する無線インタフェースリソース位置が、前記第１ＨＡＲＱタイミングを示すために使用される、又は、
前記第１ＤＣＩをスクランブリングする第１無線ネットワーク一時識別子ＲＮＴＩが、前記第１ＨＡＲＱタイミングを示すために使用される、ステップを含む、請求項８に記載の方法。
【請求項１０】
端末装置により、ネットワーク装置により送信された指示情報を受信する前記ステップの前に、前記方法は、
前記端末装置により、ＨＡＲＱタイミングとリソースとの間のマッピング関係に関し且つ前記ネットワーク装置により送信された情報を受信するステップであって、前記マッピング関係の情報は、複数のＨＡＲＱタイミング及び前記複数のＨＡＲＱタイミングの各々に対応するリソースを含む、ステップ、を更に含む請求項８又は９に記載の方法。
【請求項１１】
前記マッピング関係の情報は、以下の対応：
複数のダウンリンクＨＡＲＱタイミング、及び前記複数のダウンリンクＨＡＲＱタイミングの各々に対応する物理アップリンク制御チャネルＰＵＣＣＨリソース、
複数のダウンリンクＨＡＲＱタイミング、及び前記複数のダウンリンクＨＡＲＱタイミングの各々に対応する物理アップリンク共有チャネルＰＵＳＣＨリソース、及び、
複数のアップリンクＨＡＲＱタイミング、及び前記複数のアップリンクＨＡＲＱタイミングの各々に対応する物理ハイブリッド自動再送要求指示チャネルＰＨＩＣＨリソース、
を含む、請求項１０に記載の方法。
【請求項１２】
情報伝送方法であって、前記方法は、
端末装置により、複数のアップリンク許可ＵＬ＿ｇｒａｎｔタイミングから、前記端末装置の第１アップリンクサービスに対応する第１ＵＬ＿ｇｒａｎｔタイミングを決定するステップと、
前記端末装置により、ネットワーク装置へ第１指示情報を送信するステップであって、前記第１指示情報は前記第１ＵＬ＿ｇｒａｎｔタイミングを示すために使用される、ステップと、
を含む方法。
【請求項１３】
前記端末装置により、ネットワーク装置へ第１指示情報を送信する前記ステップは、
前記端末装置により、前記第１アップリンクサービスに対応する第１アップリンクスケジューリング要求ＳＲ及び／又は前記第１アップリンクサービスに対応する第１バッファ状態情報ＢＳＲを、前記ネットワーク装置へ送信するステップであって、
前記第１ＳＲの種類及び／又は前記第１ＢＳＲの種類は、前記第１ＵＬ＿ｇｒａｎｔタイミングを示すために使用される、又は、
前記第１ＳＲ及び／又は前記第１ＢＳＲを伝達する無線インタフェースリソース位置は、前記第１ＵＬ＿ｇｒａｎｔタイミングを示すために使用される、ステップを含む、請求項１２に記載の方法。
【請求項１４】
前記方法は、
前記端末装置により、前記ネットワーク装置により送信された第２指示情報を受信するステップであって、前記第２指示情報は、複数の伝送タイミングの中で前記第１アップリンクサービスに対応する第１伝送タイミングを示すために使用される、ステップと、
前記端末装置により、前記第１伝送タイミングに基づき、前記第１アップリンクサービスを前記ネットワーク装置へ送信するステップと、
を更に含む請求項１２又は１３に記載の方法。
【請求項１５】
前記端末装置により、前記ネットワーク装置により送信された第２指示情報を受信する前記ステップは、
前記端末装置により、前記ネットワーク装置により送信された第１ダウンリンク制御情報ＤＣＩを受信するステップであって、
前記第１ＤＣＩは第１ＵＬ＿ｇｒａｎｔ情報を含み、前記第１ＤＣＩのフォーマット情報は前記第１伝送タイミングを示すために使用される、又は、
前記第１ＤＣＩの中の特定情報ビットが、前記第１伝送タイミングを示すために使用される、又は、
前記第１ＤＣＩを伝達する無線インタフェースリソース位置が、前記第１伝送タイミングを示すために使用される、又は、
前記第１ＤＣＩをスクランブリングする第１無線ネットワーク一時識別子ＲＮＴＩが、前記第１伝送タイミングを示すために使用される、ステップを含む、請求項１４に記載の方法。
【請求項１６】
情報伝送方法で、前記方法は、
ネットワーク装置により、端末装置により送信された第１指示情報を受信するステップであって、前記第１指示情報は、複数のアップリンク許可ＵＬ＿ｇｒａｎｔタイミングの中で、前記端末装置の第１アップリンクサービスに対応する第１ＵＬ＿ｇｒａｎｔタイミングを示すために使用される、ステップと、
前記ネットワーク装置により、前記第１ＵＬ＿ｇｒａｎｔタイミングに基づき、前記第１アップリンクサービスに対応する第１ＵＬ＿ｇｒａｎｔ情報を送信するステップと、
を含む方法。
【請求項１７】
ネットワーク装置により、端末装置により送信された第１指示情報を受信する前記ステップは、
前記ネットワーク装置により、前記第１アップリンクサービスに対応する第１アップリンクスケジューリング要求ＳＲ及び／又は前記第１アップリンクサービスに対応する第１バッファ状態情報ＢＳＲを受信するステップであって、前記第１ＳＲ及び前記第１ＢＳＲは前記端末装置により送信され、
前記第１ＳＲの種類及び前記第１ＢＳＲの種類は前記第１ＵＬ＿ｇｒａｎｔタイミングを示すために使用される、又は、
前記第１ＳＲ及び前記第１ＢＳＲを伝達する無線インタフェースリソース位置は、前記第１ＵＬ＿ｇｒａｎｔタイミングを示すために使用される、ステップを含む、請求項１６に記載の方法。
【請求項１８】
前記方法は、
前記ネットワーク装置により、複数の伝送タイミングから前記第１アップリンクサービスに対応する第１伝送タイミングを決定するステップと、
前記ネットワーク装置により、前記端末装置へ第２指示情報を送信するステップであって、前記第２指示情報は前記第１伝送タイミングを示すために使用される、ステップと、
を更に含む請求項１６又は１７に記載の方法。
【請求項１９】
前記ネットワーク装置により、前記端末装置へ第２指示情報を送信する前記ステップは、
前記ネットワーク装置により、前記端末装置へ第１ダウンリンク制御情報ＤＣＩを送信するステップであって、
前記第１ＤＣＩは第１ＵＬ＿ｇｒａｎｔ情報を含み、前記第１ＤＣＩのフォーマット情報は前記第１伝送タイミングを示すために使用される、又は、
前記第１ＤＣＩの中の特定情報ビットが、前記第１伝送タイミングを示すために使用される、又は、
前記第１ＤＣＩを伝達する無線インタフェースリソース位置が、前記第１伝送タイミングを示すために使用される、又は、
前記第１ＤＣＩをスクランブリングする第１無線ネットワーク一時識別子ＲＮＴＩが、前記第１伝送タイミングを示すために使用される、ステップを含む、請求項１８に記載の方法。
【請求項２０】
情報を伝送するネットワーク装置であって、前記ネットワーク装置は、
複数のハイブリッド自動再送要求ＨＡＲＱタイミングから、端末装置の第１サービスに対応する第１ＨＡＲＱタイミングを決定するよう構成される決定ユニットと、
前記端末装置へ指示情報を送信するよう構成される送信ユニットであって、前記指示情報は前記第１ＨＡＲＱタイミングを示すために使用される、送信ユニットと、
を含むネットワーク装置。
【請求項２１】
前記送信ユニットは、具体的に、
前記第１サービスに対応する第１ダウンリンク制御情報ＤＣＩを前記端末装置へ送信するよう構成され、
前記第１ＤＣＩの種類は前記第１ＨＡＲＱタイミングを示すために使用される、又は、
前記第１ＤＣＩの中の特定情報ビットが、前記第１ＨＡＲＱタイミングを示すために使用される、又は、
前記第１ＤＣＩを伝達する無線インタフェースリソース位置が、前記第１ＨＡＲＱタイミングを示すために使用される、又は、
前記第１ＤＣＩをスクランブリングする第１無線ネットワーク一時識別子ＲＮＴＩが、前記第１ＨＡＲＱタイミングを示すために使用される、請求項２０に記載のネットワーク装置。
【請求項２２】
前記複数のハイブリッド自動再送要求ＨＡＲＱタイミングから、前記端末装置の前記第１サービスに対応する前記第１ＨＡＲＱタイミングを決定する前に、前記決定ユニットは、
ＨＡＲＱタイミングとリソースとの間のマッピング関係に関する情報を前記端末装置へ送信するよう更に構成され、前記マッピング関係の情報は、前記複数のＨＡＲＱタイミング及び前記複数のＨＡＲＱタイミングの各々に対応するリソースを含む、請求項２０又は２１に記載のネットワーク装置。
【請求項２３】
前記マッピング関係の情報は、以下の対応：
複数のダウンリンクＨＡＲＱタイミング、及び前記複数のダウンリンクＨＡＲＱタイミングの各々に対応する物理アップリンク制御チャネルＰＵＣＣＨリソース、
複数のダウンリンクＨＡＲＱタイミング、及び前記複数のダウンリンクＨＡＲＱタイミングの各々に対応する物理アップリンク共有チャネルＰＵＳＣＨリソース、及び、
複数のアップリンクＨＡＲＱタイミング、及び前記複数のアップリンクＨＡＲＱタイミングの各々に対応する物理ハイブリッド自動再送要求指示チャネルＰＨＩＣＨリソース、
を含む、請求項２０乃至２２のいずれか一項に記載のネットワーク装置。
【請求項２４】
情報を伝送するネットワーク装置であって、前記端末装置は、
ネットワーク装置により送信された指示情報を受信するよう構成される受信ユニットであって、前記指示情報は、複数のハイブリッド自動再送要求ＨＡＲＱタイミングの中で、前記端末装置の第１サービスに対応する第１ＨＡＲＱタイミングを示すために使用される、受信ユニットと、
前記第１ＨＡＲＱタイミングに基づき、前記第１サービスに対応するＨＡＲＱフィードバック情報を受信し又は送信するよう構成される伝送ユニットと、
を含む端末装置。
【請求項２５】
前記受信ユニットは、具体的に、
前記ネットワーク装置により送信され且つ前記第１サービスに対応する第１ダウンリンク制御情報ＤＣＩを受信するよう構成され、
前記第１ＤＣＩの種類は前記第１ＨＡＲＱタイミングを示すために使用される、又は、
前記第１ＤＣＩの中の特定情報ビットが、前記第１ＨＡＲＱタイミングを示すために使用される、又は、
前記第１ＤＣＩを伝達する無線インタフェースリソース位置が、前記第１ＨＡＲＱタイミングを示すために使用される、又は、
前記第１ＤＣＩをスクランブリングする第１無線ネットワーク一時識別子ＲＮＴＩが、前記第１ＨＡＲＱタイミングを示すために使用される、請求項２４に記載の端末装置。
【請求項２６】
前記ネットワーク装置により送信された前記指示情報を受信する前に、前記受信ユニットは、
ＨＡＲＱタイミングとリソースとの間のマッピング関係に関し且つ前記ネットワーク装置により送信された情報を受信するよう更に構成され、前記マッピング関係の情報は、複数のＨＡＲＱタイミング及び前記複数のＨＡＲＱタイミングの各々に対応するリソースを含む、請求項２４又は２５に記載の端末装置。
【請求項２７】
前記マッピング関係の情報は、以下の対応：
複数のダウンリンクＨＡＲＱタイミング、及び前記複数のダウンリンクＨＡＲＱタイミングの各々に対応する物理アップリンク制御チャネルＰＵＣＣＨリソース、
複数のダウンリンクＨＡＲＱタイミング、及び前記複数のダウンリンクＨＡＲＱタイミングの各々に対応する物理アップリンク共有チャネルＰＵＳＣＨリソース、及び、
複数のアップリンクＨＡＲＱタイミング、及び前記複数のアップリンクＨＡＲＱタイミングの各々に対応する物理ハイブリッド自動再送要求指示チャネルＰＨＩＣＨリソース、
を含む、請求項２６に記載の端末装置。
【請求項２８】
情報を伝送するネットワーク装置であって、前記端末装置は、
複数のアップリンク許可ＵＬ＿ｇｒａｎｔタイミングから、前記端末装置の第１アップリンクサービスに対応する第１ＵＬ＿ｇｒａｎｔタイミングを決定するよう構成される決定ユニットと、
ネットワーク装置へ第１指示情報を送信するよう構成される送信ユニットであって、前記第１指示情報は前記第１ＵＬ＿ｇｒａｎｔタイミングを示すために使用される、送信ユニットと、
を含む端末装置。
【請求項２９】
前記送信ユニットは、具体的に、
前記第１アップリンクサービスに対応する第１アップリンクスケジューリング要求ＳＲ及び／又は前記第１アップリンクサービスに対応する第１バッファ状態情報ＢＳＲを前記ネットワーク装置へ送信するよう構成され、
前記第１ＳＲの種類及び／又は前記第１ＢＳＲの種類は、前記第１ＵＬ＿ｇｒａｎｔタイミングを示すために使用される、又は、
前記第１ＳＲ及び／又は前記第１ＢＳＲを伝達する無線インタフェースリソース位置は、前記第１ＵＬ＿ｇｒａｎｔタイミングを示すために使用される、
請求項２８に記載の端末装置。
【請求項３０】
前記端末装置は、
前記ネットワーク装置により送信された第２指示情報を受信するよう構成される受信ユニットであって、前記第２指示情報は、複数の伝送タイミングの中で前記第１アップリンクサービスに対応する第１伝送タイミングを示すために使用される、受信ユニット、を更に含み、
前記送信ユニットは、前記第１伝送タイミングに基づき、前記第１アップリンクサービスを前記ネットワーク装置へ送信するよう更に構成される、請求項２８又は２９に記載の端末装置。
【請求項３１】
前記受信ユニットは、具体的に、
前記ネットワーク装置により送信された第１ダウンリンク制御情報ＤＣＩを受信するよう構成され、前記第１ＤＣＩは第１ＵＬ＿ｇｒａｎｔ情報を含み、
前記第１ＤＣＩのフォーマット情報は前記第１伝送タイミングを示すために使用される、又は、
前記第１ＤＣＩの中の特定情報ビットが、前記第１伝送タイミングを示すために使用される、又は、
前記第１ＤＣＩを伝達する無線インタフェースリソース位置が、前記第１伝送タイミングを示すために使用される、又は、
前記第１ＤＣＩをスクランブリングする第１無線ネットワーク一時識別子ＲＮＴＩが、前記第１伝送タイミングを示すために使用される、
請求項３０に記載の端末装置。
【請求項３２】
情報を伝送するネットワーク装置であって、前記ネットワーク装置は、
端末装置により送信された第１指示情報を受信するよう構成される受信ユニットであって、前記第１指示情報は、複数のアップリンク許可ＵＬ＿ｇｒａｎｔタイミングの中で、前記端末装置の第１アップリンクサービスに対応する第１ＵＬ＿ｇｒａｎｔタイミングを示すために使用される、受信ユニットと、
前記第１ＵＬ＿ｇｒａｎｔタイミングに基づき、前記第１アップリンクサービスに対応する第１ＵＬ＿ｇｒａｎｔ情報を送信するよう構成される送信ユニットと、
を含むネットワーク装置。
【請求項３３】
前記受信ユニットは、具体的に、
前記第１アップリンクサービスに対応する第１アップリンクスケジューリング要求ＳＲ及び／又は前記第１アップリンクサービスに対応する第１バッファ状態情報ＢＳＲを受信するよう構成され、前記第１ＳＲ及び前記第１ＢＳＲは前記端末装置により送信され、
前記第１ＳＲの種類及び前記第１ＢＳＲの種類は前記第１ＵＬ＿ｇｒａｎｔタイミングを示すために使用される、又は、
前記第１ＳＲ及び前記第１ＢＳＲを伝達する無線インタフェースリソース位置は、前記第１ＵＬ＿ｇｒａｎｔタイミングを示すために使用される、
請求項３２に記載のネットワーク装置。
【請求項３４】
前記ネットワーク装置は、
複数の伝送タイミングから前記第１アップリンクサービスに対応する第１伝送タイミングを決定するよう構成される決定ユニット、を更に含み、
前記送信ユニットは、第２指示情報を前記端末装置へ送信するよう更に構成され、前記第２指示情報は前記第１伝送タイミングを示すために使用される、請求項３２又は３３に記載のネットワーク装置。
【請求項３５】
前記送信ユニットは、具体的に、
前記端末装置へ第１ダウンリンク制御情報ＤＣＩを送信するよう構成され、前記第１ＤＣＩは第１ＵＬ＿ｇｒａｎｔ情報を含み、
前記第１ＤＣＩのフォーマット情報は前記第１伝送タイミングを示すために使用される、又は、
前記第１ＤＣＩの中の特定情報ビットが、前記第１伝送タイミングを示すために使用される、又は、
前記第１ＤＣＩを伝達する無線インタフェースリソース位置が、前記第１伝送タイミングを示すために使用される、又は、
前記第１ＤＣＩをスクランブリングする第１無線ネットワーク一時識別子ＲＮＴＩが、前記第１伝送タイミングを示すために使用される、
請求項３４に記載のネットワーク装置。
【発明の詳細な説明】
【技術分野】
【０００１】
本発明の実施形態は、通信分野に関し、より具体的に情報を伝送する方法及び機器に関する。
【背景技術】
【０００２】
ハイブリッド自動再送要求（Hybrid  Automatic  Repeat  Request、略称：ＨＡＲＱ）は、前方誤り訂正（Forward  Error  Correction、略称：ＦＥＣ）符号化が自動再送要求（Automatic  Repeat  Request、略称：ＨＡＲＱ）方法と結合される技術である。ＦＥＣは、伝送処理においてデータ誤りを訂正するために使用され得る。具体的に言うと、誤りがＦＥＣの誤り訂正範囲内に含まれるとき、ＦＥＣは誤り訂正を実行するために使用される。誤りがＦＥＣの誤り訂正範囲を超えている場合には、最小が要求される必要がある。
【０００３】
３Ｇ／４Ｇ通信システムでは、ＨＡＲＱ技術は、無線インタフェースアップリンク及びダウンリンク送信のために使用される。図１は、アップリンク及びダウンリンクデータ伝送におけるＨＡＲＱフィードバックを概略的に示す。図１に示すように、送信端は時点ｔ０でデータを送信し、受信端は受信データを検出する。受信端は、肯定応答（Acknowledgment、略称：ＡＣＫ）／否定応答（Negative  Acknowledgment、略称：ＮＡＣＫ）を、時点ｔ１で送信端にフィードバックし、送信端はフィードバック情報を受信する。送信端がＮＡＣＫ情報を受信した場合、送信端は時点ｔ２でデータパケットを再送する。時点ｔ０及び時点ｔ１の間のタイミング（timing）関係は、ＨＡＲＱタイミングとして参照される。
【０００４】
国際電気通信連合（International  Telecommunication  Union、略称：ＩＴＵ）は、５Ｇを見越して３種類のサービスを及びその要件：拡張モバイルブロードバンド（Enhanced  Mobile  Broadband、略称ｅＭＢＢ）サービス、超高信頼且つ低遅延機械型通信（Ultra-reliable  and  low  latency  Machine  Type  Communication、略称：ｕＭＴＣ）サービス、及び大容量機械型通信（Massive  Machine  Type  Communication、略称：ｍＭＴＣ）サービスを定めている。各サービスのＱｏＳ要件は異なるので、各サービスは異なるＨＡＲＱタイミングを要求する。
【０００５】
しかしながら、既存のＨＡＲＱソリューションでは、端末装置が複数の異なるサービスを有するとき、同じＨＡＲＱタイミングのみが使用でき、したがって、サービスのサービス品質（Quality  of  Service、略称：ＱｏＳ）要件を満たすことができない。
【発明の概要】
【０００６】
本発明の実施形態は、サービスのＱｏＳを向上するために、情報を伝送する方法、ネットワーク装置、及び端末装置を提供する。
【０００７】
第１の態様によると、情報伝送方法が提供される。当該方法は、ネットワーク装置により、複数のハイブリッド自動再送要求ＨＡＲＱタイミングから、端末装置の第１サービスに対応する第１ＨＡＲＱタイミングを決定するステップと、前記ネットワーク装置により、前記端末装置へ指示情報を送信するステップであって、前記指示情報は前記第１ＨＡＲＱタイミングを示すために使用される、ステップと、を含む。
【０００８】
本発明の本実施形態では、ネットワーク装置は、指示情報を用いて、端末装置に、第１サービスに対応する第１ＨＡＲＱタイミングを通知でき、ネットワーク装置が複数のサービスを使用するときに、異なるＨＡＲＱタイミングが異なるサービスのために使用できるようにし、サービスのＱｏＳを向上する。
【０００９】
可能な設計では、前記ネットワーク装置により、前記端末装置へ指示情報を送信する前記ステップは、前記ネットワーク装置により、前記第１サービスに対応する第１ダウンリンク制御情報ＤＣＩを前記端末装置へ送信するステップであって、前記第１ＤＣＩの種類は前記第１ＨＡＲＱタイミングを示すために使用される、又は、前記第１ＤＣＩの中の特定情報ビットが、前記第１ＨＡＲＱタイミングを示すために使用される、又は、前記第１ＤＣＩを伝達する無線インタフェースリソース位置が、前記第１ＨＡＲＱタイミングを示すために使用される、又は、前記第１ＤＣＩをスクランブリングする第１無線ネットワーク一時識別子ＲＮＴＩが、前記第１ＨＡＲＱタイミングを示すために使用される、ステップを含む。
【００１０】
可能な設計では、ネットワーク装置により、複数のハイブリッド自動再送要求ＨＡＲＱタイミングから、端末装置の第１サービスに対応する第１ＨＡＲＱタイミングを決定する前記ステップの前に、前記方法は、前記ネットワーク装置により、ＨＡＲＱタイミングとリソースとの間のマッピング関係に関する情報を前記端末装置へ送信するステップであって、前記マッピング関係の情報は、前記複数のＨＡＲＱタイミング及び前記複数のＨＡＲＱタイミングの各々に対応するリソースを含む、ステップ、を更に含む。
【００１１】
可能な設計では、前記第１ＨＡＲＱタイミングは第１ダウンリンクＨＡＲＱタイミングであり、前記方法は、前記ネットワーク装置により、前記第１ダウンリンクＨＡＲＱタイミング及び前記マッピング関係の情報に基づき、前記第１ダウンリンクＨＡＲＱタイミングに対応する第１リソースを決定するステップと、前記ネットワーク装置により、前記第１ダウンリンクＨＡＲＱタイミングに基づく前記第１リソースで、前記端末装置により送信され且つ前記第１サービスに対応する第１ダウンリンクＨＡＲＱフィードバック情報を受信するステップと、を更に含む。
【００１２】
本発明の本実施形態では、ネットワーク装置は、第１ダウンリンクＨＡＲＱフィードバック情報を第１ダウンリンクＨＡＲＱタイミングに対応する第１リソースで受信して、各ダウンリンクＨＡＲＱフィードバック情報片に対応するダウンリンクＨＡＲＱタイミングを区別し、それによりサービスのＱｏＳを向上する。
【００１３】
可能な設計では、前記第１ＨＡＲＱタイミングは第１アップリンクＨＡＲＱタイミングであり、前記方法は、前記ネットワーク装置により、前記第１アップリンクＨＡＲＱタイミング及び前記マッピング関係の情報に基づき、前記第１アップリンクＨＡＲＱタイミングに対応する第１リソースを決定するステップと、前記ネットワーク装置により、前記第１アップリンクＨＡＲＱタイミングに基づく前記第１リソースで、前記端末装置へ前記第１サービスに対応する第１アップリンクＨＡＲＱフィードバック情報を送信するステップと、を更に含む。
【００１４】
可能な設計では、第１リソースは、リソースブロックＲＢ位置、ＲＢの数、コードワード情報、及びシーケンス番号のうちの少なくとも１つを含む。
【００１５】
可能な設計では、マッピング関係情報は、以下の対応を含む：複数のダウンリンクＨＡＲＱタイミング及び複数のダウンリンクＨＡＲＱタイミングの各々に対応する物理アップリンク制御チャネルＰＵＣＣＨリソース、複数のダウンリンクＨＡＲＱタイミング及び前記複数のダウンリンクＨＡＲＱタイミングの各々に対応する物理アップリンク共有チャネルＰＵＳＣＨリソース、並びに、複数のアップリンクＨＡＲＱタイミング及び前記複数のアップリンクＨＡＲＱタイミングの各々に対応する物理ハイブリッド自動再送要求指示チャネルＰＨＩＣＨリソース。
【００１６】
幾つかの可能な設計では、前記ネットワーク装置により、ＨＡＲＱタイミングとリソースとの間のマッピング関係に関する情報を前記端末装置へ送信する前記ステップは、前記ネットワーク装置により、Ｌ３シグナリングを前記端末装置へ送信するステップであって、前記Ｌ３シグナリングは前記マッピング関係情報を伝達する、ステップを含む。
【００１７】
第２の態様によると、ネットワーク装置が提供され、前記ネットワーク装置は、前述のネットワーク装置に基づく情報伝送方法を実行するモジュールを含む。同じ新規な概念に基づき、ネットワーク装置の問題解決原理は、前述の態様における方法の設計のソリューションに対応する。さらに、ネットワーク装置の実装については、方法の実装を参照する。説明は繰り返し提供されない。
【００１８】
第３の態様によると、ネットワーク装置が提供され、前記ネットワーク装置は、トランシーバ、メモリ、及びプロセッサを含む。前記トランシーバ、前記メモリ、及び前記プロセッサは、システムバスを用いて接続され、前記メモリは命令を格納するよう構成され、前記プロセッサは前記メモリに格納された前記命令を実行するよう構成され、前記プログラムが実行されると、前記プロセッサは、前述のネットワーク装置に基づく情報伝送方法を実行するよう構成される。
【００１９】
第４の態様によると、情報伝送方法が提供される。前記方法は、端末装置により、ネットワーク装置により送信された指示情報を受信するステップであって、前記指示情報は、複数のハイブリッド自動再送要求ＨＡＲＱタイミングの中で、前記端末装置の第１サービスに対応する第１ＨＡＲＱタイミングを示すために使用される、ステップと、前記端末装置により、前記第１ＨＡＲＱタイミングに基づき、前記第１サービスに対応するＨＡＲＱフィードバック情報を受信し及び送信するステップと、を含む。
【００２０】
本発明の本実施形態では、前記端末装置は、前記ネットワーク装置により送信された指示情報を用いて、第１サービスに対応する第１ＨＡＲＱタイミングを決定でき、前記端末装置が複数のサービスを使用するときに、異なるＨＡＲＱタイミングが異なるサービスのために使用できるようにし、サービスのＱｏＳを向上する。
【００２１】
可能な設計では、端末装置により、ネットワーク装置により送信された指示情報を受信する前記ステップは、前記端末装置により、前記ネットワーク装置により送信され且つ前記第１サービスに対応する第１ダウンリンク制御情報ＤＣＩを受信するステップであって、前記第１ＤＣＩの種類は前記第１ＨＡＲＱタイミングを示すために使用される、又は、前記第１ＤＣＩの中の特定情報ビットが、前記第１ＨＡＲＱタイミングを示すために使用される、又は、前記第１ＤＣＩを伝達する無線インタフェースリソース位置が、前記第１ＨＡＲＱタイミングを示すために使用される、又は、前記第１ＤＣＩをスクランブリングする第１無線ネットワーク一時識別子ＲＮＴＩが、前記第１ＨＡＲＱタイミングを示すために使用される、ステップを含む。
【００２２】
可能な設計では、端末装置により、ネットワーク装置により送信された指示情報を受信する前記ステップの前に、前記方法は、前記端末装置により、ＨＡＲＱタイミングとリソースとの間のマッピング関係に関し且つ前記ネットワーク装置により送信された情報を受信するステップであって、前記マッピング関係の情報は、複数のＨＡＲＱタイミング及び前記複数のＨＡＲＱタイミングの各々に対応するリソースを含む、ステップ、を更に含む。
【００２３】
可能な設計では、前記第１ＨＡＲＱタイミングは第１ダウンリンクＨＡＲＱタイミングであり、前記端末装置により、前記第１ＨＡＲＱタイミングに基づき、前記第１サービスに対応する第１ＨＡＲＱフィードバック情報を受信及び送信する前記ステップは、前記端末装置により、前記第１ダウンリンクＨＡＲＱタイミング及び前記マッピング関係情報に基づき、前記第１ダウンリンクＨＡＲＱタイミングに対応する第１リソースを決定するステップと、前記端末装置により、前記第１ダウンリンクＨＡＲＱタイミングに基づき前記第１リソースで、前記第１サービスに対応する第１ダウンリンクＨＡＲＱフィードバック情報を送信するステップと、を含む。
【００２４】
可能な設計では、前記第１ＨＡＲＱタイミングは第１アップリンクＨＡＲＱタイミングであり、前記端末装置により、前記第１ＨＡＲＱタイミングに基づき、前記第１サービスに対応する第１ＨＡＲＱフィードバック情報を受信及び送信する前記ステップは、前記端末装置により、前記第１アップリンクＨＡＲＱタイミング及び前記マッピング関係情報に基づき、前記第１アップリンクＨＡＲＱタイミングに対応する第１リソースを決定するステップと、前記端末装置により、前記第１アップリンクＨＡＲＱタイミングに基づき前記第１リソースで、前記ネットワーク装置により送信され且つ前記第１サービスに対応する第１アップリンクＨＡＲＱフィードバック情報を受信するステップと、を含む。
【００２５】
本発明の本実施形態では、端末装置は、第１アップリンクＨＡＲＱフィードバック情報を第１アップリンクＨＡＲＱタイミングに対応する第１リソースで受信でき、各アップリンクＨＡＲＱフィードバック情報片に対応するアップリンクＨＡＲＱタイミングを区別し、それによりサービスのＱｏＳを向上する。
【００２６】
可能な設計では、第１リソースは、リソースブロックＲＢ位置、ＲＢの数、コードワード情報、及びシーケンス番号のうちの少なくとも１つを含む。
【００２７】
可能な設計では、マッピング関係情報は、以下の対応を含む：複数のダウンリンクＨＡＲＱタイミング及び複数のダウンリンクＨＡＲＱタイミングの各々に対応する物理アップリンク制御チャネルＰＵＣＣＨリソース、複数のダウンリンクＨＡＲＱタイミング及び前記複数のダウンリンクＨＡＲＱタイミングの各々に対応する物理アップリンク共有チャネルＰＵＳＣＨリソース、並びに、複数のアップリンクＨＡＲＱタイミング及び前記複数のアップリンクＨＡＲＱタイミングの各々に対応する物理ハイブリッド自動再送要求指示チャネルＰＨＩＣＨリソース。
【００２８】
幾つかの可能な設計では、前記端末装置により、ＨＡＲＱタイミングとリソースとの間のマッピング関係に関し且つ前記ネットワーク装置により送信された情報を受信する前記ステップは、前記ネットワーク装置により、Ｌ３シグナリングを前記端末装置へ送信するステップであって、前記Ｌ３シグナリングは前記マッピング関係情報を伝達する、ステップを含む。
【００２９】
第５の態様によると、端末装置が提供され、前記端末装置は、第４の態様における端末装置に基づく情報伝送方法を実行するモジュールを含む。同じ新規な概念に基づき、端末装置の問題解決原理は、第４の態様における方法の設計のソリューションに対応する。したがって、端末装置の実装については、方法の実装を参照する。説明は繰り返し提供されない。
【００３０】
第６の態様によると、端末装置が提供され、前記端末装置は、トランシーバ、メモリ、及びプロセッサを含む。前記トランシーバ、前記メモリ、及び前記プロセッサは、システムバスを用いて接続され、前記メモリは命令を格納するよう構成され、前記プロセッサは前記メモリに格納された前記命令を実行するよう構成され、前記プログラムが実行されると、前記プロセッサは、第４の態様における端末装置に基づく情報伝送方法を実行するよう構成される。
【００３１】
第７の態様によると、情報伝送方法が提供される。前記方法は、端末装置により、複数のアップリンク許可ＵＬ＿ｇｒａｎｔタイミングから、前記端末装置の第１アップリンクサービスに対応する第１ＵＬ＿ｇｒａｎｔタイミングを決定するステップと、前記端末装置により、ネットワーク装置へ第１指示情報を送信するステップであって、前記第１指示情報は前記第１ＵＬ＿ｇｒａｎｔタイミングを示すために使用される、ステップと、を含む。
【００３２】
本発明の本実施形態では、前記端末装置は、前記ネットワーク装置により送信された第１指示情報を用いて、第１アップリンクサービスに対応する第１ＵＬ＿ｇｒａｎｔタイミングを決定でき、前記端末装置が複数のサービスを使用するときに、異なるＵＬ＿ｇｒａｎｔタイミングが異なるサービスのために使用できるようにし、サービスのＱｏＳを向上する。
【００３３】
可能な設計では、前記端末装置により、ネットワーク装置へ第１指示情報を送信する前記ステップは、前記端末装置により、前記第１アップリンクサービスに対応する第１アップリンクスケジューリング要求ＳＲ及び／又は前記第１アップリンクサービスに対応する第１バッファ状態情報ＢＳＲを、前記ネットワーク装置へ送信するステップであって、前記第１ＳＲの種類及び／又は前記第１ＢＳＲの種類は、前記第１ＵＬ＿ｇｒａｎｔタイミングを示すために使用される、又は、前記第１ＳＲ及び／又は前記第１ＢＳＲを伝達する無線インタフェースリソース位置は、前記第１ＵＬ＿ｇｒａｎｔタイミングを示すために使用される、ステップを含む。
【００３４】
可能な設計では、前記方法は、前記端末装置により、前記ネットワーク装置により送信された第２指示情報を受信するステップであって、前記第２指示情報は、複数の伝送タイミングの中で前記第１アップリンクサービスに対応する第１伝送タイミングを示すために使用される、ステップと、前記端末装置により、前記第１伝送タイミングに基づき、前記第１アップリンクサービスを前記ネットワーク装置へ送信するステップと、を更に含む。
【００３５】
本発明の本実施形態では、前記端末装置は、前記ネットワーク装置により送信された第２指示情報を用いて、第１アップリンクサービスに対応する第１伝送タイミングを決定でき、前記端末装置が複数のサービスを使用するときに、異なる第１伝送タイミングが異なるサービスのために使用できるようにし、サービスのＱｏＳを向上する。
【００３６】
可能な設計では、端末装置により、ネットワーク装置により送信された第２指示情報を受信する前記ステップは、前記端末装置により、前記ネットワーク装置により送信された第１ダウンリンク制御情報ＤＣＩを受信するステップであって、前記第１ＤＣＩは第１ＵＬ＿ｇｒａｎｔ情報を含み、前記第１ＤＣＩのフォーマット情報は前記第１伝送タイミングを示すために使用される、又は、前記第１ＤＣＩの中の特定情報ビットが、前記第１伝送タイミングを示すために使用される、又は、前記第１ＤＣＩを伝達する無線インタフェースリソース位置が、前記第１伝送タイミングを示すために使用される、又は、前記第１ＤＣＩをスクランブリングする第１無線ネットワーク一時識別子ＲＮＴＩが、前記第１伝送タイミングを示すために使用される、ステップを含む。
【００３７】
幾つかの可能な設計では、ＳＲ／ＢＳＲリソースは、リソースブロック（ＲＢ）の数、ＲＢ位置、又はコードワードリソースを含む。
【００３８】
幾つかの可能な設計では、ネットワーク装置は、Ｌ３シグナリングを用いて、複数のＲＮＴＩ又は複数のＤＣＩリソースを端末装置に割り当てる。
【００３９】
第８の態様によると、端末装置が提供され、前記端末装置は、第７の態様における端末装置に基づく情報伝送方法を実行するモジュールを含む。同じ新規な概念に基づき、端末装置の問題解決原理は、第７の態様における方法の設計のソリューションに対応する。したがって、端末装置の実装については、方法の実装を参照する。説明は繰り返し提供されない。
【００４０】
第９の態様によると、端末装置が提供され、前記端末装置は、トランシーバ、メモリ、及びプロセッサを含む。前記トランシーバ、前記メモリ、及び前記プロセッサは、システムバスを用いて接続され、前記メモリは命令を格納するよう構成され、前記プロセッサは前記メモリに格納された前記命令を実行するよう構成され、前記プログラムが実行されると、前記プロセッサは、第７の態様における端末装置に基づく情報伝送方法を実行するよう構成される。
【００４１】
第１０の態様によると、情報伝送方法が提供される。前記方法は、ネットワーク装置により、端末装置により送信された第１指示情報を受信するステップであって、前記第１指示情報は、複数のアップリンク許可ＵＬ＿ｇｒａｎｔタイミングの中で、前記端末装置の第１アップリンクサービスに対応する第１ＵＬ＿ｇｒａｎｔタイミングを示すために使用される、ステップと、前記ネットワーク装置により、前記第１ＵＬ＿ｇｒａｎｔタイミングに基づき、前記第１アップリンクサービスに対応する第１ＵＬ＿ｇｒａｎｔ情報を送信するステップと、を含む。
【００４２】
本発明の本実施形態では、前記ネットワーク装置は、前記端末装置により送信された第１指示情報を用いて、第１アップリンクサービスに対応する第ＵＬ＿ｇｒａｎｔタイミングを決定でき、前記ネットワーク装置が複数のサービスを使用するときに、異なるＵＬ＿ｇｒａｎｔタイミングが異なるサービスのために使用できるようにし、サービスのＱｏＳを向上する。
【００４３】
可能な設計では、ネットワーク装置により、端末装置により送信された第１指示情報を受信する前記ステップは、前記ネットワーク装置により、前記第１アップリンクサービスに対応する第１アップリンクスケジューリング要求ＳＲ及び／又は前記第１アップリンクサービスに対応する第１バッファ状態情報ＢＳＲを受信するステップであって、前記第１ＳＲ及び前記第１ＢＳＲは前記端末装置により送信され、前記第１ＳＲの種類及び前記第１ＢＳＲの種類は前記第１ＵＬ＿ｇｒａｎｔタイミングを示すために使用される、又は、前記第１ＳＲ及び前記第１ＢＳＲを伝達する無線インタフェースリソース位置は、前記第１ＵＬ＿ｇｒａｎｔタイミングを示すために使用される、ステップを含む。
【００４４】
可能な設計では、前記方法は、前記ネットワーク装置により、複数の伝送タイミングから前記第１アップリンクサービスに対応する第１伝送タイミングを決定するステップと、前記ネットワーク装置により、前記端末装置へ第２指示情報を送信するステップであって、前記第２指示情報は前記第１伝送タイミングを示すために使用される、ステップと、を更に含む。
【００４５】
本発明の本実施形態では、前記ネットワーク装置は、前記第２指示情報を用いて、前記端末装置の前記第１アップリンクサービスに対応する前記第１伝送タイミングを指示でき、前記ネットワーク装置が複数のサービスを使用するときに、異なる第１伝送タイミングが異なるサービスのために使用できるようにし、サービスのＱｏＳを向上する。
【００４６】
可能な設計では、前記ネットワーク装置により、前記端末装置へ第２指示情報を送信する前記ステップは、前記ネットワーク装置により、前記端末装置へ第１ダウンリンク制御情報ＤＣＩを送信するステップであって、前記第１ＤＣＩは第１ＵＬ＿ｇｒａｎｔ情報を含み、前記第１ＤＣＩのフォーマット情報は前記第１伝送タイミングを示すために使用される、又は、前記第１ＤＣＩの中の特定情報ビットが、前記第１伝送タイミングを示すために使用される、又は、前記第１ＤＣＩを伝達する無線インタフェースリソース位置が、前記第１伝送タイミングを示すために使用される、又は、前記第１ＤＣＩをスクランブリングする第１無線ネットワーク一時識別子ＲＮＴＩが、前記第１伝送タイミングを示すために使用される、ステップを含む。
【００４７】
幾つかの可能な設計では、ＳＲ／ＢＳＲリソースは、リソースブロック（ＲＢ）の数、ＲＢ位置、又はコードワードリソースを含む。
【００４８】
幾つかの可能な設計では、ネットワーク装置は、Ｌ３シグナリングを用いて、複数のＲＮＴＩ又は複数のＤＣＩリソースを端末装置に割り当てる。
【００４９】
第１１の態様によると、ネットワーク装置が提供され、前記ネットワーク装置は、第１０の態様におけるネットワーク装置に基づく情報伝送方法を実行するモジュールを含む。同じ新規な概念に基づき、ネットワーク装置の問題解決原理は、第１０の態様における方法の設計のソリューションに対応する。さらに、ネットワーク装置の実装については、方法の実装を参照する。説明は繰り返し提供されない。
【００５０】
第１２の態様によると、ネットワーク装置が提供され、前記ネットワーク装置は、トランシーバ、メモリ、及びプロセッサを含む。前記トランシーバ、前記メモリ、及び前記プロセッサは、システムバスを用いて接続され、前記メモリは命令を格納するよう構成され、前記プロセッサは前記メモリに格納された前記命令を実行するよう構成され、前記プログラムが実行されると、前記プロセッサは、第１０の態様におけるネットワーク装置に基づく情報伝送方法を実行するよう構成される。
【図面の簡単な説明】
【００５１】
【図１】従来技術におけるアップリンク及びダウンリンクデータ伝送のＨＡＲＱフィードバックの概略図である。
【００５２】
【図２】本発明の一実施形態の適用可能なシナリオの概略図である。
【００５３】
【図３】本発明の一実施形態による情報伝送方法の概略フローチャートである。
【００５４】
【図４】本発明の一実施形態による情報伝送方法の概略フローチャートである。
【００５５】
【図５】本発明の一実施形態によるネットワーク装置の概略ブロック図である。
【００５６】
【図６】本発明の一実施形態によるネットワーク装置の概略ブロック図である。
【００５７】
【図７】本発明の一実施形態による端末装置の概略ブロック図である。
【００５８】
【図８】本発明の一実施形態による端末装置の概略ブロック図である。
【００５９】
【図９】本発明の一実施形態による端末装置の概略ブロック図である。
【００６０】
【図１０】本発明の一実施形態による端末装置の概略ブロック図である。
【００６１】
【図１１】本発明の一実施形態によるネットワーク装置の概略ブロック図である。
【００６２】
【図１２】本発明の一実施形態によるネットワーク装置の概略ブロック図である。
【発明を実施するための形態】
【００６３】
以下は、添付の図面を参照して本発明の実施形態における技術的ソリューションを記載する。
【００６４】
図２は、本発明の一実施形態による通信システム１００のアーキテクチャ図である。
【００６５】
通信システム１００は、端末装置１１０と、ネットワーク装置１２０と、を含んでよい。ネットワーク装置１２０は、無線インタフェースを通じて端末装置１１０と通信してよい。ネットワーク装置１２０は、信号を送信し又は受信するよう構成されるネットワーク側エンティティ、例えば基地局であってよい。ＵＥは、任意の端末であってよく、ＵＥは機械型通信（ＭＴＣ）ユーザ機器であってよい。端末装置１１０及びネットワーク装置１２０は、複数のサービス、例えば５Ｇシステムにおける拡張モバイルブロードバンドサービス、超高信頼且つ低遅延機械型通信サービス、及び大容量機械型通信サービスの伝送をサポートする。
【００６６】
拡張モバイルブロードバンドサービスは、スケジューリングの際に大量の計算を必要とし、大容量且つ高いレートを必要とする。しかしながら、拡張モバイルブロードバンドサービスは、遅延に対する低い要件を有し、遅延は通常１０ｍｓ以上である。システム効率を向上し、及び上位レイヤ再送信を回避するために、ＨＡＲＱ機能が媒体アクセス制御（Media  Access  Control、略称：ＭＡＣ）レイヤで又はそれより下でサポートされる。
【００６７】
超高信頼且つ低遅延機械型通信サービスは、主に、遅延緊急サービスを送信するために使用され、信頼性が保証される必要がある。期待遅延は非常に短く、最小遅延は１ｍｓである。例えば、無線制御工業生産又は製造過程、遠隔医療手術、電力分配自動化をサポートするスマートグリッド、又は交通安全では、超高信頼且つ低遅延機械型通信サービスは、ＨＡＲＱ機能を使用することも許される。
【００６８】
拡張モバイルブロードバンドサービス及び超高信頼且つ低遅延機械型通信サービスのサービス品質（Quality  of  Service、略称：ＱｏＳ）要件は異なるので、各サービスは異なるＨＡＲＱタイミングを要求する。
【００６９】
しかしながら、既存のＨＡＲＱソリューションでは、端末装置が複数の異なるサービスを有するとき、同じＨＡＲＱタイミングのみが使用でき、したがって、端末装置が複数サービス伝送を実行するとき、サービスのサービス品質要件を満たすことができない。
【００７０】
したがって、本発明は、端末装置の複数のサービスが複数のＨＡＲＱタイミングに対応でき、それによりサービスのサービス品質を向上する、情報伝送方法を提供する。
【００７１】
理解されるべきことに、前述の５Ｇ通信システムは、本発明の実施形態が適用可能な通信システムの単なる一例である。本発明の実施形態は、通信システムが複数のサービスをサポートし、該複数のサービスのうちの幾つかがＨＡＲＱ機能をサポートするならば、別の通信システムにも適用可能である。
【００７２】
例えば、本発明の実施形態は、グローバルシステム・フォー・モバイル通信（Global  System  for  Mobile  communication、略称：ＧＳＭ）、符号分割多重アクセス（Code  Division  Multiple  Access、略称：ＣＤＭＡ）システム、広帯域符号分割多重アクセス（Wideband  Code  Division  Multiple  Access、略称：ＷＣＤＭＡ）システム、汎用パケット無線サービス（General  Packet  Radio  Service、略称：ＧＰＲＳ）システム、５Ｇ通信システム、ＬＴＥ周波数分割複信（Frequency  Division  Duplex、略称：ＦＤＤ）システム、ＬＴＥ時分割複信（Time  Division  Duplex、略称：ＴＤＤ）システム、ユニバーサルモバイル通信システム（Universal  Mobile  Telecommunications  System、略称：ＵＭＴＳ）に適用可能である。
【００７３】
本願の実施形態は、ネットワーク装置及び端末装置を参照して記載される。端末装置は、ユーザ機器（User  Equipment、略称：ＵＥ）、アクセス端末、加入者ユニット、加入者局、移動局、移動体、リモート局、リモート端末、モバイル装置、加入者端末、端末、無線通信装置、ユーザエージェント、又はユーザ機器に限定されない。端末装置は、無線アクセスネットワーク（Radio  Access  Network、略称：ＲＡＮ）を用いて１又は複数のコアネットワークと通信してよい。例えば、端末装置は、セルラ電話機、コードレス電話機、セッション開始プロトコル（Session  Initiation  Protocol、略称：ＳＩＰ）電話機、無線ローカルループ（Wireless  Local  Loop、略称：ＷＬＬ）局、パーソナルデジタルアシスタント（Personal  Digital  Assistant、略称：ＰＤＡ）、無線通信機能を備えるハンドヘルド装置、コンピューティング装置、無線モデムに接続される別の処理装置、車載装置、ウェアラブル装置、将来の５Ｇネットワークにおける端末装置、又は将来の進化型ＰＬＭＮネットワークにおける端末装置であってよい。
【００７４】
本発明の実施形態におけるネットワーク装置は、端末装置と通信するよう構成される装置であってよく、ネットワーク装置は、基地局又は基地局機能を有するネットワーク側装置を含み得る。例えば、ネットワーク装置は、ＧＳＭシステム又はＣＤＭＡシステムにおける基地トランシーバ局（Base  Transceiver  Station、略称：ＢＴＳ）であってよく、又はＷＣＤＭＡシステムにおけるＮｏｄｅＢ（NodeB、略称：ＮＢ）であってよく、又はＬＴＥシステムにおける進化型ＮｏｄｅＢ（Evolved  NodeB、略称：ｅＮＢ又はeNodeB）であってよく、或いは、ネットワーク装置は、中継局、アクセスポイント、車載装置、ウェアラブル装置、又は将来の５Ｇネットワークにおけるネットワーク側装置であってよい。
【００７５】
図３は、本発明の一実施形態による情報伝送方法２００の概略フローチャートである。
【００７６】
２１０。ネットワーク装置は、端末装置の第１サービスの第１ＨＡＲＱタイミングを決定する。
【００７７】
具体的に、ネットワーク装置は、複数のＨＡＲＱタイミングを端末装置に割り当て、複数のＨＡＲＱタイミングから、端末装置の第１サービスに対応する第１ＨＡＲＱタイミングを決定してよい。言い換えると、端末装置は、第１ＨＡＲＱタイミングに基づき、第１サービスに対応する第１ＨＡＲＱタイミングを同期することにより、第１サービスに対応するＨＡＲＱフィードバック情報を受信又は送信する。
【００７８】
したがって、本願は、情報伝送方法を提供する。ネットワーク装置は、複数のＨＡＲＱタイミングを端末装置に割り当て、端末装置が複数のサービスを使用するとき、異なるＨＡＲＱタイミングが異なるサービスのために使用できるようにし、サービスのＱｏＳを向上する。
【００７９】
本発明の本実施形態では、ＨＡＲＱタイミングは、具体的に、送信端によるデータの送信と受信端によるフィードバック情報の送信との間の時系列関係である。ＨＡＲＱタイミングは、ＨＡＲＱ  ｔｉｍｉｎｇ、ＨＡＲＱフィードバックタイミング、ＨＡＲＱフィードバック期間、ＨＡＲＱタイミング関係、ＨＡＲＱフィードバックタイミング関係、ＨＡＲＱフィードバック時系列、等としても参照されてよい。これは、本願において限定されない。
【００８０】
理解されるべきことに、本願では、複数のサービスの各々は、異なるＨＡＲＱタイミングを使用してよく、第１ＨＡＲＱタイミングは第１サービスに対応するＨＡＲＱタイミングである。
【００８１】
２２０。ネットワーク装置は、端末装置へ、第１ＨＡＲＱタイミングを示すために使用される指示情報を送信する。
【００８２】
具体的には、ネットワーク装置は指示情報を端末装置へ送信し、指示情報は、端末装置の第１サービスに対応する第１ＨＡＲＱタイミングを示すために使用され、端末装置が第１ＨＡＲＱタイミングに基づき、第１サービスに対応するＨＡＲＱフィードバック情報を受信し又は送信するようにする。
【００８３】
ＨＡＲＱはダウンリンクＨＡＲＱ及びアップリンクＨＡＲＱを含む。ダウンリンクＨＡＲＱは、ダウンリンク共有チャネル（Downlink  Shared  Channel、略称：ＤＬ−ＳＣＨ）データのためであり、アップリンクＨＡＲＱはアップリンク共有チャネル（Uplink  Shared  Channel、略称：ＵＬ−ＳＣＨ）データのためである。ダウンリンクＨＡＲＱ及びアップリンクＨＡＲＱは互いに独立であり、ダウンリンクＨＡＲＱ及びアップリンクＨＡＲＱの処理方法も異なる。ダウンリンクＨＡＲＱ及びアップリンクＨＡＲＱに対応して、第１ＨＡＲＱタイミングは第１ダウンリンクＨＡＲＱタイミング及び第１アップリンクＨＡＲＱタイミングである。
【００８４】
例えば、ダウンリンクＨＡＲＱ処理では、第１ＨＡＲＱタイミングは第１ダウンリンクＨＡＲＱタイミングである。具体的に言うと、第１サービスが第１ダウンリンクサービスであるとき、第１ダウンリンクサービスに対応するＨＡＲＱタイミングは第１ダウンリンクＨＡＲＱタイミングである。ネットワーク装置は、第１ダウンリンクサービスを端末装置へ送信し、端末装置に第１ダウンリンクサービスに対応する第１ダウンリンクＨＡＲＱタイミングを示す。
【００８５】
任意で、ネットワーク装置は、第１サービスに対応する第１ダウンリンク制御情報（Downlink  Control  Information、略称：ＤＣＩ）を端末装置へ送信する。ここで、第１ＤＣＩの種類は第１ＨＡＲＱタイミングを示すために使用される。
【００８６】
具体的に、ネットワーク装置は、ＤＣＩ情報を端末装置へダウンリンクで送信する。ここで、ＤＣＩ譲歩は、ダウンリンクデータ伝送リソース又はアップリンクデータ伝送リソースを示すために使用される。複数の種類のＤＣＩは、例えば、ＬＴＥにおけるＤＣＩ０、ＤＣＩ１、及びＤＣＩ２を含んでよく、異なるＤＣＩ種類は異なるＨＡＲＱタイミングに対応する。つまり、ネットワーク装置は、ＤＣＩ情報を端末装置へ送信し、端末装置は、ＤＣＩ種類を用いて、現在のデータ伝送に使用されるべき特定ＨＡＲＱタイミングを識別してよい。
【００８７】
任意で、ネットワーク装置は、第１サービスに対応する第１ＤＣＩを端末装置へ送信する。ここで、第１ＤＣＩの中の特定情報ビットは第１ＨＡＲＱタイミングを示すために使用される。
【００８８】
具体的に、「どのＨＡＲＱタイミングがデータ伝送のために使用されるか」は、ＤＣＩ情報の中の特定情報ビットを用いて示される。特定情報ビットは、ＤＣＩメッセージに新たに追加される情報ビットであってよく、又は既存の情報ビットであってよい。つまり、ネットワーク装置は、ＤＣＩ情報を端末装置へ送信する。端末装置は、ＤＣＩの中の特定情報ビットに関する情報を識別することにより、現在のデータ伝送のために使用されるべき特定ＨＡＲＱタイミングを識別してよい。
【００８９】
任意で、ネットワーク装置は、第１サービスに対応する第１ＤＣＩを端末装置へ送信する。ここで、第１ＤＣＩを伝達する無線インタフェースリソース位置は第１ＨＡＲＱタイミングを示すために使用される。
【００９０】
具体的に、ネットワーク装置は、ＨＡＲＱタイミングとＤＣＩメッセージを伝達する無線インタフェースリソース位置との間のマッピング関係を予め確立する。ネットワーク装置は、特定無線インタフェースリソースを用いてＤＣＩメッセージを送信する。端末装置が特定無線インタフェースリソース領域内でＤＣＩを検出した場合、端末装置は、特定無線インタフェースリソース及びマッピング関係に基づき、現在のデータ伝送のために使用されるべき特定ＨＡＲＱタイミングを決定してよい。例えば、ＤＣＩを伝達する無線インタフェースリソースは、物理ダウンリンク制御チャネル（Physical  Downlink  Control  Channel、略称：ＰＤＣＣＨ）の無線インタフェースリソース、又は拡張物理ダウンリンク制御チャネル（Enhanced  Physical  Downlink  Control  Channel、略称：Ｅ−ＰＤＣＣＨ）の無線インタフェースリソースである。
【００９１】
任意で、無線インタフェースリソースは、リソースブロック（resource  block、略称：ＲＢ）位置、ＲＢの数、コードワードリソース、シーケンス番号、等を含む。
【００９２】
任意で、ネットワーク装置は、第１サービスに対応する第１ＤＣＩを端末装置へ送信する。ここで、第１ＤＣＩをスクランブリングする第１無線ネットワーク一時識別子ＲＮＴＩは第１ＨＡＲＱタイミングを示すために使用される。
【００９３】
具体的に、ネットワーク装置は、ＤＣＩ情報をダウンリンクで端末装置へ送信する。ＤＣＩは、チャネル符号化でＲＮＴＩを用いてスクランブリングされる必要があり、ＤＣＩをスクランブリングするＲＮＴＩはＨＡＲＱタイミングに関連付けられ、各ＲＮＴＩは異なるＨＡＲＱタイミングに対応する。つまり、ネットワーク装置は、ＤＣＩ情報をスクランブリングするために特定ＲＮＴＩを使用し、特定ＲＮＴＩは、端末装置に、現在のデータ伝送に使用されるべき特定ＨＡＲＱタイミングを示すために使用される。端末装置は、現在のＤＣＩの中のＲＮＴＩ情報を識別するために複数のＲＮＴＩを学習し、更に現在のデータ伝送のために使用されるべき特定ＨＡＲＱタイミングを取得する必要がある。
【００９４】
理解されるべきことに、ネットワーク装置は、指示情報を端末装置へ送信し、ネットワーク装置が割り当てたリソースを示す処理において複数の方法を用いてＨＡＲＱタイミングを暗に示す。例えば、ＤＣＩ情報は、ＨＡＲＱタイミングを暗に示すために、ダウンリンクで端末装置へ送信される。代替として、サービスのＨＡＲＱタイミングは、直接示されてよい。例えば、ＨＡＲＱタイミングを示すために使用される指示情報は直接送信される。これは、本願において限定されない。
【００９５】
したがって、本願で提供される情報伝送方法によると、無線インタフェースで複数のＨＡＲＱタイミングが存在するとき、指示情報は端末装置の第１サービスの第１ＨＡＲＱタイミングを示すために使用されて、ＨＡＲＱフィードバック衝突が回避でき、及びサービスのＱｏＳが更に向上されるようにする。
【００９６】
既存のＨＡＲＱ技術では、肯定応答情報（ＡＣＫ／ＮＡＣＫ）を受信した後に、送信端は、肯定応答情報と伝送データとの間の固定タイミングを用いて、肯定応答情報に対応するＨＡＲＱプロセス（HARQ  process）を決定する必要がある。言い換えると、肯定応答情報に対応するＨＡＲＱプロセスは、伝送データと対応するＡＣＫ／ＮＡＣＫとの間のタイミングを用いて決定される。
【００９７】
しかしながら、本願における端末装置又はネットワーク装置は、複数のＨＡＲＱタイミングを使用できる。したがって、受信端は、特定サブフレーム内の複数のＨＡＲＱ  ＡＣＫ／ＮＡＣＫ情報片を同時にフィードバックしてよい。したがって、ＨＡＲＱ  ＡＣＫ／ＮＡＣＫ情報を受信した後に、送信端は、複数のＨＡＲＱタイミングの中で、各ＨＡＲＱ  ＡＣＫ／ＮＡＣＫ情報片に対応する特定ＨＡＲＱタイミングを区別する必要がある。
【００９８】
任意で、サービス確率処理において、複数のＨＡＲＱタイミングを端末装置に割り当てるとき、ネットワーク装置は、ＨＡＲＱフィードバック情報を送信するために、異なる無線インタフェースリソースを異なるＨＡＲＱタイミングに割り当てる。
【００９９】
例えば、ネットワーク装置は、ＨＡＲＱタイミングとリソースとの間のマッピング関係に関する情報を端末装置へ送信する。ここで、マッピング関係情報は、複数のＨＡＲＱタイミング、及び複数のＨＡＲＱタイミングの各々に対応するリソースを含む。無線インタフェースリソースでＨＡＲＱ  ＡＣＫ／ＮＡＣＫ情報を受信するとき、送信端は、無線インタフェースリソース及びマッピング関係情報に基づき、ＨＡＲＱ  ＡＣＫ／ＮＡＣＫ情報のＨＡＲＱタイミングを直接決定してよい。
【０１００】
任意で、マッピング関係は、以下の対応を含む：
複数のダウンリンクＨＡＲＱタイミング及び複数のダウンリンクＨＡＲＱタイミングの各々に対応する物理アップリンク制御チャネルＰＵＣＣＨリソース、複数のダウンリンクＨＡＲＱタイミング及び前記複数のダウンリンクＨＡＲＱタイミングの各々に対応する物理アップリンク共有チャネルＰＵＳＣＨリソース、並びに、複数のアップリンクＨＡＲＱタイミング及び前記複数のアップリンクＨＡＲＱタイミングの各々に対応する物理ハイブリッド自動再送要求指示チャネルＰＨＩＣＨリソース。
【０１０１】
具体的に、マッピング関係情報が送信端と受信端との間で同期された後に、送信端及び受信端は、指示情報及びマッピング関係情報により示された第１ＨＡＲＱタイミングに基づき、第１サービスに対応するＨＡＲＱフィードバックを伝達する第１リソースを決定し、送信端は、第１ＨＡＲＱタイミングに基づき第１リソースで第１ＨＡＲＱフィードバック情報を受信し、受信端は、第１ＨＡＲＱタイミングに基づき第１リソースで第１ＨＡＲＱフィードバック情報を送信端へ送信する。
【０１０２】
例えば、ダウンリンクＨＡＲＱプロセスでは、端末装置は、マッピング関係情報に基づき、第１ダウンリンクＨＡＲＱタイミングに対応する無線インタフェースリソースでフィードバックメッセージを送信し、ネットワーク装置が無線インタフェースリソースでフィードバックメッセージを受信すると直ぐに、ネットワーク装置は、マッピング関係情報及び受信のための無線インタフェースリソースに基づき、フィードバックメッセージに対応するＨＡＲＱタイミングを決定してよい。
【０１０３】
さらに、図３は、ダウンリンクＨＡＲＱのフィードバック情報伝送方法２００の概略フローチャートである。
【０１０４】
２３０。第１ダウンリンクＨＡＲＱタイミング及びマッピング関係情報に基づき、第１リソースを決定する。
【０１０５】
具体的に、端末装置は、第１ダウンリンクＨＡＲＱタイミング及びマッピング関係情報に基づき、第１ダウンリンクＨＡＲＱタイミングが第１リソースに対応することを決定する。
【０１０６】
２４０。第１ダウンリンクＨＡＲＱタイミングに基づき、第１リソースで、第１ダウンリンクＨＡＲＱフィードバック情報を送信する。
【０１０７】
具体的に、端末装置は、第１ダウンリンクＨＡＲＱタイミングに基づき、第１リソースで、第１サービスに対応する第１ダウンリンクＨＡＲＱフィードバック情報を、ネットワーク装置へ送信する。
【０１０８】
２５０。第１ダウンリンクＨＡＲＱタイミングに基づき、第１リソースで、第１ダウンリンクＨＡＲＱフィードバック情報を受信する。
【０１０９】
具体的に、ネットワーク装置は、第１ダウンリンクＨＡＲＱタイミング及びマッピング関係情報に基づき、第１ダウンリンクＨＡＲＱタイミングが第１リソースに対応することを決定し、第１ダウンリンクＨＡＲＱタイミングに基づき第１リソースで、端末装置により送信され且つ第１サービスに対応する第１ダウンリンクＨＡＲＱフィードバック情報を受信する。
【０１１０】
したがって、ネットワーク装置は、第１ダウンリンクＨＡＲＱフィードバック情報を第１ダウンリンクＨＡＲＱタイミングに対応する第１リソースで受信して、各ダウンリンクＨＡＲＱフィードバック情報片に対応するダウンリンクＨＡＲＱタイミングを区別し、それによりサービスのＱｏＳを向上する。
【０１１１】
別の例では、アップリンクＨＡＲＱ処理では、第１ＨＡＲＱタイミングは第１アップリンクＨＡＲＱタイミングである。端末装置は、第１サービスをネットワーク装置へ送信し、端末装置に第１アップリンクサービスに対応する第１アップリンクＨＡＲＱタイミングを示す。
【０１１２】
具体的に、ネットワーク装置は、第１アップリンクＨＡＲＱタイミング及びマッピング関係情報に基づき、第１アップリンクＨＡＲＱタイミングが第１リソースに対応することを決定し、第１アップリンクＨＡＲＱタイミングに基づき第１リソースで、端末装置へ第１サービスに対応する第１アップリンクＨＡＲＱフィードバック情報を送信する。端末装置は、第１アップリンクＨＡＲＱタイミング及びマッピング関係情報に基づき、第１アップリンクＨＡＲＱタイミングが第１リソースに対応することを決定し、第１アップリンクＨＡＲＱタイミングに基づき第１リソースで、端末装置により送信され且つ第１サービスに対応する第１アップリンクＨＡＲＱフィードバック情報を受信する。
【０１１３】
したがって、端末装置は、第１アップリンクＨＡＲＱフィードバック情報を第１アップリンクＨＡＲＱタイミングに対応する第１リソースで受信して、各アップリンクＨＡＲＱフィードバック情報片に対応するアップリンクＨＡＲＱタイミングを区別し、それによりサービスのＱｏＳを向上する。
【０１１４】
理解されるべきことに、送信端は、ＨＡＲＱタイミングとリソースとの間の対応を用いて、第１サービスの第１ＨＡＲＱタイミングが第１リソースに対応することを決定し、第１ＨＡＲＱフィードバック情報を第１リソースで受信する。代替として、送信端は、ＨＡＲＱフィードバック情報を直接受信し、次に対応情報及び情報を受信するためのリソースに基づき、各ＨＡＲＱフィードバック情報片に対応するＨＡＲＱタイミングを決定してよい。これは、本願において限定されない。
【０１１５】
任意で、ネットワーク装置は、Ｌ３シグナリングを端末装置へ送信する。ここで、Ｌ３シグナリングは、マッピング関係情報を伝達する。
【０１１６】
例えば、ネットワーク装置により端末装置へ送信されるＬ３シグナリングは、以下の形式のコンテンツを伝達する：
｛ダウンリンクＨＡＲＱタイミング１のリソース
［ＰＵＣＣＨリソース：（ＲＢ位置、ＲＢの数、フォーマット情報、コードワード情報、及びシーケンス番号）
ＰＵＳＣＨフィールド：（フィールドシーケンス番号）］
ダウンリンクＨＡＲＱタイミング２のリソース
［ＰＵＣＣＨリソース：（ＲＢ位置、ＲＢの数、フォーマット情報、コードワード情報、及びシーケンス番号）
ＰＵＳＣＨフィールド：（フィールドシーケンス番号）］
アップリンクＨＡＲＱタイミング１のリソース
［ＰＨＩＣＨリソース：（ＲＢ位置、ＲＢの数、フォーマット情報、コードワード情報、及びシーケンス番号）］
アップリンクＨＡＲＱタイミング２のリソース
［ＰＨＩＣＨリソース：（ＲＢ位置、ＲＢの数、フォーマット情報、コードワード情報、及びシーケンス番号）］｝
【０１１７】
具体的に、同じＴＴＩ時点で、端末装置は、複数の異なるリソースを用いて複数のＨＡＲＱフィードバック情報片を送信してよい。ネットワーク装置も、複数の異なるリソースを用いて複数のＨＡＲＱフィードバック情報片を送信してよい。端末装置又はネットワーク装置は、伝送データのサービス種類に基づき、対応するＨＡＲＱタイミングを決定し、更に対応するリソースを決定する。
【０１１８】
例えば、端末装置がＨＡＲＱタイミング１を用いてＨＡＲＱ  ＡＣＫ／ＮＡＣＫ情報をフィードバックする必要のあるとき、端末装置は、ダウンリンクＨＡＲＱタイミング１により示されるリソースを用いて、ＨＡＲＱ  ＡＣＫ／ＮＡＣＫ情報を送信する。端末装置がＨＡＲＱタイミング２を用いてＨＡＲＱ  ＡＣＫ／ＮＡＣＫ情報をフィードバックする必要のあるとき、端末装置は、ダウンリンクＨＡＲＱタイミング２により示されるリソースを用いて、ＨＡＲＱ  ＡＣＫ／ＮＡＣＫ情報を送信する。ＨＡＲＱフィードバック情報を特定無線インタフェースリソースで受信した後に、ネットワーク装置は、フィードバックメッセージに対応するＨＡＲＱタイミングを学習してよい。
【０１１９】
別の例では、ネットワーク装置がアップリンクＨＡＲＱタイミング１を用いてＨＡＲＱ  ＡＣＫ／ＮＡＣＫ情報をフィードバックする必要のあるとき、ネットワーク装置は、アップリンクＨＡＲＱタイミング１により示されるリソースを用いて、ＨＡＲＱ  ＡＣＫ／ＮＡＣＫ情報を送信する。ネットワーク装置がアップリンクＨＡＲＱタイミング２を用いてＨＡＲＱ  ＡＣＫ／ＮＡＣＫ情報をフィードバックする必要のあるとき、ネットワーク装置は、アップリンクＨＡＲＱタイミング２により示されるリソースを用いて、ＨＡＲＱ  ＡＣＫ／ＮＡＣＫ情報を送信する。ＨＡＲＱフィードバック情報を対応するリソースで受信した後に、端末装置は、フィードバックメッセージに対応するＨＡＲＱタイミングを学習してよい。
【０１２０】
したがって、複数のＨＡＲＱタイミングを端末装置に割り当てるとき、ネットワーク装置は、ＨＡＲＱフィードバック情報を送信するために、異なる無線インタフェースリソースを異なるＨＡＲＱタイミングに割り当てる。このように、送信端は、各ＨＡＲＱフィードバック情報片に対応するＨＡＲＱタイミングを区別でき、サービスのＱｏＳを向上する。
【０１２１】
理解されるべきことに、マッピング関係は、Ｌ３シグナリングを用いて、ネットワーク装置により端末装置に示されてよく、又は別の方法で端末装置に示されてよい。例えば、マッピング関係は、端末装置及びネットワーク装置内で予め構成される。これは、本願において限定されない。
【０１２２】
同じ新規な概念に基づき、データ伝送の既存のアップリンクスケジューリングでは、端末装置はネットワーク装置へ要求（Request）を送信する。要求を受信した後に、ネットワーク装置は、ＤＣＩメッセージを用いて、アップリンク許可（ＵＬ＿ｇｒａｎｔ）情報を端末装置へ送信する。ここで、ＵＬ＿ｇｒａｎｔ情報は、どのアップリンク無線インタフェースリソースがデータ伝送のために使用可能か、及びどれだけ多くのデータが伝送可能かを示す。端末装置は、アップリンクデータ（Ｄａｔａ  Ｔｘ）をＵＬ＿ｇｒａｎｔ情報の中で示された無線インタフェースリソースで送信する。端末装置によりアップリンクで送信された要求は、アップリンクスケジューリング要求（ＳＲ）又はバッファ状態情報（ＢＳＲ）であってよい。メッセージ間にタイミングが存在する。例えば、ＵＬ＿ｇｒａｎｔとＲｅｑｕｅｓｔとの間にＵＬ＿ｇｒａｎｔタイミングがあり、ＵＬ＿ｇｒａｎｔタイミングは、具体的に、ＵＬ＿ｇｒａｎｔとＲｅｑｕｅｓｔとの間の時系列関係である。別の令では、ＧｒａｎｔとＤａｔａ  Ｔｘとの間に伝送タイミングがあり、伝送タイミングは、具体的に、ＧｒａｎｔとＤａｔａ  Ｔｘとの間の時系列関係である。
【０１２３】
各サービスのＱｏＳ要件は異なるので、単一の端末装置が複数のサービスを確立する必要のあるとき、複数のＵＬ＿ｇｒａｎｔタイミング及び複数の伝送タイミングが無線インタフェースで使用される必要がある。
【０１２４】
例えば、サービス１のアップリンクデータ伝送では、２サブフレームの間隔がＲｅｑｕｅｓｔとＵＬ＿ｇｒａｎｔとの間で必要とされ、３サブフレームの間隔がＵＬ＿ｇｒａｎｔとＤａｔａ  Ｔｘとの間で必要とされる。サービス２のアップリンクデータ伝送では、４サブフレームの間隔がＲｅｑｕｅｓｔとＵＬ＿ｇｒａｎｔとの間で必要とされ、４サブフレームの間隔がＵＬ＿ｇｒａｎｔとＤａｔａ  Ｔｘとの間で必要とされる。したがって、異なるタイミングに対応するアップリンクスケジューリングデータ伝送メッセージは、同時に送信されてよい。
【０１２５】
本願で提供される情報伝送方法によると、ネットワーク装置は、複数のＵＬ＿ｇｒａｎｔタイミングお酔いｂ複数の伝送タイミングを端末装置に割り当てて、端末装置が、異なるアップリンクサービスのために異なるＵＬ＿ｇｒａｎｔタイミング及び／又は異なる伝送タイミングを使用できるようにする。
【０１２６】
図４は、本発明の一実施形態によるアップリンクデータ伝送方法３００の概略フローチャートである。
【０１２７】
３１０。端末装置は、端末装置の第１アップリンクサービスに対応する第１アップリンク許可ＵＬ＿ｇｒａｎｔタイミングを決定する。
【０１２８】
具体的に、ネットワーク装置は、複数のＵＬ＿ｇｒａｎｔタイミングを端末装置に割り当て、端末装置は、複数のＵＬ＿ｇｒａｎｔタイミングから、端末装置の第１アップリンクサービスに対応する第１ＵＬ＿ｇｒａｎｔタイミングを決定する。
【０１２９】
３２０。端末装置は、第１ＵＬ＿ｇｒａｎｔタイミングを示すために使用される第１指示情報を送信する。
【０１３０】
具体的には、端末装置は第１指示情報をネットワーク装置へ送信する。ここで、第１指示情報は、第１ＵＬ＿ｇｒａｎｔタイミングを示すために使用され、端末装置が第１ＵＬ＿ｇｒａｎｔタイミングに基づき、第１アップリンクサービスに対応する第１ＵＬ＿ｇｒａｎｔ情報を端末装置へ送信するようにする。
【０１３１】
任意で、ネットワーク装置は、第１アップリンクサービスに対応する第１アップリンクスケジューリング要求ＳＲ、及び／又は第１アップリンクサービスに対応する第１バッファ状態情報ＢＳＲを受信する。ここで、第１ＳＲ及び第１ＢＳＲは端末装置により送信され、第１ＳＲの種類及び／又は第１ＢＳＲの種類は第１ＵＬ＿ｇｒａｎｔタイミングを示すために使用される。
【０１３２】
具体的に、複数の要求メッセージ種類が、無線インタフェースについて定められる。例えば、ＳＲ及び／又はＢＳＲ、並びにこの基礎に追加される新しい要求種類である。異なる要求種類は、異なるＵＬ＿ｇｒａｎｔタイミングを示すために使用される。
【０１３３】
例えば、アップリンクＳＲ１及びアップリンクＳＲ２が定められ、ＳＲ１はＵＬ＿ｇｒａｎｔタイミング１を示すために使用され、ＳＲ２はＵＬ＿ｇｒａｎｔタイミング２を示すために使用される。端末装置は、アップリンクデータを送信するための要件に基づき、ＳＲ１又はＳＲ２を送信することを決定する。ネットワーク装置がＳＲ１を検出した場合、ＵＬ＿ｇｒａｎｔタイミング１が使用される。つまり、ＳＲ１メッセージを受信した後に、ネットワーク装置は、Ｎ個のサブフレームでＵＬ＿ｇｒａｎｔ情報を端末装置にフィードバックする。ネットワーク装置がＳＲ２を検出した場合、ＵＬ＿ｇｒａｎｔタイミング２が使用される。つまり、ＳＲ２メッセージを受信した後に、ネットワーク装置は、Ｍ個のサブフレームでＵＬ＿ｇｒａｎｔ情報を端末装置にフィードバックする。
【０１３４】
任意で、ネットワーク装置は、第１アップリンクサービスに対応する第１アップリンクスケジューリング要求ＳＲ、及び／又は第１アップリンクサービスに対応する第１バッファ状態情報ＢＳＲを受信する。ここで、第１ＳＲ及び第１ＢＳＲは端末装置により送信され、第１ＳＲ及び／又は第１ＢＳＲを伝達する無線インタフェースリソース位置は第１ＵＬ＿ｇｒａｎｔタイミングを示すために使用される。
【０１３５】
具体的に、異なる無線インタフェースリソース位置で、ネットワーク装置は複数のＳＲ／ＢＳＲリソースを端末装置に割り当てる。各ＳＲ／ＢＳＲリソースは、相応して、関連するＵＬ＿ｇｒａｎｔタイミングのために使用される。
【０１３６】
例えば、リソース１又はリソース２が定められ、リソース１はＵＬ＿ｇｒａｎｔタイミング１を示すために使用され、リソース２はＵＬ＿ｇｒａｎｔタイミング２を示すために使用される。端末装置は、アップリンクデータを送信するための要件に基づき、ＳＲ／ＢＳＲメッセージをリソース１又はリソース２で送信する。ネットワーク装置がＳＲ／ＢＳＲメッセージをリソース１の位置で検出した場合、ＵＬ＿ｇｒａｎｔタイミング１が使用される。つまり、ＳＲ／ＢＳＲメッセージを受信した後に、ネットワーク装置は、Ｎ個のサブフレームでＵＬ＿ｇｒａｎｔメッセージを端末装置にフィードバックする。ネットワーク装置がＳＲ／ＢＳＲメッセージをリソース２の位置で検出した場合、ＵＬ＿ｇｒａｎｔタイミング２が使用される。つまり、ＳＲ／ＢＳＲメッセージを受信した後に、ネットワーク装置は、Ｍ個のサブフレームでＵＬ＿ｇｒａｎｔメッセージを端末装置にフィードバックする。
【０１３７】
任意で、ネットワーク装置は、Ｌ３シグナリングを用いて、複数のＳＲ／ＢＳＲリソースを端末装置に割り当てる。
【０１３８】
任意で、ＳＲ／ＢＳＲリソースは、リソースブロック（ＲＢ）の数、ＲＢ位置、又はコードワードリソースを含む。
【０１３９】
理解されるべきことに、端末装置は、第１ＳＲの種類及び／又は第１ＢＳＲの種類を用いて、又は第１ＳＲ及び／又は第１ＢＳＲを伝達するリソースを用いて、第１ＵＬ＿ｇｒａｎｔタイミングを暗に示してよく、或いは、第１ＵＬ＿ｇｒａｎｔタイミングをネットワーク装置に直接示してよい。これは、本願において限定されない。
【０１４０】
３３０。ネットワーク装置は、第１ＵＬ＿ｇｒａｎｔ情報を第１ＵＬ＿ｇｒａｎｔタイミングに基づき送信する。
【０１４１】
具体的に、ネットワーク装置は、端末装置により送信された第１指示情報を受信する。ここで、第１指示情報は、複数のアップリンク許可ＵＬ＿ｇｒａｎｔタイミングの中で、端末装置の第１アップリンクサービスに対応する第１ＵＬ＿ｇｒａｎｔタイミングを示すために使用される。ネットワーク装置は、第１アップリンクサービスに対応する第１ＵＬ＿ｇｒａｎｔ情報を、第１ＵＬ＿ｇｒａｎｔタイミングに基づき端末装置へ送信する。
【０１４２】
３４０。ネットワーク装置は、第１アップリンクサービスに対応する第１伝送タイミングを決定する。
【０１４３】
具体的に、ネットワーク装置は、複数の伝送タイミングを端末装置に割り当て、複数の伝送タイミングから、第１アップリンクサービスに対応する第１伝送タイミングを決定してよい。ネットワーク装置は、端末装置へ、第２指示情報を送信する。ここで、第２指示情報は、第１伝送タイミングを示すために使用される。
【０１４４】
したがって、本願は、情報伝送方法を提供する。ネットワーク装置は、複数の伝送タイミングを端末装置に割り当て、端末装置が複数のサービスを使用するとき、異なる伝送タイミングが異なるサービスのために使用できるようにし、サービスのＱｏＳを向上する。
【０１４５】
理解されるべきことに、本願では、複数のサービスの各々は、異なる伝送タイミングを使用してよく、第１伝送タイミングは第１アップリンクサービスに対応する伝送タイミングである。
【０１４６】
３５０。ネットワーク装置は、端末装置へ、第１伝送タイミングを示すために使用される第２指示情報を送信する。
【０１４７】
具体的には、端末装置は指示情報をネットワーク装置へ送信する。ここで、指示情報は、ネットワーク装置の第１アップリンクサービスに対応する第１伝送タイミングを示すために使用され、端末装置が第１伝送タイミングに基づき、ネットワーク装置へアップリンクデータを送信するようにする。
【０１４８】
任意で、ネットワーク装置は、第１ＵＬ＿ｇｒａｎｔ情報に対応する第１ダウンリンク制御情報ＤＣＩを端末装置へ送信する。ここで、第１ＤＣＩのフォーマット情報は第１伝送タイミングを示すために使用される。
【０１４９】
具体的に、複数のＤＣＩ種類が無線インタフェースについて定められる。伝送タイミングは、ＵＬ＿ｇｒａｎｔ情報を伝達するＤＣＩ種類に関連付けられ、特定ＤＣＩ種類は特定伝送タイミングに対応する。
【０１５０】
例えば、ＤＣＩ０ａ、ＤＣＩ０ｂ、及びＤＣＩ０ｃは、それぞれ、伝送タイミング１、伝送タイミング２、及び伝送タイミング３に対応する。伝送タイミング１を使用することを決定すると、ネットワーク装置は、ＤＣＩ０ａを用いて端末装置へＵＬ＿ｇｒａｎｔ情報を送信し、ＤＣＩ０ａを受信した後に、端末装置はＮサブフレームの間隔でデータを送信する。伝送タイミング２を使用することを決定すると、ネットワーク装置は、ＤＣＩ０ｂを用いて端末装置へＵＬ＿ｇｒａｎｔ情報を送信し、ＤＣＩ０ｂを受信した後に、端末装置はＭサブフレームの間隔でデータを送信する。伝送タイミング３を使用することを決定すると、ネットワーク装置は、ＤＣＩ０ｃを用いて端末装置へＵＬ＿ｇｒａｎｔ情報を送信し、ＤＣＩ０ｃを受信した後に、端末装置はＫサブフレームの間隔でデータを送信する。
【０１５１】
任意で、ネットワーク装置は、第１ＵＬ＿ｇｒａｎｔ情報に対応する第１ダウンリンク制御情報ＤＣＩを端末装置へ送信する。ここで、第１ＤＣＩの中の特定情報ビットは第１伝送タイミングを示すために使用される。
【０１５２】
具体的に、第１ＵＬ＿ｇｒａｎｔ情報に対応する第１ＤＣＩメッセージの中の特定情報ビットは、伝送タイミングに関連付けるために使用される。
【０１５３】
例えば、１ビットの特定情報ビットがＤＣＩの中で送信される。０は伝送タイミング１を示し、１は伝送タイミング２を示す。ネットワーク装置が伝送タイミング１を使用することを決定すると、ＤＣＩの中の特定情報ビットは０を示し、ネットワーク装置はＵＬ＿ｇｒａｎｔ情報を端末装置へ送信する。ＤＣＩ  ＵＬ＿ｇｒａｎｔを受信した後に、端末装置は、特定情報ビットが０であると検出し、Ｎサブフレームの間隔でデータを送信する。ネットワーク装置が伝送タイミング２を使用することを決定すると、ＤＣＩの中の特定情報ビットは１を示し、ネットワーク装置はＵＬ＿ｇｒａｎｔ情報を端末装置へ送信する。ＤＣＩ  ＵＬ＿ｇｒａｎｔを受信した後に、端末装置は、特定情報ビットが１であると検出し、Ｍサブフレームの間隔でデータを送信する。
【０１５４】
任意で、ネットワーク装置は、第１ＵＬ＿ｇｒａｎｔ情報に対応する第１ダウンリンク制御情報ＤＣＩを端末装置へ送信する。ここで、第１ＤＣＩを伝達する無線インタフェースリソース位置は第１伝送タイミングを示すために使用される。
【０１５５】
具体的に、伝送タイミングは特定リソース位置にあるＤＣＩに関連付けられる。つまり、異なるリソース位置において端末装置により検出されたＤＣＩは、異なる伝送タイミングを有する。
【０１５６】
例えば、リソース１、リソース２、及びリソース３は、それぞれ、伝送タイミング１、伝送タイミング２、及び伝送タイミング３に対応する。伝送タイミング１を使用することを決定すると、ネットワーク装置は、リソース１でＤＣＩを送信し、ＵＬ＿ｇｒａｎｔ情報を端末装置に示し、ＤＣＩを受信した後に、端末装置はＮサブフレームの間隔でデータを送信する。伝送タイミング２を使用することを決定すると、ネットワーク装置は、リソース２でＤＣＩを送信し、ＵＬ＿ｇｒａｎｔ情報を端末装置に示し、ＤＣＩを受信した後に、端末装置はＭサブフレームの間隔でデータを送信する。伝送タイミング３を使用することを決定すると、ネットワーク装置は、リソース３でＤＣＩを送信し、ＵＬ＿ｇｒａｎｔ情報を端末装置に示し、ＤＣＩを受信した後に、端末装置はＫサブフレームの間隔でデータを送信する。
【０１５７】
任意で、リソースは、ＲＢの数、ＲＢ位置、ＣＣＥ／ＥＣＣＥ位置、又はコードリソースを含む。
【０１５８】
任意で、ネットワーク装置は、Ｌ３シグナリングを用いて、複数のＤＣＩリソースグループを端末装置に割り当てる。
【０１５９】
任意で、ネットワーク装置は、第１ＵＬ＿ｇｒａｎｔ情報に対応する第１ダウンリンク制御情報ＤＣＩを端末装置へ送信する。ここで、第１ＤＣＩをスクランブリングする第１無線ネットワーク一時識別子ＲＮＴＩは第１伝送タイミングを示すために使用される。
【０１６０】
具体的に、異なるＲＮＴＩは、ＤＣＩのチャネル符号化処理においてスクランブリングのために使用される。ネットワーク装置は、複数のＲＮＴＩを端末装置に割り当てる。各ＲＮＴＩは、相応して、関連する伝送タイミングのために使用される。
【０１６１】
例えば、ＲＮＴＩ-１、ＲＮＴＩ-２、及びＲＮＴＩ-３は、それぞれ、伝送タイミング１、伝送タイミング２、及び伝送タイミング３に対応する。伝送タイミング１を使用することを決定すると、ネットワーク装置は、ＲＮＴＩ-１を用いてＤＣＩをスクランブリングし、ＵＬ＿ｇｒａｎｔ情報を端末装置に示し、ＤＣＩを受信した後に、端末装置はＮサブフレームの間隔でデータを送信する。伝送タイミング２を使用することを決定すると、ネットワーク装置は、ＲＮＴＩ-２を用いてＤＣＩをスクランブリングし、ＵＬ＿ｇｒａｎｔ情報を端末装置に示し、ＤＣＩを受信した後に、端末装置はＭサブフレームの間隔でデータを送信する。伝送タイミング３を使用することを決定すると、ネットワーク装置は、ＲＮＴＩ-３を用いてＤＣＩをスクランブリングし、ＵＬ＿ｇｒａｎｔ情報を端末装置に示し、ＤＣＩを受信した後に、端末装置はＫサブフレームの間隔でデータを送信する。
【０１６２】
任意で、ネットワーク装置は、Ｌ３シグナリングを用いて、複数のＲＮＴＩを端末装置に割り当てる。
【０１６３】
したがって、本願で提供される情報伝送方法によると、第２指示情報は、端末装置の第１アップリンクサービスに対応する第１伝送タイミングを示すために使用されて、複数の伝送タイミングが無線インタフェース内に同時に存在可能なとき、サービスのＱｏＳが向上されるようにする。
【０１６４】
理解されるべきことに、ネットワーク装置は、ＤＣＩを端末装置に分配することにより第１伝送タイミングを暗に示してよく、又は、第１伝送タイミングを端末装置に直接示してよい。これは、本願において限定されない。
【０１６５】
３６０。端末装置は、第１伝送タイミングに基づき第１アップリンクサービスを送信する。
【０１６６】
具体的に、端末装置は、第１伝送タイミングに基づき、第１アップリンクサービスのアップリンクデータを、ＵＬ＿ｇｒａｎｔ情報の中で示された無線インタフェースリソースで送信する。
【０１６７】
したがって、本願で提供される情報伝送方法によると、第１指示情報は端末装置の第１アップリンクサービスに対応する第１ＵＬ＿ｇｒａｎｔタイミングをネットワーク装置に示すために使用され、第２指示情報は、端末装置の第１アップリンクサービスに対応する第１伝送タイミングを示すために使用されて、サービスのＱｏＳが向上されるようにする。
【０１６８】
本願明細書において用語「及び／又は」は、関連するオブジェクトを説明するための関連付け関係を記載するだけであり、３つの関係が存在し得ることを表す。例えば、Ａ及び／又はＢは、以下の３つの場合を表すことがある。Ａのみが存在する、ＡとＢの両方が存在する、並びに、Ｂのみが存在する。さらに、本願明細書中の記号「／」は、概して、関連するオブジェクト間の「又は」の関係を示す。
【０１６９】
実装過程で、前述の方法のステップは、プロセッサ内のハードウェア集積論理回路を用いて、又はソフトウェア形式の命令を用いて実施されてよい。前述の方法のステップは、代替として、ハードウェアプロセッサにより直接実施されてよく、又はプロセッサ内のハードウェアとソフトウェアモジュールとの組み合わせを用いて実施されてよい。ソフトウェアモジュールは、ランダムアクセスメモリ、フラッシュメモリ、読み出し専用メモリ、プログラマブル読み出し専用メモリ、電気的消去可能プログラマブルメモリ、又はレジスタのような、当分野で成熟した記憶媒体の中に配置されてよい。記憶媒体はメモリ内に配置され、プロセッサはメモリ内の命令を実行し、プロセッサ内のハードウェアと組み合わせて、前述の方法のステップを達成する。繰り返しを回避するために、詳細はここに記載されない。
【０１７０】
図５は、本発明の一実施形態によるネットワーク装置５００の概略ブロック図である。図５に示されるように、ネットワーク装置５００は以下を含む：
複数のハイブリッド自動再送要求ＨＡＲＱタイミングから、端末装置の第１サービスに対応する第１ＨＡＲＱタイミングを決定するよう構成される決定ユニット５１０、及び、
端末装置へ指示情報を送信するよう構成される送信ユニット５２０であって、指示情報は第１ＨＡＲＱタイミングを示すために使用される、送信ユニット５２０。
【０１７１】
任意で、送信ユニット５２０は、具体的に、
第１サービスに対応する第１ダウンリンク制御情報ＤＣＩを端末装置へ送信するよう構成され、第１ＤＣＩの種類は第１ＨＡＲＱタイミングを示すために使用される、又は、第１ＤＣＩの中の特定情報ビットが、第１ＨＡＲＱタイミングを示すために使用される、又は、第１ＤＣＩを伝達する無線インタフェースリソース位置が、第１ＨＡＲＱタイミングを示すために使用される、又は、第１ＤＣＩをスクランブリングする第１無線ネットワーク一時識別子ＲＮＴＩが、第１ＨＡＲＱタイミングを示すために使用される。
【０１７２】
任意で、決定ユニット５１０が複数のハイブリッド自動再送要求ＨＡＲＱタイミングから、端末装置の第１サービスに対応する第１ＨＡＲＱタイミングを決定する前に、送信ユニット５２０は、
ＨＡＲＱタイミングとリソースとの間のマッピング関係に関する情報を端末装置へ送信するよう更に構成され、マッピング関係情報は、複数のＨＡＲＱタイミング及び複数のＨＡＲＱタイミングの各々に対応するリソースを含む。
【０１７３】
任意で、送信ユニット５２０は、具体的に、
Ｌ３シグナリングを端末装置へ送信するよう構成され、Ｌ３シグナリングは、マッピング関係情報を伝達する。
【０１７４】
任意で、第１ＨＡＲＱタイミングは第１ダウンリンクＨＡＲＱタイミングであり、決定ユニット５１０は、具体的に、第１ダウンリンクＨＡＲＱタイミング及びマッピング関係情報に基づき、第１ダウンリンクＨＡＲＱタイミングに対応する第１リソースを決定するよう構成される。ネットワーク装置５００は、第１ダウンリンクＨＡＲＱタイミングに基づき第１リソースで、端末装置により送信され且つ第１サービスに対応する第１ダウンリンクＨＡＲＱフィードバック情報を受信するよう構成される受信ユニット、を更に含む。
【０１７５】
任意で、第１ＨＡＲＱタイミングは第１アップリンクＨＡＲＱタイミングであり、決定ユニット５１０は、具体的に、第１アップリンクＨＡＲＱタイミング及びマッピング関係情報に基づき、第１アップリンクＨＡＲＱタイミングに対応する第１リソースを決定するよう構成される。送信ユニット５２０は、具体的に、第１アップリンクＨＡＲＱタイミングに基づき第１リソースで、第１サービスに対応する第１アップリンクＨＡＲＱフィードバック情報を端末装置へ送信するよう構成される。
【０１７６】
任意で、第１リソースは、リソースブロックＲＢ位置、ＲＢの数、コードワード情報、及びシーケンス番号のうちの少なくとも１つを含む。
【０１７７】
任意で、マッピング関係情報は、以下の対応を含む：複数のダウンリンクＨＡＲＱタイミング及び複数のダウンリンクＨＡＲＱタイミングの各々に対応する物理アップリンク制御チャネルＰＵＣＣＨリソース、複数のダウンリンクＨＡＲＱタイミング及び前記複数のダウンリンクＨＡＲＱタイミングの各々に対応する物理アップリンク共有チャネルＰＵＳＣＨリソース、並びに、複数のアップリンクＨＡＲＱタイミング及び前記複数のアップリンクＨＡＲＱタイミングの各々に対応する物理ハイブリッド自動再送要求指示チャネルＰＨＩＣＨリソース。
【０１７８】
理解されるべきことに、本発明の本実施形態におけるネットワーク装置５００は、本発明の方法の実施形態におけるネットワーク装置に対応してよく、ネットワーク装置５００内の各モジュール及び他のモジュールの動作及び／又は機能は、方法２００の対応する手順を実施するために別個に使用される。簡潔さのために、詳細事項はここで再び記載されない。
【０１７９】
図６は、本発明の別の実施形態によるネットワーク装置６００の概略ブロック図である。図６に示されるように、ネットワーク装置６００は、
プロセッサ６１０と、トランシーバ６２０と、メモリ６３０と、を含み、プロセッサ６１０、トランシーバ６２０、及びメモリ６３０は、バスシステムを用いて接続され、メモリ６３０は命令を格納するよう構成され、プロセッサ６１０は、メモリ６３０に格納された命令を実行して、信号を受信又は送信するようトランシーバ６２０を制御するよう構成される。
【０１８０】
プロセッサ６１０は、複数のハイブリッド自動再送要求ＨＡＲＱタイミングから、端末装置の第１サービスに対応する第１ＨＡＲＱタイミングを決定するよう構成される。
【０１８１】
トランシーバ６２０は、端末装置へ指示情報を送信するよう構成され、指示情報は、第１ＨＡＲＱタイミングを示すために使用される。
【０１８２】
任意で、プロセッサ６１０が複数のハイブリッド自動再送要求ＨＡＲＱタイミングから、端末装置の第１サービスに対応する第１ＨＡＲＱタイミングを決定する前に、トランシーバ６２０は、ＨＡＲＱタイミングとリソースとの間のマッピング関係に関する情報を端末装置へ送信するよう更に構成され、マッピング関係情報は、複数のＨＡＲＱタイミング及び複数のＨＡＲＱタイミングの各々に対応するリソースを含む。
【０１８３】
理解されるべきことに、本発明の本実施形態におけるネットワーク装置６００は、本発明の方法の実施形態におけるネットワーク装置に対応してよく、又はネットワーク装置５００内の各モジュールの動作及び／又は機能に対応してよい。簡潔さのために、詳細事項はここで再び記載されない。
【０１８４】
図７は、本発明の一実施形態による端末装置７００の概略ブロック図である。図７に示すように、端末装置７００は、
ネットワーク装置により送信された指示情報を受信するよう構成される受信ユニット７１０であって、指示情報は、複数のハイブリッド自動再送要求ＨＡＲＱタイミングの中で、端末装置の第１サービスに対応する第１ＨＡＲＱタイミングを示すために使用される、受信ユニット７１０と、
第１ＨＡＲＱタイミングに基づき、第１サービスに対応するＨＡＲＱフィードバック情報を受信し又は送信するよう構成される伝送ユニット７２０と、を含む。
【０１８５】
任意で、受信ユニット７１０は、具体的に、
ネットワーク装置により送信され且つ第１サービスに対応する第１ダウンリンク制御情報ＤＣＩを受信するよう構成され、
第１ＤＣＩの種類は第１ＨＡＲＱタイミングを示すために使用される、又は、第１ＤＣＩの中の特定情報ビットが、第１ＨＡＲＱタイミングを示すために使用される、又は、第１ＤＣＩを伝達する無線インタフェースリソース位置が、第１ＨＡＲＱタイミングを示すために使用される、又は、第１ＤＣＩをスクランブリングする第１無線ネットワーク一時識別子ＲＮＴＩが、第１ＨＡＲＱタイミングを示すために使用される。
【０１８６】
任意で、受信ユニット７１０がネットワーク装置により送信された指示情報を受信する前に、受信ユニット７１０は、
ＨＡＲＱタイミングとリソースとの間のマッピング関係に関し且つネットワーク装置により送信された情報を受信するよう更に構成され、マッピング関係の情報は、複数のＨＡＲＱタイミング及び複数のＨＡＲＱタイミングの各々に対応するリソースを含む。
【０１８７】
任意で、伝送ユニット７２０は、具体的に、
ネットワーク装置により、Ｌ３シグナリングを端末装置へ送信するよう構成され、Ｌ３シグナリングは、マッピング関係情報を伝達する。
【０１８８】
任意で、第１ＨＡＲＱタイミングは第１ダウンリンクＨＡＲＱタイミングであり、伝送ユニット７２０は、具体的に、
第１ダウンリンクＨＡＲＱタイミング及びマッピング関係情報に基づき、第１ダウンリンクＨＡＲＱタイミングに対応する第１リソースを決定し、第１ダウンリンクＨＡＲＱタイミングに基づき第１リソースで、第１サービスに対応する第１ダウンリンクＨＡＲＱフィードバック情報をネットワーク装置へ送信するよう構成される。
【０１８９】
任意で、第１ＨＡＲＱタイミングは第１アップリンクＨＡＲＱタイミングであり、伝送ユニット７２０は、具体的に、
第１アップリンクＨＡＲＱタイミング及びマッピング関係情報に基づき、第１アップリンクＨＡＲＱタイミングに対応する第１リソースを決定し、第１アップリンクＨＡＲＱタイミングに基づき第１リソースで、ネットワーク装置により送信され且つ第１サービスに対応する第１アップリンクＨＡＲＱフィードバック情報を受信するよう構成される。
【０１９０】
任意で、第１リソースは、リソースブロックＲＢ位置、ＲＢの数、コードワード情報、及びシーケンス番号のうちの少なくとも１つを含む。
【０１９１】
任意で、マッピング関係情報は、以下の対応を含む：複数のダウンリンクＨＡＲＱタイミング及び複数のダウンリンクＨＡＲＱタイミングの各々に対応する物理アップリンク制御チャネルＰＵＣＣＨリソース、複数のダウンリンクＨＡＲＱタイミング及び前記複数のダウンリンクＨＡＲＱタイミングの各々に対応する物理アップリンク共有チャネルＰＵＳＣＨリソース、並びに、複数のアップリンクＨＡＲＱタイミング及び前記複数のアップリンクＨＡＲＱタイミングの各々に対応する物理ハイブリッド自動再送要求指示チャネルＰＨＩＣＨリソース。
【０１９２】
理解されるべきことに、本発明の本実施形態における端末装置７００は、本発明の方法の実施形態における端末装置に対応してよく、端末装置７００内の各モジュール及び他のモジュールの動作及び／又は機能は、方法２００の対応する手順を実施するために別個に使用される。簡潔さのために、詳細はここで再び記載されない。
【０１９３】
図８は、本発明の別の実施形態による端末装置８００の概略ブロック図である。図８に示されるように、端末装置８００は、
プロセッサ８１０と、トランシーバ８２０と、メモリ８３０と、を含み、プロセッサ８１０、トランシーバ８２０、及びメモリ８３０は、バスシステムを用いて接続され、メモリ８３０は命令を格納するよう構成され、プロセッサ８１０は、メモリ８３０に格納された命令を実行して、信号を受信又は送信するようトランシーバ８２０を制御するよう構成される。
【０１９４】
トランシーバ８２０は、具体的に、ネットワーク装置により送信された指示情報を受信し、指示情報は、複数のハイブリッド自動再送要求ＨＡＲＱタイミングの中で、端末装置の第１サービスに対応する第１ＨＡＲＱタイミングを示すために使用され、第１ＨＡＲＱタイミングに基づき、第１サービスに対応するＨＡＲＱフィードバック情報を受信又は送信する、よう構成される。
【０１９５】
任意で、トランシーバ８２０がネットワーク装置により送信された指示情報を受信するよう構成される前に、トランシーバ８２０は、ＨＡＲＱタイミングとリソースとの間のマッピング関係に関し且つネットワーク装置により送信された情報を受信するよう更に構成され、マッピング関係情報は、複数のＨＡＲＱタイミング及び複数のＨＡＲＱタイミングの各々に対応するリソースを含む。
【０１９６】
理解されるべきことに、本発明の本実施形態における端末装置８００は、本発明の方法の実施形態における端末装置に対応してよく、又は端末装置７００内の各モジュールの動作及び／又は機能に対応してよい。簡潔さのために、詳細はここで再び記載されない。
【０１９７】
図９は、本発明の別の実施形態による端末装置９００の概略ブロック図である。図９に示されるように、端末装置９００は、
複数のアップリンク許可ＵＬ＿ｇｒａｎｔタイミングから、端末装置の第１アップリンクサービスに対応する第１ＵＬ＿ｇｒａｎｔタイミングを決定するよう構成される決定ユニット９１０と、
ネットワーク装置へ第１指示情報を送信するよう構成される送信ユニット９２０であって、第１指示情報は第１ＵＬ＿ｇｒａｎｔタイミングを示すために使用される、送信ユニット９２０と、を含む。
【０１９８】
任意で、送信ユニット９２０は、具体的に、
第１アップリンクサービスに対応する第１アップリンクスケジューリング要求ＳＲ及び／又は第１アップリンクサービスに対応する第１バッファ状態情報ＢＳＲをネットワーク装置へ送信するよう構成され、第１ＳＲの種類及び／又は第１ＢＳＲの種類は、第１ＵＬ＿ｇｒａｎｔタイミングを示すために使用される、又は、第１ＳＲ及び／又は第１ＢＳＲを伝達する無線インタフェースリソース位置は、第１ＵＬ＿ｇｒａｎｔタイミングを示すために使用される。
【０１９９】
任意で、端末装置は、
ネットワーク装置により送信された第２指示情報を受信するよう構成される受信ユニット９３０であって、第２指示情報は複数の伝送タイミングの中で第１アップリンクサービスに対応する第１伝送タイミングを示すために使用される、受信ユニット９３０、を更に含む。
【０２００】
送信ユニット９２０は、題１伝送タイミングに基づき、第１アップリンクサービスをネットワーク装置へ送信するよう更に構成される。
【０２０１】
任意で、受信ユニット９３０は、具体的に、
ネットワーク装置により送信された第１ダウンリンク制御情報ＤＣＩを受信するよう構成され、第１ＤＣＩは第１ＵＬ＿ｇｒａｎｔ情報を含み、第１ＤＣＩのフォーマット情報は第１伝送タイミングを示すために使用される、又は、第１ＤＣＩの中の特定情報ビットが、第１伝送タイミングを示すために使用される、又は、第１ＤＣＩを伝達する無線インタフェースリソース位置が、第１伝送タイミングを示すために使用される、又は、第１ＤＣＩをスクランブリングする第１無線ネットワーク一時識別子ＲＮＴＩが、第１伝送タイミングを示すために使用される。
【０２０２】
理解されるべきことに、本発明の本実施形態における端末装置９００は、本発明の方法の実施形態における端末装置に対応してよく、端末装置９００内の各モジュール及び他のモジュールの動作及び／又は機能は、方法３００の対応する手順を実施するために別個に使用される。簡潔さのために、詳細はここで再び記載されない。
【０２０３】
図１０は、本発明の別の実施形態による端末装置１０００の概略ブロック図である。図１０に示されるように、端末装置１０００は、
プロセッサ１０１０と、トランシーバ１０２０と、メモリ１０３０と、を含み、プロセッサ１０１０、トランシーバ１０２０、及びメモリ１０３０は、バスシメモリ１０３０に格納された命令を実行して、信号を受信又は送信するようトランシーバ１０２０を制御するよう構成される。
【０２０４】
プロセッサ１０１０は、具体的に、複数のアップリンク許可ＵＬ＿ｇｒａｎｔタイミングから、端末装置の第１アップリンクサービスに対応する第１ＵＬ＿ｇｒａｎｔタイミングを決定するよう構成される。
【０２０５】
トランシーバ１０２０は、具体的に、第１指示情報をネットワーク装置へ送信するよう構成され、第１指示情報は第１ＵＬ＿ｇｒａｎｔタイミングを示すために使用される。
【０２０６】
任意で、トランシーバ１０２０は、ネットワーク装置により送信された第２指示情報を受信し、第２指示情報は、複数の伝送タイミングの中で第１アップリンクサービスに対応する第１伝送タイミングを示すために使用され、第１伝送タイミングに基づき、第１アップリンクサービスをネットワーク装置へ送信するよう更に構成される。
【０２０７】
理解されるべきことに、本発明の本実施形態における端末装置１０００は、本発明の方法の実施形態における端末装置に対応してよく、又は端末装置９００内の各モジュールの動作及び／又は機能に対応してよい。簡潔さのために、詳細はここで再び記載されない。
【０２０８】
図１１は、本発明の別の実施形態によるネットワーク装置１１００の概略ブロック図である。図１１に示されるように、ネットワーク装置１１００は、
端末装置により送信された第１指示情報を受信するよう構成される受信ユニット１１１０であって、第１指示情報は、複数のアップリンク許可ＵＬ＿ｇｒａｎｔタイミングの中で、端末装置の第１アップリンクサービスに対応する第１ＵＬ＿ｇｒａｎｔタイミングを示すために使用される、受信ユニット１１１０と、
第１ＵＬ＿ｇｒａｎｔタイミングに基づき、第１アップリンクサービスに対応する第１ＵＬ＿ｇｒａｎｔ情報を送信するよう構成される送信ユニット１１２０と、を含む。
【０２０９】
任意で、受信ユニット１１１０は、具体的に、
第１アップリンクサービスに対応する第１アップリンクスケジューリング要求ＳＲ及び／又は第１アップリンクサービスに対応する第１バッファ状態情報ＢＳＲを受信するよう構成され、第１ＳＲ及び第１ＢＳＲは端末装置により送信され、第１ＳＲの種類及び第１ＢＳＲの種類は第１ＵＬ＿ｇｒａｎｔタイミングを示すために使用される、又は、第１ＳＲ及び第１ＢＳＲを伝達する無線インタフェースリソース位置は、第１ＵＬ＿ｇｒａｎｔタイミングを示すために使用される。
【０２１０】
任意で、ネットワーク装置１１００は、複数の伝送タイミングから、第１アップリンクサービスに対応する第１伝送タイミングを決定するよう構成される決定ユニット１１３０を更に含む。
【０２１１】
送信ユニット１１２０は、端末装置へ第２指示情報を送信するよう更に構成され、第２指示情報は、第１伝送タイミングを示すために使用される。
【０２１２】
任意で、送信ユニット１１２０は、具体的に、
端末装置へ第１ダウンリンク制御情報ＤＣＩを送信するよう構成され、第１ＤＣＩは第１ＵＬ＿ｇｒａｎｔ情報を含み、第１ＤＣＩのフォーマット情報は第１伝送タイミングを示すために使用される、又は、第１ＤＣＩの中の特定情報ビットが、第１伝送タイミングを示すために使用される、又は、第１ＤＣＩを伝達する無線インタフェースリソース位置が、第１伝送タイミングを示すために使用される、又は、第１ＤＣＩをスクランブリングする第１無線ネットワーク一時識別子ＲＮＴＩが、第１伝送タイミングを示すために使用される。
【０２１３】
理解されるべきことに、本発明の本実施形態におけるネットワーク装置１１００は、本発明の方法の実施形態におけるネットワーク装置に対応してよく、ネットワーク装置１１００内の各モジュール及び他のモジュールの動作及び／又は機能は、方法３００の対応する手順を実施するために別個に使用される。簡潔さのために、詳細はここで再び記載されない。
【０２１４】
図１２は、本発明の別の実施形態によるネットワーク装置１２００の概略ブロック図である。図２に示されるように、ネットワーク装置１２００は、
プロセッサ１２１０と、トランシーバ１２２０と、メモリ１２３０と、を含み、プロセッサ１２１０、トランシーバ１２２０、及びメモリ１２３０は、バスシステムを用いて接続され、メモリ１２３０は命令を格納するよう構成され、プロセッサ１２１０は、メモリ１２３０に格納された命令を実行して、信号を受信又は送信するようトランシーバ１２２０を制御するよう構成される。
【０２１５】
トランシーバ１２２０は、端末装置により送信された第１指示情報を受信し、第１指示情報は、複数のアップリンク許可ＵＬ＿ｇｒａｎｔタイミングの中で、端末装置の第１アップリンクサービスに対応する第１ＵＬ＿ｇｒａｎｔタイミングを示すために使用され、第１ＵＬ＿ｇｒａｎｔタイミングに基づき、第１アップリンクサービスに対応する第１ＵＬ＿ｇｒａｎｔ情報を送信するよう構成される。
【０２１６】
任意で、プロセッサ１２１０は、複数の伝送タイミングから、第１アップリンクサービスに対応する第１伝送タイミングを決定するよう構成される。
【０２１７】
任意で、トランシーバ１２２０は、端末装置へ第２指示情報を送信するよう構成され、第２指示情報は、第１伝送タイミングを示すために使用される。
【０２１８】
理解されるべきことに、本発明の本実施形態におけるネットワーク装置１２００は、本発明の方法の実施形態におけるネットワーク装置に対応してよく、又はネットワーク装置１１００内の各モジュールの動作及び／又は機能に対応してよい。簡潔さのために、詳細はここで再び記載されない。
【０２１９】
当業者は、本願明細書に開示の実施形態で記載された方法と組み合わせて、方法のステップ及びユニットが、電子ハードウェア、コンピュータソフトウェア、又はそれらの組み合わせにより実施され得ることを認識できる。ハードウェアとソフトウェアとの間の同義性を明確に記載するために、以上は、機能に基づき実施形態の組み合わせ及びステップを一般的に記載した。機能がハードウェア又はソフトウェアにより実行されるかは、技術的ソリューションの特定の適用及び設計制約に依存する。当業者は、各々の特定の適用について記載の機能を実施するために異なる方法を使用できるが、実装が本発明の範囲を超えると考えられるべきではない。
【０２２０】
便宜上及び簡潔な説明のために、前述のシステム、機器、及びユニットの詳細な動作処理については、前述の方法の実施形態における対応する処理を参照して良く、詳細事項はここで再び記載されないことが、当業者により明らかに理解され得る。
【０２２１】
本願において提供される幾つかの実施形態では、開示のシステム、機器、及び方法は他の方法で実装されて良いことが理解されるべきである。例えば、記載した機器の実施形態は単なる一例である。例えば、ユニットの分割は、単なる論理的機能の分割であり、実際の実装では他の分割であってよい。例えば、複数のユニット又はコンポーネントは、別のシステムに結合又は統合されてよい。或いは、幾つかの機能は無視されるか又は実行されなくてよい。さらに、表示した又は議論した相互結合又は直接結合又は通信接続は、幾つかのインタフェースを使用することにより実装されてよい。機器又はユニット間の間接結合又は通信接続は、電気的、機械的又は他の形式で実装されてよい。
【０２２２】
別個の部分として記載されたユニットは、物理的に別個であってよく又はそうでなくてよい。また、ユニットとして表示された部分は、物理的なユニットであってよく又はそうでなくてよく、１カ所に置かれてよく或いは複数のネットワークユニットに分散されてよい。一部又は全部のユニットは、本発明の実施形態のソリューションの目的を達成するために実際の必要に応じて選択されて良い。
【０２２３】
さらに、本願の実施形態における機能ユニットは、１つの処理ユニットに統合されてよく、或いは各ユニットが物理的に単独で存在してよく、或いは２以上のユニットが１つのユニットに統合されてよい。統合ユニットは、ハードウェアの形式で実装されてよく、又はソフトウェア機能ユニットの形式で実装されてよい。
【０２２４】
統合ユニットがソフトウェア機能ユニットの形式で実装され、独立した製品として販売され又は使用されるとき、統合ユニットは、コンピュータ可読記憶媒体に格納されてよい。このような理解に基づき、本願の基本的技術的ソリューション、又は従来技術に貢献する部分、又は技術的ソリューションの全部若しくは一部は、ソフトウェアプロダクトの形式で実施されてよい。コンピュータソフトウェアプロダクトは、記憶媒体に格納され、コンピュータ装置（パーソナルコンピュータ、サーバ、ネットワーク装置、等であってよい）に、本願の実施形態で記載された方法のステップの全部又は一部を実行するよう指示する複数の命令を含む。前述の記憶媒体は、ＵＳＢフラッシュディスク、取り外し可能ハードディスク、読み出し専用メモリ（Read-Only  Memory、略称：ROM）、ランダムアクセスメモリ（Random  Access  Memory、略称：RAM）、磁気ディスク又は光ディスクのような、プログラムコードを格納可能な任意の媒体を含む。
【０２２５】
上述の説明は、本願の単なる特定の実装であり、本願の保護範囲を制限するものではない。本願に開示された技術範囲内にある、当業者により直ちに考案される任意の変形又は置換は、本願の保護範囲に包含されるべきである。したがって、本願の保護範囲は、請求項の保護範囲に従べきである。
【図１】
2019536346.tif 000003
【図２】
2019536346.tif 000004
【図３】
2019536346.tif 000005
【図４】
2019536346.tif 000006
【図５】
2019536346.tif 000007
【図６】
2019536346.tif 000008
【図７】
2019536346.tif 000009
【図８】
2019536346.tif 000010
【図９】
2019536346.tif 000011
【図１０】
2019536346.tif 000012
【図１１】
2019536346.tif 000013
【図１２】
2019536346.tif 000014
【手続補正書】
【提出日】令和1年5月27日(2019.5.27)
【手続補正１】
【補正対象書類名】明細書
【補正対象項目名】全文
【補正方法】変更
【補正の内容】
【発明の詳細な説明】
【技術分野】
【０００１】
本発明の実施形態は、通信分野に関し、より具体的に情報を伝送する方法及び機器に関する。
【背景技術】
【０００２】
ハイブリッド自動再送要求（Hybrid  Automatic  Repeat  Request、略称：ＨＡＲＱ）は、前方誤り訂正（Forward  Error  Correction、略称：ＦＥＣ）符号化が自動再送要求（Automatic  Repeat  Request、略称：ＨＡＲＱ）方法と結合される技術である。ＦＥＣは、伝送処理においてデータ誤りを訂正するために使用され得る。具体的に言うと、誤りがＦＥＣの誤り訂正範囲内に含まれるとき、ＦＥＣは誤り訂正を実行するために使用される。誤りがＦＥＣの誤り訂正範囲を超えている場合には、最小が要求される必要がある。
【０００３】
３Ｇ／４Ｇ通信システムでは、ＨＡＲＱ技術は、無線インタフェースアップリンク及びダウンリンク送信のために使用される。図１は、アップリンク及びダウンリンクデータ伝送におけるＨＡＲＱフィードバックを概略的に示す。図１に示すように、送信端は時点ｔ０でデータを送信し、受信端は受信データを検出する。受信端は、肯定応答（Acknowledgment、略称：ＡＣＫ）／否定応答（Negative  Acknowledgment、略称：ＮＡＣＫ）を、時点ｔ１で送信端にフィードバックし、送信端はフィードバック情報を受信する。送信端がＮＡＣＫ情報を受信した場合、送信端は時点ｔ２でデータパケットを再送する。時点ｔ０及び時点ｔ１の間のタイミング（timing）関係は、ＨＡＲＱタイミングとして参照される。
【０００４】
国際電気通信連合（International  Telecommunication  Union、略称：ＩＴＵ）は、５Ｇを見越して３種類のサービスを及びその要件：拡張モバイルブロードバンド（Enhanced  Mobile  Broadband、略称ｅＭＢＢ）サービス、超高信頼且つ低遅延機械型通信（Ultra-reliable  and  low  latency  Machine  Type  Communication、略称：ｕＭＴＣ）サービス、及び大容量機械型通信（Massive  Machine  Type  Communication、略称：ｍＭＴＣ）サービスを定めている。各サービスのＱｏＳ要件は異なるので、各サービスは異なるＨＡＲＱタイミングを要求する。
【０００５】
しかしながら、既存のＨＡＲＱソリューションでは、端末装置が複数の異なるサービスを有するとき、同じＨＡＲＱタイミングのみが使用でき、したがって、サービスのサービス品質（Quality  of  Service、略称：ＱｏＳ）要件を満たすことができない。
【発明の概要】
【０００６】
本発明の実施形態は、サービスのＱｏＳを向上するために、情報を伝送する方法、ネットワーク装置、及び端末装置を提供する。
【０００７】
第１の態様によると、情報伝送方法が提供される。当該方法は、ネットワーク装置により、複数のハイブリッド自動再送要求ＨＡＲＱタイミングから、端末装置の第１サービスに対応する第１ＨＡＲＱタイミングを決定するステップと、前記ネットワーク装置により、前記端末装置へ指示情報を送信するステップであって、前記指示情報は前記第１ＨＡＲＱタイミングを示すために使用される、ステップと、を含む。
【０００８】
本発明の本実施形態では、ネットワーク装置は、指示情報を用いて、端末装置に、第１サービスに対応する第１ＨＡＲＱタイミングを通知でき、ネットワーク装置が複数のサービスを使用するときに、異なるＨＡＲＱタイミングが異なるサービスのために使用できるようにし、サービスのＱｏＳを向上する。
【０００９】
可能な設計では、前記ネットワーク装置により、前記端末装置へ指示情報を送信する前記ステップは、前記ネットワーク装置により、前記第１サービスに対応する第１ダウンリンク制御情報ＤＣＩを前記端末装置へ送信するステップであって、前記第１ＤＣＩの種類は前記第１ＨＡＲＱタイミングを示すために使用される、又は、前記第１ＤＣＩの中の特定情報ビットが、前記第１ＨＡＲＱタイミングを示すために使用される、又は、前記第１ＤＣＩを伝達する無線インタフェースリソース位置が、前記第１ＨＡＲＱタイミングを示すために使用される、又は、前記第１ＤＣＩをスクランブリングする第１無線ネットワーク一時識別子ＲＮＴＩが、前記第１ＨＡＲＱタイミングを示すために使用される、ステップを含む。
【００１０】
可能な設計では、ネットワーク装置により、複数のハイブリッド自動再送要求ＨＡＲＱタイミングから、端末装置の第１サービスに対応する第１ＨＡＲＱタイミングを決定する前記ステップの前に、前記方法は、前記ネットワーク装置により、ＨＡＲＱタイミングとリソースとの間のマッピング関係に関する情報を前記端末装置へ送信するステップであって、前記マッピング関係の情報は、前記複数のＨＡＲＱタイミング及び前記複数のＨＡＲＱタイミングの各々に対応するリソースを含む、ステップ、を更に含む。
【００１１】
可能な設計では、前記第１ＨＡＲＱタイミングは第１ダウンリンクＨＡＲＱタイミングであり、前記方法は、前記ネットワーク装置により、前記第１ダウンリンクＨＡＲＱタイミング及び前記マッピング関係の情報に基づき、前記第１ダウンリンクＨＡＲＱタイミングに対応する第１リソースを決定するステップと、前記ネットワーク装置により、前記第１ダウンリンクＨＡＲＱタイミングに基づく前記第１リソースで、前記端末装置により送信され且つ前記第１サービスに対応する第１ダウンリンクＨＡＲＱフィードバック情報を受信するステップと、を更に含む。
【００１２】
本発明の本実施形態では、ネットワーク装置は、第１ダウンリンクＨＡＲＱフィードバック情報を第１ダウンリンクＨＡＲＱタイミングに対応する第１リソースで受信して、各ダウンリンクＨＡＲＱフィードバック情報片に対応するダウンリンクＨＡＲＱタイミングを区別し、それによりサービスのＱｏＳを向上する。
【００１３】
可能な設計では、前記第１ＨＡＲＱタイミングは第１アップリンクＨＡＲＱタイミングであり、前記方法は、前記ネットワーク装置により、前記第１アップリンクＨＡＲＱタイミング及び前記マッピング関係の情報に基づき、前記第１アップリンクＨＡＲＱタイミングに対応する第１リソースを決定するステップと、前記ネットワーク装置により、前記第１アップリンクＨＡＲＱタイミングに基づく前記第１リソースで、前記端末装置へ前記第１サービスに対応する第１アップリンクＨＡＲＱフィードバック情報を送信するステップと、を更に含む。
【００１４】
可能な設計では、第１リソースは、リソースブロックＲＢ位置、ＲＢの数、コードワード情報、及びシーケンス番号のうちの少なくとも１つを含む。
【００１５】
可能な設計では、マッピング関係情報は、以下の対応を含む：複数のダウンリンクＨＡＲＱタイミング及び複数のダウンリンクＨＡＲＱタイミングの各々に対応する物理アップリンク制御チャネルＰＵＣＣＨリソース、複数のダウンリンクＨＡＲＱタイミング及び前記複数のダウンリンクＨＡＲＱタイミングの各々に対応する物理アップリンク共有チャネルＰＵＳＣＨリソース、並びに、複数のアップリンクＨＡＲＱタイミング及び前記複数のアップリンクＨＡＲＱタイミングの各々に対応する物理ハイブリッド自動再送要求指示チャネルＰＨＩＣＨリソース。
【００１６】
幾つかの可能な設計では、前記ネットワーク装置により、ＨＡＲＱタイミングとリソースとの間のマッピング関係に関する情報を前記端末装置へ送信する前記ステップは、前記ネットワーク装置により、Ｌ３シグナリングを前記端末装置へ送信するステップであって、前記Ｌ３シグナリングは前記マッピング関係情報を伝達する、ステップを含む。
【００１７】
第２の態様によると、ネットワーク装置が提供され、前記ネットワーク装置は、前述のネットワーク装置に基づく情報伝送方法を実行するモジュールを含む。同じ新規な概念に基づき、ネットワーク装置の問題解決原理は、前述の態様における方法の設計のソリューションに対応する。さらに、ネットワーク装置の実装については、方法の実装を参照する。説明は繰り返し提供されない。
【００１８】
第３の態様によると、ネットワーク装置が提供され、前記ネットワーク装置は、トランシーバ、メモリ、及びプロセッサを含む。前記トランシーバ、前記メモリ、及び前記プロセッサは、システムバスを用いて接続され、前記メモリは命令を格納するよう構成され、前記プロセッサは前記メモリに格納された前記命令を実行するよう構成され、前記プログラムが実行されると、前記プロセッサは、前述のネットワーク装置に基づく情報伝送方法を実行するよう構成される。
【００１９】
第４の態様によると、情報伝送方法が提供される。前記方法は、端末装置により、ネットワーク装置により送信された指示情報を受信するステップであって、前記指示情報は、複数のハイブリッド自動再送要求ＨＡＲＱタイミングの中で、前記端末装置の第１サービスに対応する第１ＨＡＲＱタイミングを示すために使用される、ステップと、前記端末装置により、前記第１ＨＡＲＱタイミングに基づき、前記第１サービスに対応するＨＡＲＱフィードバック情報を受信し及び送信するステップと、を含む。
【００２０】
本発明の本実施形態では、前記端末装置は、前記ネットワーク装置により送信された指示情報を用いて、第１サービスに対応する第１ＨＡＲＱタイミングを決定でき、前記端末装置が複数のサービスを使用するときに、異なるＨＡＲＱタイミングが異なるサービスのために使用できるようにし、サービスのＱｏＳを向上する。
【００２１】
可能な設計では、端末装置により、ネットワーク装置により送信された指示情報を受信する前記ステップは、前記端末装置により、前記ネットワーク装置により送信され且つ前記第１サービスに対応する第１ダウンリンク制御情報ＤＣＩを受信するステップであって、前記第１ＤＣＩの種類は前記第１ＨＡＲＱタイミングを示すために使用される、又は、前記第１ＤＣＩの中の特定情報ビットが、前記第１ＨＡＲＱタイミングを示すために使用される、又は、前記第１ＤＣＩを伝達する無線インタフェースリソース位置が、前記第１ＨＡＲＱタイミングを示すために使用される、又は、前記第１ＤＣＩをスクランブリングする第１無線ネットワーク一時識別子ＲＮＴＩが、前記第１ＨＡＲＱタイミングを示すために使用される、ステップを含む。
【００２２】
可能な設計では、端末装置により、ネットワーク装置により送信された指示情報を受信する前記ステップの前に、前記方法は、前記端末装置により、ＨＡＲＱタイミングとリソースとの間のマッピング関係に関し且つ前記ネットワーク装置により送信された情報を受信するステップであって、前記マッピング関係の情報は、複数のＨＡＲＱタイミング及び前記複数のＨＡＲＱタイミングの各々に対応するリソースを含む、ステップ、を更に含む。
【００２３】
可能な設計では、前記第１ＨＡＲＱタイミングは第１ダウンリンクＨＡＲＱタイミングであり、前記端末装置により、前記第１ＨＡＲＱタイミングに基づき、前記第１サービスに対応する第１ＨＡＲＱフィードバック情報を受信及び送信する前記ステップは、前記端末装置により、前記第１ダウンリンクＨＡＲＱタイミング及び前記マッピング関係情報に基づき、前記第１ダウンリンクＨＡＲＱタイミングに対応する第１リソースを決定するステップと、前記端末装置により、前記第１ダウンリンクＨＡＲＱタイミングに基づき前記第１リソースで、前記第１サービスに対応する第１ダウンリンクＨＡＲＱフィードバック情報を送信するステップと、を含む。
【００２４】
可能な設計では、前記第１ＨＡＲＱタイミングは第１アップリンクＨＡＲＱタイミングであり、前記端末装置により、前記第１ＨＡＲＱタイミングに基づき、前記第１サービスに対応する第１ＨＡＲＱフィードバック情報を受信及び送信する前記ステップは、前記端末装置により、前記第１アップリンクＨＡＲＱタイミング及び前記マッピング関係情報に基づき、前記第１アップリンクＨＡＲＱタイミングに対応する第１リソースを決定するステップと、前記端末装置により、前記第１アップリンクＨＡＲＱタイミングに基づき前記第１リソースで、前記ネットワーク装置により送信され且つ前記第１サービスに対応する第１アップリンクＨＡＲＱフィードバック情報を受信するステップと、を含む。
【００２５】
本発明の本実施形態では、端末装置は、第１アップリンクＨＡＲＱフィードバック情報を第１アップリンクＨＡＲＱタイミングに対応する第１リソースで受信でき、各アップリンクＨＡＲＱフィードバック情報片に対応するアップリンクＨＡＲＱタイミングを区別し、それによりサービスのＱｏＳを向上する。
【００２６】
可能な設計では、第１リソースは、リソースブロックＲＢ位置、ＲＢの数、コードワード情報、及びシーケンス番号のうちの少なくとも１つを含む。
【００２７】
可能な設計では、マッピング関係情報は、以下の対応を含む：複数のダウンリンクＨＡＲＱタイミング及び複数のダウンリンクＨＡＲＱタイミングの各々に対応する物理アップリンク制御チャネルＰＵＣＣＨリソース、複数のダウンリンクＨＡＲＱタイミング及び前記複数のダウンリンクＨＡＲＱタイミングの各々に対応する物理アップリンク共有チャネルＰＵＳＣＨリソース、並びに、複数のアップリンクＨＡＲＱタイミング及び前記複数のアップリンクＨＡＲＱタイミングの各々に対応する物理ハイブリッド自動再送要求指示チャネルＰＨＩＣＨリソース。
【００２８】
幾つかの可能な設計では、前記端末装置により、ＨＡＲＱタイミングとリソースとの間のマッピング関係に関し且つ前記ネットワーク装置により送信された情報を受信する前記ステップは、前記ネットワーク装置により、Ｌ３シグナリングを前記端末装置へ送信するステップであって、前記Ｌ３シグナリングは前記マッピング関係情報を伝達する、ステップを含む。
【００２９】
第５の態様によると、端末装置が提供され、前記端末装置は、第４の態様における端末装置に基づく情報伝送方法を実行するモジュールを含む。同じ新規な概念に基づき、端末装置の問題解決原理は、第４の態様における方法の設計のソリューションに対応する。したがって、端末装置の実装については、方法の実装を参照する。説明は繰り返し提供されない。
【００３０】
第６の態様によると、端末装置が提供され、前記端末装置は、トランシーバ、メモリ、及びプロセッサを含む。前記トランシーバ、前記メモリ、及び前記プロセッサは、システムバスを用いて接続され、前記メモリは命令を格納するよう構成され、前記プロセッサは前記メモリに格納された前記命令を実行するよう構成され、前記プログラムが実行されると、前記プロセッサは、第４の態様における端末装置に基づく情報伝送方法を実行するよう構成される。
【００３１】
第７の態様によると、情報伝送方法が提供される。前記方法は、端末装置により、複数のアップリンク許可ＵＬ＿ｇｒａｎｔタイミングから、前記端末装置の第１アップリンクサービスに対応する第１ＵＬ＿ｇｒａｎｔタイミングを決定するステップと、前記端末装置により、ネットワーク装置へ第１指示情報を送信するステップであって、前記第１指示情報は前記第１ＵＬ＿ｇｒａｎｔタイミングを示すために使用される、ステップと、を含む。
【００３２】
本発明の本実施形態では、前記端末装置は、前記ネットワーク装置により送信された第１指示情報を用いて、第１アップリンクサービスに対応する第１ＵＬ＿ｇｒａｎｔタイミングを決定でき、前記端末装置が複数のサービスを使用するときに、異なるＵＬ＿ｇｒａｎｔタイミングが異なるサービスのために使用できるようにし、サービスのＱｏＳを向上する。
【００３３】
可能な設計では、前記端末装置により、ネットワーク装置へ第１指示情報を送信する前記ステップは、前記端末装置により、前記第１アップリンクサービスに対応する第１アップリンクスケジューリング要求ＳＲ及び／又は前記第１アップリンクサービスに対応する第１バッファ状態情報ＢＳＲを、前記ネットワーク装置へ送信するステップであって、前記第１ＳＲの種類及び／又は前記第１ＢＳＲの種類は、前記第１ＵＬ＿ｇｒａｎｔタイミングを示すために使用される、又は、前記第１ＳＲ及び／又は前記第１ＢＳＲを伝達する無線インタフェースリソース位置は、前記第１ＵＬ＿ｇｒａｎｔタイミングを示すために使用される、ステップを含む。
【００３４】
可能な設計では、前記方法は、前記端末装置により、前記ネットワーク装置により送信された第２指示情報を受信するステップであって、前記第２指示情報は、複数の伝送タイミングの中で前記第１アップリンクサービスに対応する第１伝送タイミングを示すために使用される、ステップと、前記端末装置により、前記第１伝送タイミングに基づき、前記第１アップリンクサービスを前記ネットワーク装置へ送信するステップと、を更に含む。
【００３５】
本発明の本実施形態では、前記端末装置は、前記ネットワーク装置により送信された第２指示情報を用いて、第１アップリンクサービスに対応する第１伝送タイミングを決定でき、前記端末装置が複数のサービスを使用するときに、異なる第１伝送タイミングが異なるサービスのために使用できるようにし、サービスのＱｏＳを向上する。
【００３６】
可能な設計では、端末装置により、ネットワーク装置により送信された第２指示情報を受信する前記ステップは、前記端末装置により、前記ネットワーク装置により送信された第１ダウンリンク制御情報ＤＣＩを受信するステップであって、前記第１ＤＣＩは第１ＵＬ＿ｇｒａｎｔ情報を含み、前記第１ＤＣＩのフォーマット情報は前記第１伝送タイミングを示すために使用される、又は、前記第１ＤＣＩの中の特定情報ビットが、前記第１伝送タイミングを示すために使用される、又は、前記第１ＤＣＩを伝達する無線インタフェースリソース位置が、前記第１伝送タイミングを示すために使用される、又は、前記第１ＤＣＩをスクランブリングする第１無線ネットワーク一時識別子ＲＮＴＩが、前記第１伝送タイミングを示すために使用される、ステップを含む。
【００３７】
幾つかの可能な設計では、ＳＲ／ＢＳＲリソースは、リソースブロック（ＲＢ）の数、ＲＢ位置、又はコードワードリソースを含む。
【００３８】
幾つかの可能な設計では、ネットワーク装置は、Ｌ３シグナリングを用いて、複数のＲＮＴＩ又は複数のＤＣＩリソースを端末装置に割り当てる。
【００３９】
第８の態様によると、端末装置が提供され、前記端末装置は、第７の態様における端末装置に基づく情報伝送方法を実行するモジュールを含む。同じ新規な概念に基づき、端末装置の問題解決原理は、第７の態様における方法の設計のソリューションに対応する。したがって、端末装置の実装については、方法の実装を参照する。説明は繰り返し提供されない。
【００４０】
第９の態様によると、端末装置が提供され、前記端末装置は、トランシーバ、メモリ、及びプロセッサを含む。前記トランシーバ、前記メモリ、及び前記プロセッサは、システムバスを用いて接続され、前記メモリは命令を格納するよう構成され、前記プロセッサは前記メモリに格納された前記命令を実行するよう構成され、前記プログラムが実行されると、前記プロセッサは、第７の態様における端末装置に基づく情報伝送方法を実行するよう構成される。
【００４１】
第１０の態様によると、情報伝送方法が提供される。前記方法は、ネットワーク装置により、端末装置により送信された第１指示情報を受信するステップであって、前記第１指示情報は、複数のアップリンク許可ＵＬ＿ｇｒａｎｔタイミングの中で、前記端末装置の第１アップリンクサービスに対応する第１ＵＬ＿ｇｒａｎｔタイミングを示すために使用される、ステップと、前記ネットワーク装置により、前記第１ＵＬ＿ｇｒａｎｔタイミングに基づき、前記第１アップリンクサービスに対応する第１ＵＬ＿ｇｒａｎｔ情報を送信するステップと、を含む。
【００４２】
本発明の本実施形態では、前記ネットワーク装置は、前記端末装置により送信された第１指示情報を用いて、第１アップリンクサービスに対応する第ＵＬ＿ｇｒａｎｔタイミングを決定でき、前記ネットワーク装置が複数のサービスを使用するときに、異なるＵＬ＿ｇｒａｎｔタイミングが異なるサービスのために使用できるようにし、サービスのＱｏＳを向上する。
【００４３】
可能な設計では、ネットワーク装置により、端末装置により送信された第１指示情報を受信する前記ステップは、前記ネットワーク装置により、前記第１アップリンクサービスに対応する第１アップリンクスケジューリング要求ＳＲ及び／又は前記第１アップリンクサービスに対応する第１バッファ状態情報ＢＳＲを受信するステップであって、前記第１ＳＲ及び前記第１ＢＳＲは前記端末装置により送信され、前記第１ＳＲの種類及び前記第１ＢＳＲの種類は前記第１ＵＬ＿ｇｒａｎｔタイミングを示すために使用される、又は、前記第１ＳＲ及び前記第１ＢＳＲを伝達する無線インタフェースリソース位置は、前記第１ＵＬ＿ｇｒａｎｔタイミングを示すために使用される、ステップを含む。
【００４４】
可能な設計では、前記方法は、前記ネットワーク装置により、複数の伝送タイミングから前記第１アップリンクサービスに対応する第１伝送タイミングを決定するステップと、前記ネットワーク装置により、前記端末装置へ第２指示情報を送信するステップであって、前記第２指示情報は前記第１伝送タイミングを示すために使用される、ステップと、を更に含む。
【００４５】
本発明の本実施形態では、前記ネットワーク装置は、前記第２指示情報を用いて、前記端末装置の前記第１アップリンクサービスに対応する前記第１伝送タイミングを指示でき、前記ネットワーク装置が複数のサービスを使用するときに、異なる第１伝送タイミングが異なるサービスのために使用できるようにし、サービスのＱｏＳを向上する。
【００４６】
可能な設計では、前記ネットワーク装置により、前記端末装置へ第２指示情報を送信する前記ステップは、前記ネットワーク装置により、前記端末装置へ第１ダウンリンク制御情報ＤＣＩを送信するステップであって、前記第１ＤＣＩは第１ＵＬ＿ｇｒａｎｔ情報を含み、前記第１ＤＣＩのフォーマット情報は前記第１伝送タイミングを示すために使用される、又は、前記第１ＤＣＩの中の特定情報ビットが、前記第１伝送タイミングを示すために使用される、又は、前記第１ＤＣＩを伝達する無線インタフェースリソース位置が、前記第１伝送タイミングを示すために使用される、又は、前記第１ＤＣＩをスクランブリングする第１無線ネットワーク一時識別子ＲＮＴＩが、前記第１伝送タイミングを示すために使用される、ステップを含む。
【００４７】
幾つかの可能な設計では、ＳＲ／ＢＳＲリソースは、リソースブロック（ＲＢ）の数、ＲＢ位置、又はコードワードリソースを含む。
【００４８】
幾つかの可能な設計では、ネットワーク装置は、Ｌ３シグナリングを用いて、複数のＲＮＴＩ又は複数のＤＣＩリソースを端末装置に割り当てる。
【００４９】
第１１の態様によると、ネットワーク装置が提供され、前記ネットワーク装置は、第１０の態様におけるネットワーク装置に基づく情報伝送方法を実行するモジュールを含む。同じ新規な概念に基づき、ネットワーク装置の問題解決原理は、第１０の態様における方法の設計のソリューションに対応する。さらに、ネットワーク装置の実装については、方法の実装を参照する。説明は繰り返し提供されない。
【００５０】
第１２の態様によると、ネットワーク装置が提供され、前記ネットワーク装置は、トランシーバ、メモリ、及びプロセッサを含む。前記トランシーバ、前記メモリ、及び前記プロセッサは、システムバスを用いて接続され、前記メモリは命令を格納するよう構成され、前記プロセッサは前記メモリに格納された前記命令を実行するよう構成され、前記プログラムが実行されると、前記プロセッサは、第１０の態様におけるネットワーク装置に基づく情報伝送方法を実行するよう構成される。
【図面の簡単な説明】
【００５１】
【図１】従来技術におけるアップリンク及びダウンリンクデータ伝送のＨＡＲＱフィードバックの概略図である。
【００５２】
【図２】本発明の一実施形態の適用可能なシナリオの概略図である。
【００５３】
【図３】本発明の一実施形態による情報伝送方法の概略フローチャートである。
【００５４】
【図４】本発明の一実施形態による情報伝送方法の概略フローチャートである。
【００５５】
【図５】本発明の一実施形態によるネットワーク装置の概略ブロック図である。
【００５６】
【図６】本発明の一実施形態によるネットワーク装置の概略ブロック図である。
【００５７】
【図７】本発明の一実施形態による端末装置の概略ブロック図である。
【００５８】
【図８】本発明の一実施形態による端末装置の概略ブロック図である。
【００５９】
【図９】本発明の一実施形態による端末装置の概略ブロック図である。
【００６０】
【図１０】本発明の一実施形態による端末装置の概略ブロック図である。
【００６１】
【図１１】本発明の一実施形態によるネットワーク装置の概略ブロック図である。
【００６２】
【図１２】本発明の一実施形態によるネットワーク装置の概略ブロック図である。
【発明を実施するための形態】
【００６３】
以下は、添付の図面を参照して本発明の実施形態における技術的ソリューションを記載する。
【００６４】
図２は、本発明の一実施形態による通信システム１００のアーキテクチャ図である。
【００６５】
通信システム１００は、端末装置１１０と、ネットワーク装置１２０と、を含んでよい。ネットワーク装置１２０は、無線インタフェースを通じて端末装置１１０と通信してよい。ネットワーク装置１２０は、信号を送信し又は受信するよう構成されるネットワーク側エンティティ、例えば基地局であってよい。ＵＥは、任意の端末であってよく、ＵＥは機械型通信（ＭＴＣ）ユーザ機器であってよい。端末装置１１０及びネットワーク装置１２０は、複数のサービス、例えば５Ｇシステムにおける拡張モバイルブロードバンドサービス、超高信頼且つ低遅延機械型通信サービス、及び大容量機械型通信サービスの伝送をサポートする。
【００６６】
拡張モバイルブロードバンドサービスは、スケジューリングの際に大量の計算を必要とし、大容量且つ高いレートを必要とする。しかしながら、拡張モバイルブロードバンドサービスは、遅延に対する低い要件を有し、遅延は通常１０ｍｓ以上である。システム効率を向上し、及び上位レイヤ再送信を回避するために、ＨＡＲＱ機能が媒体アクセス制御（Media  Access  Control、略称：ＭＡＣ）レイヤで又はそれより下でサポートされる。
【００６７】
超高信頼且つ低遅延機械型通信サービスは、主に、遅延緊急サービスを送信するために使用され、信頼性が保証される必要がある。期待遅延は非常に短く、最小遅延は１ｍｓである。例えば、無線制御工業生産又は製造過程、遠隔医療手術、電力分配自動化をサポートするスマートグリッド、又は交通安全では、超高信頼且つ低遅延機械型通信サービスは、ＨＡＲＱ機能を使用することも許される。
【００６８】
拡張モバイルブロードバンドサービス及び超高信頼且つ低遅延機械型通信サービスのサービス品質（Quality  of  Service、略称：ＱｏＳ）要件は異なるので、各サービスは異なるＨＡＲＱタイミングを要求する。
【００６９】
しかしながら、既存のＨＡＲＱソリューションでは、端末装置が複数の異なるサービスを有するとき、同じＨＡＲＱタイミングのみが使用でき、したがって、端末装置が複数サービス伝送を実行するとき、サービスのサービス品質要件を満たすことができない。
【００７０】
したがって、本発明は、端末装置の複数のサービスが複数のＨＡＲＱタイミングに対応でき、それによりサービスのサービス品質を向上する、情報伝送方法を提供する。
【００７１】
理解されるべきことに、前述の５Ｇ通信システムは、本発明の実施形態が適用可能な通信システムの単なる一例である。本発明の実施形態は、通信システムが複数のサービスをサポートし、該複数のサービスのうちの幾つかがＨＡＲＱ機能をサポートするならば、別の通信システムにも適用可能である。
【００７２】
例えば、本発明の実施形態は、グローバルシステム・フォー・モバイル通信（Global  System  for  Mobile  communication、略称：ＧＳＭ）、符号分割多重アクセス（Code  Division  Multiple  Access、略称：ＣＤＭＡ）システム、広帯域符号分割多重アクセス（Wideband  Code  Division  Multiple  Access、略称：ＷＣＤＭＡ）システム、汎用パケット無線サービス（General  Packet  Radio  Service、略称：ＧＰＲＳ）システム、５Ｇ通信システム、ＬＴＥ周波数分割複信（Frequency  Division  Duplex、略称：ＦＤＤ）システム、ＬＴＥ時分割複信（Time  Division  Duplex、略称：ＴＤＤ）システム、ユニバーサルモバイル通信システム（Universal  Mobile  Telecommunications  System、略称：ＵＭＴＳ）に適用可能である。
【００７３】
本願の実施形態は、ネットワーク装置及び端末装置を参照して記載される。端末装置は、ユーザ機器（User  Equipment、略称：ＵＥ）、アクセス端末、加入者ユニット、加入者局、移動局、移動体、リモート局、リモート端末、モバイル装置、加入者端末、端末、無線通信装置、ユーザエージェント、又はユーザ機器に限定されない。端末装置は、無線アクセスネットワーク（Radio  Access  Network、略称：ＲＡＮ）を用いて１又は複数のコアネットワークと通信してよい。例えば、端末装置は、セルラ電話機、コードレス電話機、セッション開始プロトコル（Session  Initiation  Protocol、略称：ＳＩＰ）電話機、無線ローカルループ（Wireless  Local  Loop、略称：ＷＬＬ）局、パーソナルデジタルアシスタント（Personal  Digital  Assistant、略称：ＰＤＡ）、無線通信機能を備えるハンドヘルド装置、コンピューティング装置、無線モデムに接続される別の処理装置、車載装置、ウェアラブル装置、将来の５Ｇネットワークにおける端末装置、又は将来の進化型ＰＬＭＮネットワークにおける端末装置であってよい。
【００７４】
本発明の実施形態におけるネットワーク装置は、端末装置と通信するよう構成される装置であってよく、ネットワーク装置は、基地局又は基地局機能を有するネットワーク側装置を含み得る。例えば、ネットワーク装置は、ＧＳＭシステム又はＣＤＭＡシステムにおける基地トランシーバ局（Base  Transceiver  Station、略称：ＢＴＳ）であってよく、又はＷＣＤＭＡシステムにおけるＮｏｄｅＢ（NodeB、略称：ＮＢ）であってよく、又はＬＴＥシステムにおける進化型ＮｏｄｅＢ（Evolved  NodeB、略称：ｅＮＢ又はeNodeB）であってよく、或いは、ネットワーク装置は、中継局、アクセスポイント、車載装置、ウェアラブル装置、又は将来の５Ｇネットワークにおけるネットワーク側装置であってよい。
【００７５】
図３は、本発明の一実施形態による情報伝送方法２００の概略フローチャートである。
【００７６】
２１０。ネットワーク装置は、端末装置の第１サービスの第１ＨＡＲＱタイミングを決定する。
【００７７】
具体的に、ネットワーク装置は、複数のＨＡＲＱタイミングを端末装置に割り当て、複数のＨＡＲＱタイミングから、端末装置の第１サービスに対応する第１ＨＡＲＱタイミングを決定してよい。言い換えると、端末装置は、第１ＨＡＲＱタイミングに基づき、第１サービスに対応する第１ＨＡＲＱタイミングを同期することにより、第１サービスに対応するＨＡＲＱフィードバック情報を受信又は送信する。
【００７８】
したがって、本願は、情報伝送方法を提供する。ネットワーク装置は、複数のＨＡＲＱタイミングを端末装置に割り当て、端末装置が複数のサービスを使用するとき、異なるＨＡＲＱタイミングが異なるサービスのために使用できるようにし、サービスのＱｏＳを向上する。
【００７９】
本発明の本実施形態では、ＨＡＲＱタイミングは、具体的に、送信端によるデータの送信と受信端によるフィードバック情報の送信との間の時系列関係である。ＨＡＲＱタイミングは、ＨＡＲＱ  ｔｉｍｉｎｇ、ＨＡＲＱフィードバックタイミング、ＨＡＲＱフィードバック期間、ＨＡＲＱタイミング関係、ＨＡＲＱフィードバックタイミング関係、ＨＡＲＱフィードバック時系列、等としても参照されてよい。これは、本願において限定されない。
【００８０】
理解されるべきことに、本願では、複数のサービスの各々は、異なるＨＡＲＱタイミングを使用してよく、第１ＨＡＲＱタイミングは第１サービスに対応するＨＡＲＱタイミングである。
【００８１】
２２０。ネットワーク装置は、端末装置へ、第１ＨＡＲＱタイミングを示すために使用される指示情報を送信する。
【００８２】
具体的には、ネットワーク装置は指示情報を端末装置へ送信し、指示情報は、端末装置の第１サービスに対応する第１ＨＡＲＱタイミングを示すために使用され、端末装置が第１ＨＡＲＱタイミングに基づき、第１サービスに対応するＨＡＲＱフィードバック情報を受信し又は送信するようにする。
【００８３】
ＨＡＲＱはダウンリンクＨＡＲＱ及びアップリンクＨＡＲＱを含む。ダウンリンクＨＡＲＱは、ダウンリンク共有チャネル（Downlink  Shared  Channel、略称：ＤＬ−ＳＣＨ）データのためであり、アップリンクＨＡＲＱはアップリンク共有チャネル（Uplink  Shared  Channel、略称：ＵＬ−ＳＣＨ）データのためである。ダウンリンクＨＡＲＱ及びアップリンクＨＡＲＱは互いに独立であり、ダウンリンクＨＡＲＱ及びアップリンクＨＡＲＱの処理方法も異なる。ダウンリンクＨＡＲＱ及びアップリンクＨＡＲＱに対応して、第１ＨＡＲＱタイミングは第１ダウンリンクＨＡＲＱタイミング及び第１アップリンクＨＡＲＱタイミングである。
【００８４】
例えば、ダウンリンクＨＡＲＱ処理では、第１ＨＡＲＱタイミングは第１ダウンリンクＨＡＲＱタイミングである。具体的に言うと、第１サービスが第１ダウンリンクサービスであるとき、第１ダウンリンクサービスに対応するＨＡＲＱタイミングは第１ダウンリンクＨＡＲＱタイミングである。ネットワーク装置は、第１ダウンリンクサービスを端末装置へ送信し、端末装置に第１ダウンリンクサービスに対応する第１ダウンリンクＨＡＲＱタイミングを示す。
【００８５】
任意で、ネットワーク装置は、第１サービスに対応する第１ダウンリンク制御情報（Downlink  Control  Information、略称：ＤＣＩ）を端末装置へ送信する。ここで、第１ＤＣＩの種類は第１ＨＡＲＱタイミングを示すために使用される。
【００８６】
具体的に、ネットワーク装置は、ＤＣＩ情報を端末装置へダウンリンクで送信する。ここで、ＤＣＩ譲歩は、ダウンリンクデータ伝送リソース又はアップリンクデータ伝送リソースを示すために使用される。複数の種類のＤＣＩは、例えば、ＬＴＥにおけるＤＣＩ０、ＤＣＩ１、及びＤＣＩ２を含んでよく、異なるＤＣＩ種類は異なるＨＡＲＱタイミングに対応する。つまり、ネットワーク装置は、ＤＣＩ情報を端末装置へ送信し、端末装置は、ＤＣＩ種類を用いて、現在のデータ伝送に使用されるべき特定ＨＡＲＱタイミングを識別してよい。
【００８７】
任意で、ネットワーク装置は、第１サービスに対応する第１ＤＣＩを端末装置へ送信する。ここで、第１ＤＣＩの中の特定情報ビットは第１ＨＡＲＱタイミングを示すために使用される。
【００８８】
具体的に、「どのＨＡＲＱタイミングがデータ伝送のために使用されるか」は、ＤＣＩ情報の中の特定情報ビットを用いて示される。特定情報ビットは、ＤＣＩメッセージに新たに追加される情報ビットであってよく、又は既存の情報ビットであってよい。つまり、ネットワーク装置は、ＤＣＩ情報を端末装置へ送信する。端末装置は、ＤＣＩの中の特定情報ビットに関する情報を識別することにより、現在のデータ伝送のために使用されるべき特定ＨＡＲＱタイミングを識別してよい。
【００８９】
任意で、ネットワーク装置は、第１サービスに対応する第１ＤＣＩを端末装置へ送信する。ここで、第１ＤＣＩを伝達する無線インタフェースリソース位置は第１ＨＡＲＱタイミングを示すために使用される。
【００９０】
具体的に、ネットワーク装置は、ＨＡＲＱタイミングとＤＣＩメッセージを伝達する無線インタフェースリソース位置との間のマッピング関係を予め確立する。ネットワーク装置は、特定無線インタフェースリソースを用いてＤＣＩメッセージを送信する。端末装置が特定無線インタフェースリソース領域内でＤＣＩを検出した場合、端末装置は、特定無線インタフェースリソース及びマッピング関係に基づき、現在のデータ伝送のために使用されるべき特定ＨＡＲＱタイミングを決定してよい。例えば、ＤＣＩを伝達する無線インタフェースリソースは、物理ダウンリンク制御チャネル（Physical  Downlink  Control  Channel、略称：ＰＤＣＣＨ）の無線インタフェースリソース、又は拡張物理ダウンリンク制御チャネル（Enhanced  Physical  Downlink  Control  Channel、略称：Ｅ−ＰＤＣＣＨ）の無線インタフェースリソースである。
【００９１】
任意で、無線インタフェースリソースは、リソースブロック（resource  block、略称：ＲＢ）位置、ＲＢの数、コードワードリソース、シーケンス番号、等を含む。
【００９２】
任意で、ネットワーク装置は、第１サービスに対応する第１ＤＣＩを端末装置へ送信する。ここで、第１ＤＣＩをスクランブリングする第１無線ネットワーク一時識別子ＲＮＴＩは第１ＨＡＲＱタイミングを示すために使用される。
【００９３】
具体的に、ネットワーク装置は、ＤＣＩ情報をダウンリンクで端末装置へ送信する。ＤＣＩは、チャネル符号化でＲＮＴＩを用いてスクランブリングされる必要があり、ＤＣＩをスクランブリングするＲＮＴＩはＨＡＲＱタイミングに関連付けられ、各ＲＮＴＩは異なるＨＡＲＱタイミングに対応する。つまり、ネットワーク装置は、ＤＣＩ情報をスクランブリングするために特定ＲＮＴＩを使用し、特定ＲＮＴＩは、端末装置に、現在のデータ伝送に使用されるべき特定ＨＡＲＱタイミングを示すために使用される。端末装置は、現在のＤＣＩの中のＲＮＴＩ情報を識別するために複数のＲＮＴＩを学習し、更に現在のデータ伝送のために使用されるべき特定ＨＡＲＱタイミングを取得する必要がある。
【００９４】
理解されるべきことに、ネットワーク装置は、指示情報を端末装置へ送信し、ネットワーク装置が割り当てたリソースを示す処理において複数の方法を用いてＨＡＲＱタイミングを暗に示す。例えば、ＤＣＩ情報は、ＨＡＲＱタイミングを暗に示すために、ダウンリンクで端末装置へ送信される。代替として、サービスのＨＡＲＱタイミングは、直接示されてよい。例えば、ＨＡＲＱタイミングを示すために使用される指示情報は直接送信される。これは、本願において限定されない。
【００９５】
したがって、本願で提供される情報伝送方法によると、無線インタフェースで複数のＨＡＲＱタイミングが存在するとき、指示情報は端末装置の第１サービスの第１ＨＡＲＱタイミングを示すために使用されて、ＨＡＲＱフィードバック衝突が回避でき、及びサービスのＱｏＳが更に向上されるようにする。
【００９６】
既存のＨＡＲＱ技術では、肯定応答情報（ＡＣＫ／ＮＡＣＫ）を受信した後に、送信端は、肯定応答情報と伝送データとの間の固定タイミングを用いて、肯定応答情報に対応するＨＡＲＱプロセス（HARQ  process）を決定する必要がある。言い換えると、肯定応答情報に対応するＨＡＲＱプロセスは、伝送データと対応するＡＣＫ／ＮＡＣＫとの間のタイミングを用いて決定される。
【００９７】
しかしながら、本願における端末装置又はネットワーク装置は、複数のＨＡＲＱタイミングを使用できる。したがって、受信端は、特定サブフレーム内の複数のＨＡＲＱ  ＡＣＫ／ＮＡＣＫ情報片を同時にフィードバックしてよい。したがって、ＨＡＲＱ  ＡＣＫ／ＮＡＣＫ情報を受信した後に、送信端は、複数のＨＡＲＱタイミングの中で、各ＨＡＲＱ  ＡＣＫ／ＮＡＣＫ情報片に対応する特定ＨＡＲＱタイミングを区別する必要がある。
【００９８】
任意で、サービス確率処理において、複数のＨＡＲＱタイミングを端末装置に割り当てるとき、ネットワーク装置は、ＨＡＲＱフィードバック情報を送信するために、異なる無線インタフェースリソースを異なるＨＡＲＱタイミングに割り当てる。
【００９９】
例えば、ネットワーク装置は、ＨＡＲＱタイミングとリソースとの間のマッピング関係に関する情報を端末装置へ送信する。ここで、マッピング関係情報は、複数のＨＡＲＱタイミング、及び複数のＨＡＲＱタイミングの各々に対応するリソースを含む。無線インタフェースリソースでＨＡＲＱ  ＡＣＫ／ＮＡＣＫ情報を受信するとき、送信端は、無線インタフェースリソース及びマッピング関係情報に基づき、ＨＡＲＱ  ＡＣＫ／ＮＡＣＫ情報のＨＡＲＱタイミングを直接決定してよい。
【０１００】
任意で、マッピング関係は、以下の対応を含む：
複数のダウンリンクＨＡＲＱタイミング及び複数のダウンリンクＨＡＲＱタイミングの各々に対応する物理アップリンク制御チャネルＰＵＣＣＨリソース、複数のダウンリンクＨＡＲＱタイミング及び前記複数のダウンリンクＨＡＲＱタイミングの各々に対応する物理アップリンク共有チャネルＰＵＳＣＨリソース、並びに、複数のアップリンクＨＡＲＱタイミング及び前記複数のアップリンクＨＡＲＱタイミングの各々に対応する物理ハイブリッド自動再送要求指示チャネルＰＨＩＣＨリソース。
【０１０１】
具体的に、マッピング関係情報が送信端と受信端との間で同期された後に、送信端及び受信端は、指示情報及びマッピング関係情報により示された第１ＨＡＲＱタイミングに基づき、第１サービスに対応する第１ＨＡＲＱフィードバックを伝達する第１リソースを決定し、送信端は、第１ＨＡＲＱタイミングに基づき第１リソースで第１ＨＡＲＱフィードバック情報を受信し、受信端は、第１ＨＡＲＱタイミングに基づき第１リソースで第１ＨＡＲＱフィードバック情報を送信端へ送信する。
【０１０２】
例えば、ダウンリンクＨＡＲＱプロセスでは、端末装置は、マッピング関係情報に基づき、第１ダウンリンクＨＡＲＱタイミングに対応する無線インタフェースリソースでフィードバックメッセージを送信し、ネットワーク装置が無線インタフェースリソースでフィードバックメッセージを受信すると直ぐに、ネットワーク装置は、マッピング関係情報及び受信のための無線インタフェースリソースに基づき、フィードバックメッセージに対応するＨＡＲＱタイミングを決定してよい。
【０１０３】
さらに、図３は、ダウンリンクＨＡＲＱのフィードバック情報伝送方法２００の概略フローチャートである。
【０１０４】
２３０。第１ダウンリンクＨＡＲＱタイミング及びマッピング関係情報に基づき、第１リソースを決定する。
【０１０５】
具体的に、端末装置は、第１ダウンリンクＨＡＲＱタイミング及びマッピング関係情報に基づき、第１ダウンリンクＨＡＲＱタイミングが第１リソースに対応することを決定する。
【０１０６】
２４０。第１ダウンリンクＨＡＲＱタイミングに基づき、第１リソースで、第１ダウンリンクＨＡＲＱフィードバック情報を送信する。
【０１０７】
具体的に、端末装置は、第１ダウンリンクＨＡＲＱタイミングに基づき、第１リソースで、第１サービスに対応する第１ダウンリンクＨＡＲＱフィードバック情報を、ネットワーク装置へ送信する。
【０１０８】
２５０。第１ダウンリンクＨＡＲＱタイミングに基づき、第１リソースで、第１ダウンリンクＨＡＲＱフィードバック情報を受信する。
【０１０９】
具体的に、ネットワーク装置は、第１ダウンリンクＨＡＲＱタイミング及びマッピング関係情報に基づき、第１ダウンリンクＨＡＲＱタイミングが第１リソースに対応することを決定し、第１ダウンリンクＨＡＲＱタイミングに基づき第１リソースで、端末装置により送信され且つ第１サービスに対応する第１ダウンリンクＨＡＲＱフィードバック情報を受信する。
【０１１０】
したがって、ネットワーク装置は、第１ダウンリンクＨＡＲＱフィードバック情報を第１ダウンリンクＨＡＲＱタイミングに対応する第１リソースで受信して、各ダウンリンクＨＡＲＱフィードバック情報片に対応するダウンリンクＨＡＲＱタイミングを区別し、それによりサービスのＱｏＳを向上する。
【０１１１】
別の例では、アップリンクＨＡＲＱ処理では、第１ＨＡＲＱタイミングは第１アップリンクＨＡＲＱタイミングである。端末装置は、第１サービスをネットワーク装置へ送信し、ネットワーク装置に第１アップリンクサービスに対応する第１アップリンクＨＡＲＱタイミングを示す。
【０１１２】
具体的に、ネットワーク装置は、第１アップリンクＨＡＲＱタイミング及びマッピング関係情報に基づき、第１アップリンクＨＡＲＱタイミングが第１リソースに対応することを決定し、第１アップリンクＨＡＲＱタイミングに基づき第１リソースで、端末装置へ第１サービスに対応する第１アップリンクＨＡＲＱフィードバック情報を送信する。端末装置は、第１アップリンクＨＡＲＱタイミング及びマッピング関係情報に基づき、第１アップリンクＨＡＲＱタイミングが第１リソースに対応することを決定し、第１アップリンクＨＡＲＱタイミングに基づき第１リソースで、ネットワーク装置により送信され且つ第１サービスに対応する第１アップリンクＨＡＲＱフィードバック情報を受信する。
【０１１３】
したがって、端末装置は、第１アップリンクＨＡＲＱフィードバック情報を第１アップリンクＨＡＲＱタイミングに対応する第１リソースで受信して、各アップリンクＨＡＲＱフィードバック情報片に対応するアップリンクＨＡＲＱタイミングを区別し、それによりサービスのＱｏＳを向上する。
【０１１４】
理解されるべきことに、送信端は、ＨＡＲＱタイミングとリソースとの間の対応を用いて、第１サービスの第１ＨＡＲＱタイミングが第１リソースに対応することを決定し、第１ＨＡＲＱフィードバック情報を第１リソースで受信する。代替として、送信端は、ＨＡＲＱフィードバック情報を直接受信し、次に対応情報及び情報を受信するためのリソースに基づき、各ＨＡＲＱフィードバック情報片に対応するＨＡＲＱタイミングを決定してよい。これは、本願において限定されない。
【０１１５】
任意で、ネットワーク装置は、Ｌ３シグナリングを端末装置へ送信する。ここで、Ｌ３シグナリングは、マッピング関係情報を伝達する。
【０１１６】
例えば、ネットワーク装置により端末装置へ送信されるＬ３シグナリングは、以下の形式のコンテンツを伝達する：
｛ダウンリンクＨＡＲＱタイミング１のリソース
［ＰＵＣＣＨリソース：（ＲＢ位置、ＲＢの数、フォーマット情報、コードワード情報、及びシーケンス番号）
ＰＵＳＣＨフィールド：（フィールドシーケンス番号）］
ダウンリンクＨＡＲＱタイミング２のリソース
［ＰＵＣＣＨリソース：（ＲＢ位置、ＲＢの数、フォーマット情報、コードワード情報、及びシーケンス番号）
ＰＵＳＣＨフィールド：（フィールドシーケンス番号）］
アップリンクＨＡＲＱタイミング１のリソース
［ＰＨＩＣＨリソース：（ＲＢ位置、ＲＢの数、フォーマット情報、コードワード情報、及びシーケンス番号）］
アップリンクＨＡＲＱタイミング２のリソース
［ＰＨＩＣＨリソース：（ＲＢ位置、ＲＢの数、フォーマット情報、コードワード情報、及びシーケンス番号）］｝
【０１１７】
具体的に、同じＴＴＩ時点で、端末装置は、複数の異なるリソースを用いて複数のＨＡＲＱフィードバック情報片を送信してよい。ネットワーク装置も、複数の異なるリソースを用いて複数のＨＡＲＱフィードバック情報片を送信してよい。端末装置又はネットワーク装置は、伝送データのサービス種類に基づき、対応するＨＡＲＱタイミングを決定し、更に対応するリソースを決定する。
【０１１８】
例えば、端末装置がＨＡＲＱタイミング１を用いてＨＡＲＱ  ＡＣＫ／ＮＡＣＫ情報をフィードバックする必要のあるとき、端末装置は、ダウンリンクＨＡＲＱタイミング１により示されるリソースを用いて、ＨＡＲＱ  ＡＣＫ／ＮＡＣＫ情報を送信する。端末装置がＨＡＲＱタイミング２を用いてＨＡＲＱ  ＡＣＫ／ＮＡＣＫ情報をフィードバックする必要のあるとき、端末装置は、ダウンリンクＨＡＲＱタイミング２により示されるリソースを用いて、ＨＡＲＱ  ＡＣＫ／ＮＡＣＫ情報を送信する。ＨＡＲＱフィードバック情報を特定無線インタフェースリソースで受信した後に、ネットワーク装置は、フィードバックメッセージに対応するＨＡＲＱタイミングを学習してよい。
【０１１９】
別の例では、ネットワーク装置がアップリンクＨＡＲＱタイミング１を用いてＨＡＲＱ  ＡＣＫ／ＮＡＣＫ情報をフィードバックする必要のあるとき、ネットワーク装置は、アップリンクＨＡＲＱタイミング１により示されるリソースを用いて、ＨＡＲＱ  ＡＣＫ／ＮＡＣＫ情報を送信する。ネットワーク装置がアップリンクＨＡＲＱタイミング２を用いてＨＡＲＱ  ＡＣＫ／ＮＡＣＫ情報をフィードバックする必要のあるとき、ネットワーク装置は、アップリンクＨＡＲＱタイミング２により示されるリソースを用いて、ＨＡＲＱ  ＡＣＫ／ＮＡＣＫ情報を送信する。ＨＡＲＱフィードバック情報を対応するリソースで受信した後に、端末装置は、フィードバックメッセージに対応するＨＡＲＱタイミングを学習してよい。
【０１２０】
したがって、複数のＨＡＲＱタイミングを端末装置に割り当てるとき、ネットワーク装置は、ＨＡＲＱフィードバック情報を送信するために、異なる無線インタフェースリソースを異なるＨＡＲＱタイミングに割り当てる。このように、送信端は、各ＨＡＲＱフィードバック情報片に対応するＨＡＲＱタイミングを区別でき、サービスのＱｏＳを向上する。
【０１２１】
理解されるべきことに、マッピング関係は、Ｌ３シグナリングを用いて、ネットワーク装置により端末装置に示されてよく、又は別の方法で端末装置に示されてよい。例えば、マッピング関係は、端末装置及びネットワーク装置内で予め構成される。これは、本願において限定されない。
【０１２２】
同じ新規な概念に基づき、データ伝送の既存のアップリンクスケジューリングでは、端末装置はネットワーク装置へ要求（Request）を送信する。要求を受信した後に、ネットワーク装置は、ＤＣＩメッセージを用いて、アップリンク許可（ＵＬ＿ｇｒａｎｔ）情報を端末装置へ送信する。ここで、ＵＬ＿ｇｒａｎｔ情報は、どのアップリンク無線インタフェースリソースがデータ伝送のために使用可能か、及びどれだけ多くのデータが伝送可能かを示す。端末装置は、アップリンクデータ（Ｄａｔａ  Ｔｘ）をＵＬ＿ｇｒａｎｔ情報の中で示された無線インタフェースリソースで送信する。端末装置によりアップリンクで送信された要求は、アップリンクスケジューリング要求（ＳＲ）又はバッファ状態情報（ＢＳＲ）であってよい。メッセージ間にタイミングが存在する。例えば、ＵＬ＿ｇｒａｎｔとＲｅｑｕｅｓｔとの間にＵＬ＿ｇｒａｎｔタイミングがあり、ＵＬ＿ｇｒａｎｔタイミングは、具体的に、ＵＬ＿ｇｒａｎｔとＲｅｑｕｅｓｔとの間の時系列関係である。別の令では、ＧｒａｎｔとＤａｔａ  Ｔｘとの間に伝送タイミングがあり、伝送タイミングは、具体的に、ＧｒａｎｔとＤａｔａ  Ｔｘとの間の時系列関係である。
【０１２３】
各サービスのＱｏＳ要件は異なるので、単一の端末装置が複数のサービスを確立する必要のあるとき、複数のＵＬ＿ｇｒａｎｔタイミング及び複数の伝送タイミングが無線インタフェースで使用される必要がある。
【０１２４】
例えば、サービス１のアップリンクデータ伝送では、２サブフレームの間隔がＲｅｑｕｅｓｔとＵＬ＿ｇｒａｎｔとの間で必要とされ、３サブフレームの間隔がＵＬ＿ｇｒａｎｔとＤａｔａ  Ｔｘとの間で必要とされる。サービス２のアップリンクデータ伝送では、４サブフレームの間隔がＲｅｑｕｅｓｔとＵＬ＿ｇｒａｎｔとの間で必要とされ、４サブフレームの間隔がＵＬ＿ｇｒａｎｔとＤａｔａ  Ｔｘとの間で必要とされる。したがって、異なるタイミングに対応するアップリンクスケジューリングデータ伝送メッセージは、同時に送信されてよい。
【０１２５】
本願で提供される情報伝送方法によると、ネットワーク装置は、複数のＵＬ＿ｇｒａｎｔタイミングお酔いｂ複数の伝送タイミングを端末装置に割り当てて、端末装置が、異なるアップリンクサービスのために異なるＵＬ＿ｇｒａｎｔタイミング及び／又は異なる伝送タイミングを使用できるようにする。
【０１２６】
図４は、本発明の一実施形態によるアップリンクデータ伝送方法３００の概略フローチャートである。
【０１２７】
３１０。端末装置は、端末装置の第１アップリンクサービスに対応する第１アップリンク許可ＵＬ＿ｇｒａｎｔタイミングを決定する。
【０１２８】
具体的に、ネットワーク装置は、複数のＵＬ＿ｇｒａｎｔタイミングを端末装置に割り当て、端末装置は、複数のＵＬ＿ｇｒａｎｔタイミングから、端末装置の第１アップリンクサービスに対応する第１ＵＬ＿ｇｒａｎｔタイミングを決定する。
【０１２９】
３２０。端末装置は、第１ＵＬ＿ｇｒａｎｔタイミングを示すために使用される第１指示情報を送信する。
【０１３０】
具体的には、端末装置は第１指示情報をネットワーク装置へ送信する。ここで、第１指示情報は、第１ＵＬ＿ｇｒａｎｔタイミングを示すために使用され、ネットワーク装置が第１ＵＬ＿ｇｒａｎｔタイミングに基づき、第１アップリンクサービスに対応する第１ＵＬ＿ｇｒａｎｔ情報を端末装置へ送信するようにする。
【０１３１】
任意で、ネットワーク装置は、第１アップリンクサービスに対応する第１アップリンクスケジューリング要求ＳＲ、及び／又は第１アップリンクサービスに対応する第１バッファ状態情報ＢＳＲを受信する。ここで、第１ＳＲ及び第１ＢＳＲは端末装置により送信され、第１ＳＲの種類及び／又は第１ＢＳＲの種類は第１ＵＬ＿ｇｒａｎｔタイミングを示すために使用される。
【０１３２】
具体的に、複数の要求メッセージ種類が、無線インタフェースについて定められる。例えば、ＳＲ及び／又はＢＳＲ、並びにこの基礎に追加される新しい要求種類である。異なる要求種類は、異なるＵＬ＿ｇｒａｎｔタイミングを示すために使用される。
【０１３３】
例えば、アップリンクＳＲ１及びアップリンクＳＲ２が定められ、ＳＲ１はＵＬ＿ｇｒａｎｔタイミング１を示すために使用され、ＳＲ２はＵＬ＿ｇｒａｎｔタイミング２を示すために使用される。端末装置は、アップリンクデータを送信するための要件に基づき、ＳＲ１又はＳＲ２を送信することを決定する。ネットワーク装置がＳＲ１を検出した場合、ＵＬ＿ｇｒａｎｔタイミング１が使用される。つまり、ＳＲ１メッセージを受信した後に、ネットワーク装置は、Ｎ個のサブフレームでＵＬ＿ｇｒａｎｔ情報を端末装置にフィードバックする。ネットワーク装置がＳＲ２を検出した場合、ＵＬ＿ｇｒａｎｔタイミング２が使用される。つまり、ＳＲ２メッセージを受信した後に、ネットワーク装置は、Ｍ個のサブフレームでＵＬ＿ｇｒａｎｔ情報を端末装置にフィードバックする。
【０１３４】
任意で、ネットワーク装置は、第１アップリンクサービスに対応する第１アップリンクスケジューリング要求ＳＲ、及び／又は第１アップリンクサービスに対応する第１バッファ状態情報ＢＳＲを受信する。ここで、第１ＳＲ及び第１ＢＳＲは端末装置により送信され、第１ＳＲ及び／又は第１ＢＳＲを伝達する無線インタフェースリソース位置は第１ＵＬ＿ｇｒａｎｔタイミングを示すために使用される。
【０１３５】
具体的に、異なる無線インタフェースリソース位置で、ネットワーク装置は複数のＳＲ／ＢＳＲリソースを端末装置に割り当てる。各ＳＲ／ＢＳＲリソースは、相応して、関連するＵＬ＿ｇｒａｎｔタイミングのために使用される。
【０１３６】
例えば、リソース１又はリソース２が定められ、リソース１はＵＬ＿ｇｒａｎｔタイミング１を示すために使用され、リソース２はＵＬ＿ｇｒａｎｔタイミング２を示すために使用される。端末装置は、アップリンクデータを送信するための要件に基づき、ＳＲ／ＢＳＲメッセージをリソース１又はリソース２で送信する。ネットワーク装置がＳＲ／ＢＳＲメッセージをリソース１の位置で検出した場合、ＵＬ＿ｇｒａｎｔタイミング１が使用される。つまり、ＳＲ／ＢＳＲメッセージを受信した後に、ネットワーク装置は、Ｎ個のサブフレームでＵＬ＿ｇｒａｎｔ情報を端末装置にフィードバックする。ネットワーク装置がＳＲ／ＢＳＲメッセージをリソース２の位置で検出した場合、ＵＬ＿ｇｒａｎｔタイミング２が使用される。つまり、ＳＲ／ＢＳＲメッセージを受信した後に、ネットワーク装置は、Ｍ個のサブフレームでＵＬ＿ｇｒａｎｔ情報を端末装置にフィードバックする。
【０１３７】
任意で、ネットワーク装置は、Ｌ３シグナリングを用いて、複数のＳＲ／ＢＳＲリソースを端末装置に割り当てる。
【０１３８】
任意で、ＳＲ／ＢＳＲリソースは、リソースブロック（ＲＢ）の数、ＲＢ位置、又はコードワードリソースを含む。
【０１３９】
理解されるべきことに、端末装置は、第１ＳＲの種類及び／又は第１ＢＳＲの種類を用いて、又は第１ＳＲ及び／又は第１ＢＳＲを伝達するリソースを用いて、第１ＵＬ＿ｇｒａｎｔタイミングを暗に示してよく、或いは、第１ＵＬ＿ｇｒａｎｔタイミングをネットワーク装置に直接示してよい。これは、本願において限定されない。
【０１４０】
３３０。ネットワーク装置は、第１ＵＬ＿ｇｒａｎｔ情報を第１ＵＬ＿ｇｒａｎｔタイミングに基づき送信する。
【０１４１】
具体的に、ネットワーク装置は、端末装置により送信された第１指示情報を受信する。ここで、第１指示情報は、複数のアップリンク許可ＵＬ＿ｇｒａｎｔタイミングの中で、端末装置の第１アップリンクサービスに対応する第１ＵＬ＿ｇｒａｎｔタイミングを示すために使用される。ネットワーク装置は、第１アップリンクサービスに対応する第１ＵＬ＿ｇｒａｎｔ情報を、第１ＵＬ＿ｇｒａｎｔタイミングに基づき端末装置へ送信する。
【０１４２】
３４０。ネットワーク装置は、第１アップリンクサービスに対応する第１伝送タイミングを決定する。
【０１４３】
具体的に、ネットワーク装置は、複数の伝送タイミングを端末装置に割り当て、複数の伝送タイミングから、第１アップリンクサービスに対応する第１伝送タイミングを決定してよい。ネットワーク装置は、端末装置へ、第２指示情報を送信する。ここで、第２指示情報は、第１伝送タイミングを示すために使用される。
【０１４４】
したがって、本願は、情報伝送方法を提供する。ネットワーク装置は、複数の伝送タイミングを端末装置に割り当て、端末装置が複数のサービスを使用するとき、異なる伝送タイミングが異なるサービスのために使用できるようにし、サービスのＱｏＳを向上する。
【０１４５】
理解されるべきことに、本願では、複数のサービスの各々は、異なる伝送タイミングを使用してよく、第１伝送タイミングは第１アップリンクサービスに対応する伝送タイミングである。
【０１４６】
３５０。ネットワーク装置は、端末装置へ、第１伝送タイミングを示すために使用される第２指示情報を送信する。
【０１４７】
具体的には、ネットワーク装置は指示情報を端末装置へ送信する。ここで、指示情報は、端末装置の第１アップリンクサービスに対応する第１伝送タイミングを示すために使用され、端末装置が第１伝送タイミングに基づき、ネットワーク装置へアップリンクデータを送信するようにする。
【０１４８】
任意で、ネットワーク装置は、第１ＵＬ＿ｇｒａｎｔ情報に対応する第１ダウンリンク制御情報ＤＣＩを端末装置へ送信する。ここで、第１ＤＣＩのフォーマット情報は第１伝送タイミングを示すために使用される。
【０１４９】
具体的に、複数のＤＣＩ種類が無線インタフェースについて定められる。伝送タイミングは、ＵＬ＿ｇｒａｎｔ情報を伝達するＤＣＩ種類に関連付けられ、特定ＤＣＩ種類は特定伝送タイミングに対応する。
【０１５０】
例えば、ＤＣＩ０ａ、ＤＣＩ０ｂ、及びＤＣＩ０ｃは、それぞれ、伝送タイミング１、伝送タイミング２、及び伝送タイミング３に対応する。伝送タイミング１を使用することを決定すると、ネットワーク装置は、ＤＣＩ０ａを用いて端末装置へＵＬ＿ｇｒａｎｔ情報を送信し、ＤＣＩ０ａを受信した後に、端末装置はＮサブフレームの間隔でデータを送信する。伝送タイミング２を使用することを決定すると、ネットワーク装置は、ＤＣＩ０ｂを用いて端末装置へＵＬ＿ｇｒａｎｔ情報を送信し、ＤＣＩ０ｂを受信した後に、端末装置はＭサブフレームの間隔でデータを送信する。伝送タイミング３を使用することを決定すると、ネットワーク装置は、ＤＣＩ０ｃを用いて端末装置へＵＬ＿ｇｒａｎｔ情報を送信し、ＤＣＩ０ｃを受信した後に、端末装置はＫサブフレームの間隔でデータを送信する。
【０１５１】
任意で、ネットワーク装置は、第１ＵＬ＿ｇｒａｎｔ情報に対応する第１ダウンリンク制御情報ＤＣＩを端末装置へ送信する。ここで、第１ＤＣＩの中の特定情報ビットは第１伝送タイミングを示すために使用される。
【０１５２】
具体的に、第１ＵＬ＿ｇｒａｎｔ情報に対応する第１ＤＣＩメッセージの中の特定情報ビットは、伝送タイミングに関連付けるために使用される。
【０１５３】
例えば、１ビットの特定情報ビットがＤＣＩの中で送信される。０は伝送タイミング１を示し、１は伝送タイミング２を示す。ネットワーク装置が伝送タイミング１を使用することを決定すると、ＤＣＩの中の特定情報ビットは０を示し、ネットワーク装置はＵＬ＿ｇｒａｎｔ情報を端末装置へ送信する。ＤＣＩ  ＵＬ＿ｇｒａｎｔを受信した後に、端末装置は、特定情報ビットが０であると検出し、Ｎサブフレームの間隔でデータを送信する。ネットワーク装置が伝送タイミング２を使用することを決定すると、ＤＣＩの中の特定情報ビットは１を示し、ネットワーク装置はＵＬ＿ｇｒａｎｔ情報を端末装置へ送信する。ＤＣＩ  ＵＬ＿ｇｒａｎｔを受信した後に、端末装置は、特定情報ビットが１であると検出し、Ｍサブフレームの間隔でデータを送信する。
【０１５４】
任意で、ネットワーク装置は、第１ＵＬ＿ｇｒａｎｔ情報に対応する第１ダウンリンク制御情報ＤＣＩを端末装置へ送信する。ここで、第１ＤＣＩを伝達する無線インタフェースリソース位置は第１伝送タイミングを示すために使用される。
【０１５５】
具体的に、伝送タイミングは特定リソース位置にあるＤＣＩに関連付けられる。つまり、異なるリソース位置において端末装置により検出されたＤＣＩは、異なる伝送タイミングを有する。
【０１５６】
例えば、リソース１、リソース２、及びリソース３は、それぞれ、伝送タイミング１、伝送タイミング２、及び伝送タイミング３に対応する。伝送タイミング１を使用することを決定すると、ネットワーク装置は、リソース１でＤＣＩを送信し、ＵＬ＿ｇｒａｎｔ情報を端末装置に示し、ＤＣＩを受信した後に、端末装置はＮサブフレームの間隔でデータを送信する。伝送タイミング２を使用することを決定すると、ネットワーク装置は、リソース２でＤＣＩを送信し、ＵＬ＿ｇｒａｎｔ情報を端末装置に示し、ＤＣＩを受信した後に、端末装置はＭサブフレームの間隔でデータを送信する。伝送タイミング３を使用することを決定すると、ネットワーク装置は、リソース３でＤＣＩを送信し、ＵＬ＿ｇｒａｎｔ情報を端末装置に示し、ＤＣＩを受信した後に、端末装置はＫサブフレームの間隔でデータを送信する。
【０１５７】
任意で、リソースは、ＲＢの数、ＲＢ位置、ＣＣＥ（control  channel  element）／ＥＣＣＥ（enhanced  control  channel  element）位置、又はコードリソースを含む。
【０１５８】
任意で、ネットワーク装置は、Ｌ３シグナリングを用いて、複数のＤＣＩリソースグループを端末装置に割り当てる。
【０１５９】
任意で、ネットワーク装置は、第１ＵＬ＿ｇｒａｎｔ情報に対応する第１ダウンリンク制御情報ＤＣＩを端末装置へ送信する。ここで、第１ＤＣＩをスクランブリングする第１無線ネットワーク一時識別子ＲＮＴＩは第１伝送タイミングを示すために使用される。
【０１６０】
具体的に、異なるＲＮＴＩは、ＤＣＩのチャネル符号化処理においてスクランブリングのために使用される。ネットワーク装置は、複数のＲＮＴＩを端末装置に割り当てる。各ＲＮＴＩは、相応して、関連する伝送タイミングのために使用される。
【０１６１】
例えば、ＲＮＴＩ-１、ＲＮＴＩ-２、及びＲＮＴＩ-３は、それぞれ、伝送タイミング１、伝送タイミング２、及び伝送タイミング３に対応する。伝送タイミング１を使用することを決定すると、ネットワーク装置は、ＲＮＴＩ-１を用いてＤＣＩをスクランブリングし、ＵＬ＿ｇｒａｎｔ情報を端末装置に示し、ＤＣＩを受信した後に、端末装置はＮサブフレームの間隔でデータを送信する。伝送タイミング２を使用することを決定すると、ネットワーク装置は、ＲＮＴＩ-２を用いてＤＣＩをスクランブリングし、ＵＬ＿ｇｒａｎｔ情報を端末装置に示し、ＤＣＩを受信した後に、端末装置はＭサブフレームの間隔でデータを送信する。伝送タイミング３を使用することを決定すると、ネットワーク装置は、ＲＮＴＩ-３を用いてＤＣＩをスクランブリングし、ＵＬ＿ｇｒａｎｔ情報を端末装置に示し、ＤＣＩを受信した後に、端末装置はＫサブフレームの間隔でデータを送信する。
【０１６２】
任意で、ネットワーク装置は、Ｌ３シグナリングを用いて、複数のＲＮＴＩを端末装置に割り当てる。
【０１６３】
したがって、本願で提供される情報伝送方法によると、第２指示情報は、端末装置の第１アップリンクサービスに対応する第１伝送タイミングを示すために使用されて、複数の伝送タイミングが無線インタフェース内に同時に存在可能なとき、サービスのＱｏＳが向上されるようにする。
【０１６４】
理解されるべきことに、ネットワーク装置は、ＤＣＩを端末装置に分配することにより第１伝送タイミングを暗に示してよく、又は、第１伝送タイミングを端末装置に直接示してよい。これは、本願において限定されない。
【０１６５】
３６０。端末装置は、第１伝送タイミングに基づき第１アップリンクサービスを送信する。
【０１６６】
具体的に、端末装置は、第１伝送タイミングに基づき、第１アップリンクサービスのアップリンクデータを、ＵＬ＿ｇｒａｎｔ情報の中で示された無線インタフェースリソースで送信する。
【０１６７】
したがって、本願で提供される情報伝送方法によると、第１指示情報は端末装置の第１アップリンクサービスに対応する第１ＵＬ＿ｇｒａｎｔタイミングをネットワーク装置に示すために使用され、第２指示情報は、端末装置の第１アップリンクサービスに対応する第１伝送タイミングを示すために使用されて、サービスのＱｏＳが向上されるようにする。
【０１６８】
本願明細書において用語「及び／又は」は、関連するオブジェクトを説明するための関連付け関係を記載するだけであり、３つの関係が存在し得ることを表す。例えば、Ａ及び／又はＢは、以下の３つの場合を表すことがある。Ａのみが存在する、ＡとＢの両方が存在する、並びに、Ｂのみが存在する。さらに、本願明細書中の記号「／」は、概して、関連するオブジェクト間の「又は」の関係を示す。
【０１６９】
実装過程で、前述の方法のステップは、プロセッサ内のハードウェア集積論理回路を用いて、又はソフトウェア形式の命令を用いて実施されてよい。前述の方法のステップは、代替として、ハードウェアプロセッサにより直接実施されてよく、又はプロセッサ内のハードウェアとソフトウェアモジュールとの組み合わせを用いて実施されてよい。ソフトウェアモジュールは、ランダムアクセスメモリ、フラッシュメモリ、読み出し専用メモリ、プログラマブル読み出し専用メモリ、電気的消去可能プログラマブルメモリ、又はレジスタのような、当分野で成熟した記憶媒体の中に配置されてよい。記憶媒体はメモリ内に配置され、プロセッサはメモリ内の命令を実行し、プロセッサ内のハードウェアと組み合わせて、前述の方法のステップを達成する。繰り返しを回避するために、詳細はここに記載されない。
【０１７０】
図５は、本発明の一実施形態によるネットワーク装置５００の概略ブロック図である。図５に示されるように、ネットワーク装置５００は以下を含む：
複数のハイブリッド自動再送要求ＨＡＲＱタイミングから、端末装置の第１サービスに対応する第１ＨＡＲＱタイミングを決定するよう構成される決定ユニット５１０、及び、
端末装置へ指示情報を送信するよう構成される送信ユニット５２０であって、指示情報は第１ＨＡＲＱタイミングを示すために使用される、送信ユニット５２０。
【０１７１】
任意で、送信ユニット５２０は、具体的に、
第１サービスに対応する第１ダウンリンク制御情報ＤＣＩを端末装置へ送信するよう構成され、第１ＤＣＩの種類は第１ＨＡＲＱタイミングを示すために使用される、又は、第１ＤＣＩの中の特定情報ビットが、第１ＨＡＲＱタイミングを示すために使用される、又は、第１ＤＣＩを伝達する無線インタフェースリソース位置が、第１ＨＡＲＱタイミングを示すために使用される、又は、第１ＤＣＩをスクランブリングする第１無線ネットワーク一時識別子ＲＮＴＩが、第１ＨＡＲＱタイミングを示すために使用される。
【０１７２】
任意で、決定ユニット５１０が複数のハイブリッド自動再送要求ＨＡＲＱタイミングから、端末装置の第１サービスに対応する第１ＨＡＲＱタイミングを決定する前に、送信ユニット５２０は、
ＨＡＲＱタイミングとリソースとの間のマッピング関係に関する情報を端末装置へ送信するよう更に構成され、マッピング関係情報は、複数のＨＡＲＱタイミング及び複数のＨＡＲＱタイミングの各々に対応するリソースを含む。
【０１７３】
任意で、送信ユニット５２０は、具体的に、
Ｌ３シグナリングを端末装置へ送信するよう構成され、Ｌ３シグナリングは、マッピング関係情報を伝達する。
【０１７４】
任意で、第１ＨＡＲＱタイミングは第１ダウンリンクＨＡＲＱタイミングであり、決定ユニット５１０は、具体的に、第１ダウンリンクＨＡＲＱタイミング及びマッピング関係情報に基づき、第１ダウンリンクＨＡＲＱタイミングに対応する第１リソースを決定するよう構成される。ネットワーク装置５００は、第１ダウンリンクＨＡＲＱタイミングに基づき第１リソースで、端末装置により送信され且つ第１サービスに対応する第１ダウンリンクＨＡＲＱフィードバック情報を受信するよう構成される受信ユニット、を更に含む。
【０１７５】
任意で、第１ＨＡＲＱタイミングは第１アップリンクＨＡＲＱタイミングであり、決定ユニット５１０は、具体的に、第１アップリンクＨＡＲＱタイミング及びマッピング関係情報に基づき、第１アップリンクＨＡＲＱタイミングに対応する第１リソースを決定するよう構成される。送信ユニット５２０は、具体的に、第１アップリンクＨＡＲＱタイミングに基づき第１リソースで、第１サービスに対応する第１アップリンクＨＡＲＱフィードバック情報を端末装置へ送信するよう構成される。
【０１７６】
任意で、第１リソースは、リソースブロックＲＢ位置、ＲＢの数、コードワード情報、及びシーケンス番号のうちの少なくとも１つを含む。
【０１７７】
任意で、マッピング関係情報は、以下の対応を含む：複数のダウンリンクＨＡＲＱタイミング及び複数のダウンリンクＨＡＲＱタイミングの各々に対応する物理アップリンク制御チャネルＰＵＣＣＨリソース、複数のダウンリンクＨＡＲＱタイミング及び前記複数のダウンリンクＨＡＲＱタイミングの各々に対応する物理アップリンク共有チャネルＰＵＳＣＨリソース、並びに、複数のアップリンクＨＡＲＱタイミング及び前記複数のアップリンクＨＡＲＱタイミングの各々に対応する物理ハイブリッド自動再送要求指示チャネルＰＨＩＣＨリソース。
【０１７８】
理解されるべきことに、本発明の本実施形態におけるネットワーク装置５００は、本発明の方法の実施形態におけるネットワーク装置に対応してよく、ネットワーク装置５００内の各モジュール及び他のモジュールの動作及び／又は機能は、方法２００の対応する手順を実施するために別個に使用される。簡潔さのために、詳細事項はここで再び記載されない。
【０１７９】
図６は、本発明の別の実施形態によるネットワーク装置６００の概略ブロック図である。図６に示されるように、ネットワーク装置６００は、
プロセッサ６１０と、トランシーバ６２０と、メモリ６３０と、を含み、プロセッサ６１０、トランシーバ６２０、及びメモリ６３０は、バスシステムを用いて接続され、メモリ６３０は命令を格納するよう構成され、プロセッサ６１０は、メモリ６３０に格納された命令を実行して、信号を受信又は送信するようトランシーバ６２０を制御するよう構成される。
【０１８０】
プロセッサ６１０は、複数のハイブリッド自動再送要求ＨＡＲＱタイミングから、端末装置の第１サービスに対応する第１ＨＡＲＱタイミングを決定するよう構成される。
【０１８１】
トランシーバ６２０は、端末装置へ指示情報を送信するよう構成され、指示情報は、第１ＨＡＲＱタイミングを示すために使用される。
【０１８２】
任意で、プロセッサ６１０が複数のハイブリッド自動再送要求ＨＡＲＱタイミングから、端末装置の第１サービスに対応する第１ＨＡＲＱタイミングを決定する前に、トランシーバ６２０は、ＨＡＲＱタイミングとリソースとの間のマッピング関係に関する情報を端末装置へ送信するよう更に構成され、マッピング関係情報は、複数のＨＡＲＱタイミング及び複数のＨＡＲＱタイミングの各々に対応するリソースを含む。
【０１８３】
理解されるべきことに、本発明の本実施形態におけるネットワーク装置６００は、本発明の方法の実施形態におけるネットワーク装置に対応してよく、又はネットワーク装置５００内の各モジュールの動作及び／又は機能に対応してよい。簡潔さのために、詳細事項はここで再び記載されない。
【０１８４】
図７は、本発明の一実施形態による端末装置７００の概略ブロック図である。図７に示すように、端末装置７００は、
ネットワーク装置により送信された指示情報を受信するよう構成される受信ユニット７１０であって、指示情報は、複数のハイブリッド自動再送要求ＨＡＲＱタイミングの中で、端末装置の第１サービスに対応する第１ＨＡＲＱタイミングを示すために使用される、受信ユニット７１０と、
第１ＨＡＲＱタイミングに基づき、第１サービスに対応するＨＡＲＱフィードバック情報を受信し又は送信するよう構成される伝送ユニット７２０と、を含む。
【０１８５】
任意で、受信ユニット７１０は、具体的に、
ネットワーク装置により送信され且つ第１サービスに対応する第１ダウンリンク制御情報ＤＣＩを受信するよう構成され、
第１ＤＣＩの種類は第１ＨＡＲＱタイミングを示すために使用される、又は、第１ＤＣＩの中の特定情報ビットが、第１ＨＡＲＱタイミングを示すために使用される、又は、第１ＤＣＩを伝達する無線インタフェースリソース位置が、第１ＨＡＲＱタイミングを示すために使用される、又は、第１ＤＣＩをスクランブリングする第１無線ネットワーク一時識別子ＲＮＴＩが、第１ＨＡＲＱタイミングを示すために使用される。
【０１８６】
任意で、受信ユニット７１０がネットワーク装置により送信された指示情報を受信する前に、受信ユニット７１０は、
ＨＡＲＱタイミングとリソースとの間のマッピング関係に関し且つネットワーク装置により送信された情報を受信するよう更に構成され、マッピング関係の情報は、複数のＨＡＲＱタイミング及び複数のＨＡＲＱタイミングの各々に対応するリソースを含む。
【０１８７】
任意で、伝送ユニット７２０は、具体的に、
Ｌ３シグナリングを端末装置へ送信するよう構成され、Ｌ３シグナリングは、マッピング関係情報を伝達する。
【０１８８】
任意で、第１ＨＡＲＱタイミングは第１ダウンリンクＨＡＲＱタイミングであり、伝送ユニット７２０は、具体的に、
第１ダウンリンクＨＡＲＱタイミング及びマッピング関係情報に基づき、第１ダウンリンクＨＡＲＱタイミングに対応する第１リソースを決定し、第１ダウンリンクＨＡＲＱタイミングに基づき第１リソースで、第１サービスに対応する第１ダウンリンクＨＡＲＱフィードバック情報をネットワーク装置へ送信するよう構成される。
【０１８９】
任意で、第１ＨＡＲＱタイミングは第１アップリンクＨＡＲＱタイミングであり、伝送ユニット７２０は、具体的に、
第１アップリンクＨＡＲＱタイミング及びマッピング関係情報に基づき、第１アップリンクＨＡＲＱタイミングに対応する第１リソースを決定し、第１アップリンクＨＡＲＱタイミングに基づき第１リソースで、ネットワーク装置により送信され且つ第１サービスに対応する第１アップリンクＨＡＲＱフィードバック情報を受信するよう構成される。
【０１９０】
任意で、第１リソースは、リソースブロックＲＢ位置、ＲＢの数、コードワード情報、及びシーケンス番号のうちの少なくとも１つを含む。
【０１９１】
任意で、マッピング関係情報は、以下の対応を含む：複数のダウンリンクＨＡＲＱタイミング及び複数のダウンリンクＨＡＲＱタイミングの各々に対応する物理アップリンク制御チャネルＰＵＣＣＨリソース、複数のダウンリンクＨＡＲＱタイミング及び前記複数のダウンリンクＨＡＲＱタイミングの各々に対応する物理アップリンク共有チャネルＰＵＳＣＨリソース、並びに、複数のアップリンクＨＡＲＱタイミング及び前記複数のアップリンクＨＡＲＱタイミングの各々に対応する物理ハイブリッド自動再送要求指示チャネルＰＨＩＣＨリソース。
【０１９２】
理解されるべきことに、本発明の本実施形態における端末装置７００は、本発明の方法の実施形態における端末装置に対応してよく、端末装置７００内の各モジュール及び他のモジュールの動作及び／又は機能は、方法２００の対応する手順を実施するために別個に使用される。簡潔さのために、詳細はここで再び記載されない。
【０１９３】
図８は、本発明の別の実施形態による端末装置８００の概略ブロック図である。図８に示されるように、端末装置８００は、
プロセッサ８１０と、トランシーバ８２０と、メモリ８３０と、を含み、プロセッサ８１０、トランシーバ８２０、及びメモリ８３０は、バスシステムを用いて接続され、メモリ８３０は命令を格納するよう構成され、プロセッサ８１０は、メモリ８３０に格納された命令を実行して、信号を受信又は送信するようトランシーバ８２０を制御するよう構成される。
【０１９４】
トランシーバ８２０は、具体的に、ネットワーク装置により送信された指示情報を受信し、指示情報は、複数のハイブリッド自動再送要求ＨＡＲＱタイミングの中で、端末装置の第１サービスに対応する第１ＨＡＲＱタイミングを示すために使用され、第１ＨＡＲＱタイミングに基づき、第１サービスに対応するＨＡＲＱフィードバック情報を受信又は送信する、よう構成される。
【０１９５】
任意で、トランシーバ８２０がネットワーク装置により送信された指示情報を受信するよう構成される前に、トランシーバ８２０は、ＨＡＲＱタイミングとリソースとの間のマッピング関係に関し且つネットワーク装置により送信された情報を受信するよう更に構成され、マッピング関係情報は、複数のＨＡＲＱタイミング及び複数のＨＡＲＱタイミングの各々に対応するリソースを含む。
【０１９６】
理解されるべきことに、本発明の本実施形態における端末装置８００は、本発明の方法の実施形態における端末装置に対応してよく、又は端末装置７００内の各モジュールの動作及び／又は機能に対応してよい。簡潔さのために、詳細はここで再び記載されない。
【０１９７】
図９は、本発明の別の実施形態による端末装置９００の概略ブロック図である。図９に示されるように、端末装置９００は、
複数のアップリンク許可ＵＬ＿ｇｒａｎｔタイミングから、端末装置の第１アップリンクサービスに対応する第１ＵＬ＿ｇｒａｎｔタイミングを決定するよう構成される決定ユニット９１０と、
ネットワーク装置へ第１指示情報を送信するよう構成される送信ユニット９２０であって、第１指示情報は第１ＵＬ＿ｇｒａｎｔタイミングを示すために使用される、送信ユニット９２０と、を含む。
【０１９８】
任意で、送信ユニット９２０は、具体的に、
第１アップリンクサービスに対応する第１アップリンクスケジューリング要求ＳＲ及び／又は第１アップリンクサービスに対応する第１バッファ状態情報ＢＳＲをネットワーク装置へ送信するよう構成され、第１ＳＲの種類及び／又は第１ＢＳＲの種類は、第１ＵＬ＿ｇｒａｎｔタイミングを示すために使用される、又は、第１ＳＲ及び／又は第１ＢＳＲを伝達する無線インタフェースリソース位置は、第１ＵＬ＿ｇｒａｎｔタイミングを示すために使用される。
【０１９９】
任意で、端末装置は、
ネットワーク装置により送信された第２指示情報を受信するよう構成される受信ユニット９３０であって、第２指示情報は複数の伝送タイミングの中で第１アップリンクサービスに対応する第１伝送タイミングを示すために使用される、受信ユニット９３０、を更に含む。
【０２００】
送信ユニット９２０は、題１伝送タイミングに基づき、第１アップリンクサービスをネットワーク装置へ送信するよう更に構成される。
【０２０１】
任意で、受信ユニット９３０は、具体的に、
ネットワーク装置により送信された第１ダウンリンク制御情報ＤＣＩを受信するよう構成され、第１ＤＣＩは第１ＵＬ＿ｇｒａｎｔ情報を含み、第１ＤＣＩのフォーマット情報は第１伝送タイミングを示すために使用される、又は、第１ＤＣＩの中の特定情報ビットが、第１伝送タイミングを示すために使用される、又は、第１ＤＣＩを伝達する無線インタフェースリソース位置が、第１伝送タイミングを示すために使用される、又は、第１ＤＣＩをスクランブリングする第１無線ネットワーク一時識別子ＲＮＴＩが、第１伝送タイミングを示すために使用される。
【０２０２】
理解されるべきことに、本発明の本実施形態における端末装置９００は、本発明の方法の実施形態における端末装置に対応してよく、端末装置９００内の各モジュール及び他のモジュールの動作及び／又は機能は、方法３００の対応する手順を実施するために別個に使用される。簡潔さのために、詳細はここで再び記載されない。
【０２０３】
図１０は、本発明の別の実施形態による端末装置１０００の概略ブロック図である。図１０に示されるように、端末装置１０００は、
プロセッサ１０１０と、トランシーバ１０２０と、メモリ１０３０と、を含み、プロセッサ１０１０、トランシーバ１０２０、及びメモリ１０３０は、バスシメモリ１０３０に格納された命令を実行して、信号を受信又は送信するようトランシーバ１０２０を制御するよう構成される。
【０２０４】
プロセッサ１０１０は、具体的に、複数のアップリンク許可ＵＬ＿ｇｒａｎｔタイミングから、端末装置の第１アップリンクサービスに対応する第１ＵＬ＿ｇｒａｎｔタイミングを決定するよう構成される。
【０２０５】
トランシーバ１０２０は、具体的に、第１指示情報をネットワーク装置へ送信するよう構成され、第１指示情報は第１ＵＬ＿ｇｒａｎｔタイミングを示すために使用される。
【０２０６】
任意で、トランシーバ１０２０は、ネットワーク装置により送信された第２指示情報を受信し、第２指示情報は、複数の伝送タイミングの中で第１アップリンクサービスに対応する第１伝送タイミングを示すために使用され、第１伝送タイミングに基づき、第１アップリンクサービスをネットワーク装置へ送信するよう更に構成される。
【０２０７】
理解されるべきことに、本発明の本実施形態における端末装置１０００は、本発明の方法の実施形態における端末装置に対応してよく、又は端末装置９００内の各モジュールの動作及び／又は機能に対応してよい。簡潔さのために、詳細はここで再び記載されない。
【０２０８】
図１１は、本発明の別の実施形態によるネットワーク装置１１００の概略ブロック図である。図１１に示されるように、ネットワーク装置１１００は、
端末装置により送信された第１指示情報を受信するよう構成される受信ユニット１１１０であって、第１指示情報は、複数のアップリンク許可ＵＬ＿ｇｒａｎｔタイミングの中で、端末装置の第１アップリンクサービスに対応する第１ＵＬ＿ｇｒａｎｔタイミングを示すために使用される、受信ユニット１１１０と、
第１ＵＬ＿ｇｒａｎｔタイミングに基づき、第１アップリンクサービスに対応する第１ＵＬ＿ｇｒａｎｔ情報を送信するよう構成される送信ユニット１１２０と、を含む。
【０２０９】
任意で、受信ユニット１１１０は、具体的に、
第１アップリンクサービスに対応する第１アップリンクスケジューリング要求ＳＲ及び／又は第１アップリンクサービスに対応する第１バッファ状態情報ＢＳＲを受信するよう構成され、第１ＳＲ及び第１ＢＳＲは端末装置により送信され、第１ＳＲの種類及び第１ＢＳＲの種類は第１ＵＬ＿ｇｒａｎｔタイミングを示すために使用される、又は、第１ＳＲ及び第１ＢＳＲを伝達する無線インタフェースリソース位置は、第１ＵＬ＿ｇｒａｎｔタイミングを示すために使用される。
【０２１０】
任意で、ネットワーク装置１１００は、複数の伝送タイミングから、第１アップリンクサービスに対応する第１伝送タイミングを決定するよう構成される決定ユニット１１３０を更に含む。
【０２１１】
送信ユニット１１２０は、端末装置へ第２指示情報を送信するよう更に構成され、第２指示情報は、第１伝送タイミングを示すために使用される。
【０２１２】
任意で、送信ユニット１１２０は、具体的に、
端末装置へ第１ダウンリンク制御情報ＤＣＩを送信するよう構成され、第１ＤＣＩは第１ＵＬ＿ｇｒａｎｔ情報を含み、第１ＤＣＩのフォーマット情報は第１伝送タイミングを示すために使用される、又は、第１ＤＣＩの中の特定情報ビットが、第１伝送タイミングを示すために使用される、又は、第１ＤＣＩを伝達する無線インタフェースリソース位置が、第１伝送タイミングを示すために使用される、又は、第１ＤＣＩをスクランブリングする第１無線ネットワーク一時識別子ＲＮＴＩが、第１伝送タイミングを示すために使用される。
【０２１３】
理解されるべきことに、本発明の本実施形態におけるネットワーク装置１１００は、本発明の方法の実施形態におけるネットワーク装置に対応してよく、ネットワーク装置１１００内の各モジュール及び他のモジュールの動作及び／又は機能は、方法３００の対応する手順を実施するために別個に使用される。簡潔さのために、詳細はここで再び記載されない。
【０２１４】
図１２は、本発明の別の実施形態によるネットワーク装置１２００の概略ブロック図である。図１２に示されるように、ネットワーク装置１２００は、
プロセッサ１２１０と、トランシーバ１２２０と、メモリ１２３０と、を含み、プロセッサ１２１０、トランシーバ１２２０、及びメモリ１２３０は、バスシステムを用いて接続され、メモリ１２３０は命令を格納するよう構成され、プロセッサ１２１０は、メモリ１２３０に格納された命令を実行して、信号を受信又は送信するようトランシーバ１２２０を制御するよう構成される。
【０２１５】
トランシーバ１２２０は、端末装置により送信された第１指示情報を受信し、第１指示情報は、複数のアップリンク許可ＵＬ＿ｇｒａｎｔタイミングの中で、端末装置の第１アップリンクサービスに対応する第１ＵＬ＿ｇｒａｎｔタイミングを示すために使用され、第１ＵＬ＿ｇｒａｎｔタイミングに基づき、第１アップリンクサービスに対応する第１ＵＬ＿ｇｒａｎｔ情報を送信するよう構成される。
【０２１６】
任意で、プロセッサ１２１０は、複数の伝送タイミングから、第１アップリンクサービスに対応する第１伝送タイミングを決定するよう構成される。
【０２１７】
任意で、トランシーバ１２２０は、端末装置へ第２指示情報を送信するよう構成され、第２指示情報は、第１伝送タイミングを示すために使用される。
【０２１８】
理解されるべきことに、本発明の本実施形態におけるネットワーク装置１２００は、本発明の方法の実施形態におけるネットワーク装置に対応してよく、又はネットワーク装置１１００内の各モジュールの動作及び／又は機能に対応してよい。簡潔さのために、詳細はここで再び記載されない。
【０２１９】
当業者は、本願明細書に開示の実施形態で記載された方法と組み合わせて、方法のステップ及びユニットが、電子ハードウェア、コンピュータソフトウェア、又はそれらの組み合わせにより実施され得ることを認識できる。ハードウェアとソフトウェアとの間の同義性を明確に記載するために、以上は、機能に基づき実施形態の組み合わせ及びステップを一般的に記載した。機能がハードウェア又はソフトウェアにより実行されるかは、技術的ソリューションの特定の適用及び設計制約に依存する。当業者は、各々の特定の適用について記載の機能を実施するために異なる方法を使用できるが、実装が本発明の範囲を超えると考えられるべきではない。
【０２２０】
便宜上及び簡潔な説明のために、前述のシステム、機器、及びユニットの詳細な動作処理については、前述の方法の実施形態における対応する処理を参照して良く、詳細事項はここで再び記載されないことが、当業者により明らかに理解され得る。
【０２２１】
本願において提供される幾つかの実施形態では、開示のシステム、機器、及び方法は他の方法で実装されて良いことが理解されるべきである。例えば、記載した機器の実施形態は単なる一例である。例えば、ユニットの分割は、単なる論理的機能の分割であり、実際の実装では他の分割であってよい。例えば、複数のユニット又はコンポーネントは、別のシステムに結合又は統合されてよい。或いは、幾つかの機能は無視されるか又は実行されなくてよい。さらに、表示した又は議論した相互結合又は直接結合又は通信接続は、幾つかのインタフェースを使用することにより実装されてよい。機器又はユニット間の間接結合又は通信接続は、電気的、機械的又は他の形式で実装されてよい。
【０２２２】
別個の部分として記載されたユニットは、物理的に別個であってよく又はそうでなくてよい。また、ユニットとして表示された部分は、物理的なユニットであってよく又はそうでなくてよく、１カ所に置かれてよく或いは複数のネットワークユニットに分散されてよい。一部又は全部のユニットは、本発明の実施形態のソリューションの目的を達成するために実際の必要に応じて選択されて良い。
【０２２３】
さらに、本願の実施形態における機能ユニットは、１つの処理ユニットに統合されてよく、或いは各ユニットが物理的に単独で存在してよく、或いは２以上のユニットが１つのユニットに統合されてよい。統合ユニットは、ハードウェアの形式で実装されてよく、又はソフトウェア機能ユニットの形式で実装されてよい。
【０２２４】
統合ユニットがソフトウェア機能ユニットの形式で実装され、独立した製品として販売され又は使用されるとき、統合ユニットは、コンピュータ可読記憶媒体に格納されてよい。このような理解に基づき、本願の基本的技術的ソリューション、又は従来技術に貢献する部分、又は技術的ソリューションの全部若しくは一部は、ソフトウェアプロダクトの形式で実施されてよい。コンピュータソフトウェアプロダクトは、記憶媒体に格納され、コンピュータ装置（パーソナルコンピュータ、サーバ、ネットワーク装置、等であってよい）に、本願の実施形態で記載された方法のステップの全部又は一部を実行するよう指示する複数の命令を含む。前述の記憶媒体は、ＵＳＢフラッシュディスク、取り外し可能ハードディスク、読み出し専用メモリ（Read-Only  Memory、略称：ROM）、ランダムアクセスメモリ（Random  Access  Memory、略称：RAM）、磁気ディスク又は光ディスクのような、プログラムコードを格納可能な任意の媒体を含む。
【０２２５】
上述の説明は、本願の単なる特定の実装であり、本願の保護範囲を制限するものではない。本願に開示された技術範囲内にある、当業者により直ちに考案される任意の変形又は置換は、本願の保護範囲に包含されるべきである。したがって、本願の保護範囲は、請求項の保護範囲に従べきである。
【手続補正２】
【補正対象書類名】特許請求の範囲
【補正対象項目名】全文
【補正方法】変更
【補正の内容】
【特許請求の範囲】
【請求項１】
情報伝送方法であって、前記方法は、
ネットワーク装置により、複数のハイブリッド自動再送要求ＨＡＲＱタイミングから、端末装置の第１サービスに対応する第１ＨＡＲＱタイミングを決定するステップと、
前記ネットワーク装置により、前記端末装置へ指示情報を送信するステップであって、前記指示情報は前記第１ＨＡＲＱタイミングを示すために使用される、ステップと、
を含む方法。
【請求項２】
前記ネットワーク装置により、前記端末装置へ指示情報を送信する前記ステップは、
前記ネットワーク装置により、前記第１サービスに対応する第１ダウンリンク制御情報ＤＣＩを前記端末装置へ送信するステップであって、
前記第１ＨＡＲＱタイミングは、前記第１ＤＣＩの種類又は前記第１ＤＣＩの中の特定情報ビット又は前記第１ＤＣＩを伝達する無線インタフェースリソース位置又は前記第１ＤＣＩをスクランブリングする第１無線ネットワーク一時識別子ＲＮＴＩを用いて示される、ステップを含む、請求項１に記載の方法。
【請求項３】
ネットワーク装置により、複数のハイブリッド自動再送要求ＨＡＲＱタイミングから、端末装置の第１サービスに対応する第１ＨＡＲＱタイミングを決定する前記ステップの前に、前記方法は、
前記ネットワーク装置により、ＨＡＲＱタイミングとリソースとの間のマッピング関係に関する情報を前記端末装置へ送信するステップであって、前記マッピング関係の情報は、前記複数のＨＡＲＱタイミング及び前記複数のＨＡＲＱタイミングの各々に対応するリソースを含む、ステップ、
を更に含む請求項１又は２に記載の方法。
【請求項４】
前記第１ＨＡＲＱタイミングは第１ダウンリンクＨＡＲＱタイミングであり、前記方法は、
前記ネットワーク装置により、前記第１ダウンリンクＨＡＲＱタイミング及び前記マッピング関係の情報に基づき、前記第１ダウンリンクＨＡＲＱタイミングに対応する第１リソースを決定するステップと、
前記ネットワーク装置により、前記第１ダウンリンクＨＡＲＱタイミングに基づき前記第１リソースで、前記端末装置により送信され且つ前記第１サービスに対応する第１ダウンリンクＨＡＲＱフィードバック情報を受信するステップと、
を更に含む請求項３に記載の方法。
【請求項５】
前記第１ＨＡＲＱタイミングは第１アップリンクＨＡＲＱタイミングであり、前記方法は、
前記ネットワーク装置により、前記第１アップリンクＨＡＲＱタイミング及び前記マッピング関係の情報に基づき、前記第１アップリンクＨＡＲＱタイミングに対応する第１リソースを決定するステップと、
前記ネットワーク装置により、前記第１アップリンクＨＡＲＱタイミングに基づき前記第１リソースで、前記端末装置へ前記第１サービスに対応する第１アップリンクＨＡＲＱフィードバック情報を送信するステップと、
を更に含む請求項３に記載の方法。
【請求項６】
前記第１リソースは、リソースブロックＲＢ位置、ＲＢの数、コードワード情報、及びシーケンス番号のうちの少なくとも１つを含む、請求項４又は５に記載の方法。
【請求項７】
前記マッピング関係の情報は、以下の対応：
複数のダウンリンクＨＡＲＱタイミング、及び前記複数のダウンリンクＨＡＲＱタイミングの各々に対応する物理アップリンク制御チャネルＰＵＣＣＨリソース、
複数のダウンリンクＨＡＲＱタイミング、及び前記複数のダウンリンクＨＡＲＱタイミングの各々に対応する物理アップリンク共有チャネルＰＵＳＣＨリソース、及び、
複数のアップリンクＨＡＲＱタイミング、及び前記複数のアップリンクＨＡＲＱタイミングの各々に対応する物理ハイブリッド自動再送要求指示チャネルＰＨＩＣＨリソース、
のうちの少なくとも１つを含む、請求項３乃至６のいずれか一項に記載の方法。
【請求項８】
情報伝送方法であって、前記方法は、
端末装置により、ネットワーク装置により送信された指示情報を受信するステップであって、前記指示情報は、複数のハイブリッド自動再送要求ＨＡＲＱタイミングの中で、前記端末装置の第１サービスに対応する第１ＨＡＲＱタイミングを示すために使用される、ステップと、
前記端末装置により、前記第１ＨＡＲＱタイミングに基づき、前記第１サービスに対応するＨＡＲＱフィードバック情報を受信又は送信するステップと、
を含む方法。
【請求項９】
端末装置により、ネットワーク装置により送信された指示情報を受信する前記ステップは、
前記端末装置により、前記ネットワーク装置により送信され且つ前記第１サービスに対応する第１ダウンリンク制御情報ＤＣＩを受信するステップであって、
前記第１ＤＣＩの種類は前記第１ＨＡＲＱタイミングを示すために使用される、又は、
前記第１ＤＣＩの中の特定情報ビットが、前記第１ＨＡＲＱタイミングを示すために使用される、又は、
前記第１ＤＣＩを伝達する無線インタフェースリソース位置が、前記第１ＨＡＲＱタイミングを示すために使用される、又は、
前記第１ＤＣＩをスクランブリングする第１無線ネットワーク一時識別子ＲＮＴＩが、前記第１ＨＡＲＱタイミングを示すために使用される、ステップを含む、請求項８に記載の方法。
【請求項１０】
端末装置により、ネットワーク装置により送信された指示情報を受信する前記ステップの前に、前記方法は、
前記端末装置により、ＨＡＲＱタイミングとリソースとの間のマッピング関係に関し且つ前記ネットワーク装置により送信された情報を受信するステップであって、前記マッピング関係の情報は、複数のＨＡＲＱタイミング及び前記複数のＨＡＲＱタイミングの各々に対応するリソースを含む、ステップ、を更に含む請求項８又は９に記載の方法。
【請求項１１】
前記マッピング関係の情報は、以下の対応：
複数のダウンリンクＨＡＲＱタイミング、及び前記複数のダウンリンクＨＡＲＱタイミングの各々に対応する物理アップリンク制御チャネルＰＵＣＣＨリソース、
複数のダウンリンクＨＡＲＱタイミング、及び前記複数のダウンリンクＨＡＲＱタイミングの各々に対応する物理アップリンク共有チャネルＰＵＳＣＨリソース、及び、
複数のアップリンクＨＡＲＱタイミング、及び前記複数のアップリンクＨＡＲＱタイミングの各々に対応する物理ハイブリッド自動再送要求指示チャネルＰＨＩＣＨリソース、
を含む、請求項１０に記載の方法。
【請求項１２】
情報伝送方法であって、前記方法は、
端末装置により、複数のアップリンク許可ＵＬ＿ｇｒａｎｔタイミングから、前記端末装置の第１アップリンクサービスに対応する第１ＵＬ＿ｇｒａｎｔタイミングを決定するステップと、
前記端末装置により、ネットワーク装置へ第１指示情報を送信するステップであって、前記第１指示情報は前記第１ＵＬ＿ｇｒａｎｔタイミングを示すために使用される、ステップと、
を含む方法。
【請求項１３】
前記端末装置により、ネットワーク装置へ第１指示情報を送信する前記ステップは、
前記端末装置により、前記第１アップリンクサービスに対応する第１アップリンクスケジューリング要求ＳＲ及び／又は前記第１アップリンクサービスに対応する第１バッファ状態情報ＢＳＲを、前記ネットワーク装置へ送信するステップであって、
前記第１ＳＲの種類及び／又は前記第１ＢＳＲの種類は、前記第１ＵＬ＿ｇｒａｎｔタイミングを示すために使用される、又は、
前記第１ＳＲ及び／又は前記第１ＢＳＲを伝達する無線インタフェースリソース位置は、前記第１ＵＬ＿ｇｒａｎｔタイミングを示すために使用される、ステップを含む、請求項１２に記載の方法。
【請求項１４】
前記方法は、
前記端末装置により、前記ネットワーク装置により送信された第２指示情報を受信するステップであって、前記第２指示情報は、複数の伝送タイミングの中で前記第１アップリンクサービスに対応する第１伝送タイミングを示すために使用される、ステップと、
前記端末装置により、前記第１伝送タイミングに基づき、前記第１アップリンクサービスを前記ネットワーク装置へ送信するステップと、
を更に含む請求項１２又は１３に記載の方法。
【請求項１５】
前記端末装置により、前記ネットワーク装置により送信された第２指示情報を受信する前記ステップは、
前記端末装置により、前記ネットワーク装置により送信された第１ダウンリンク制御情報ＤＣＩを受信するステップであって、
前記第１ＤＣＩは第１ＵＬ＿ｇｒａｎｔ情報を含み、前記第１ＤＣＩのフォーマット情報は前記第１伝送タイミングを示すために使用される、又は、
前記第１ＤＣＩの中の特定情報ビットが、前記第１伝送タイミングを示すために使用される、又は、
前記第１ＤＣＩを伝達する無線インタフェースリソース位置が、前記第１伝送タイミングを示すために使用される、又は、
前記第１ＤＣＩをスクランブリングする第１無線ネットワーク一時識別子ＲＮＴＩが、前記第１伝送タイミングを示すために使用される、ステップを含む、請求項１４に記載の方法。
【請求項１６】
情報伝送方法であって、前記方法は、
ネットワーク装置により、端末装置により送信された第１指示情報を受信するステップであって、前記第１指示情報は、複数のアップリンク許可ＵＬ＿ｇｒａｎｔタイミングの中で、前記端末装置の第１アップリンクサービスに対応する第１ＵＬ＿ｇｒａｎｔタイミングを示すために使用される、ステップと、
前記ネットワーク装置により、前記第１ＵＬ＿ｇｒａｎｔタイミングに基づき、前記第１アップリンクサービスに対応する第１ＵＬ＿ｇｒａｎｔ情報を送信するステップと、
を含む方法。
【請求項１７】
ネットワーク装置により、端末装置により送信された第１指示情報を受信する前記ステップは、
前記ネットワーク装置により、前記第１アップリンクサービスに対応する第１アップリンクスケジューリング要求ＳＲ及び／又は前記第１アップリンクサービスに対応する第１バッファ状態情報ＢＳＲを受信するステップであって、前記第１ＳＲ及び前記第１ＢＳＲは前記端末装置により送信され、
前記第１ＳＲの種類及び前記第１ＢＳＲの種類は前記第１ＵＬ＿ｇｒａｎｔタイミングを示すために使用される、又は、
前記第１ＳＲ及び前記第１ＢＳＲを伝達する無線インタフェースリソース位置は、前記第１ＵＬ＿ｇｒａｎｔタイミングを示すために使用される、ステップを含む、請求項１６に記載の方法。
【請求項１８】
前記方法は、
前記ネットワーク装置により、複数の伝送タイミングから前記第１アップリンクサービスに対応する第１伝送タイミングを決定するステップと、
前記ネットワーク装置により、前記端末装置へ第２指示情報を送信するステップであって、前記第２指示情報は前記第１伝送タイミングを示すために使用される、ステップと、
を更に含む請求項１６又は１７に記載の方法。
【請求項１９】
前記ネットワーク装置により、前記端末装置へ第２指示情報を送信する前記ステップは、
前記ネットワーク装置により、前記端末装置へ第１ダウンリンク制御情報ＤＣＩを送信するステップであって、
前記第１ＤＣＩは第１ＵＬ＿ｇｒａｎｔ情報を含み、前記第１伝送タイミングは、前記第１ＤＣＩのフォーマット情報又は前記第１ＤＣＩの中の特定情報ビット又は前記第１ＤＣＩを伝達する無線インタフェースリソース位置又は前記第１ＤＣＩをスクランブリングする第１無線ネットワーク一時識別子ＲＮＴＩを用いて示される、ステップを含む、請求項１８に記載の方法。
【請求項２０】
情報を伝送するネットワーク装置であって、前記ネットワーク装置は、
複数のハイブリッド自動再送要求ＨＡＲＱタイミングから、端末装置の第１サービスに対応する第１ＨＡＲＱタイミングを決定するよう構成される決定ユニットと、
前記端末装置へ指示情報を送信するよう構成される送信ユニットであって、前記指示情報は前記第１ＨＡＲＱタイミングを示すために使用される、送信ユニットと、
を含むネットワーク装置。
【請求項２１】
前記送信ユニットは、具体的に、
前記第１サービスに対応する第１ダウンリンク制御情報ＤＣＩを前記端末装置へ送信するよう構成され、
前記第１ＨＡＲＱタイミングは、前記第１ＤＣＩの種類又は前記第１ＤＣＩの中の特定情報ビット又は前記第１ＤＣＩを伝達する無線インタフェースリソース位置又は前記第１ＤＣＩをスクランブリングする第１無線ネットワーク一時識別子ＲＮＴＩを用いて示される、請求項２０に記載のネットワーク装置。
【請求項２２】
前記複数のハイブリッド自動再送要求ＨＡＲＱタイミングから、前記端末装置の前記第１サービスに対応する前記第１ＨＡＲＱタイミングを決定する前に、前記送信ユニットは、
ＨＡＲＱタイミングとリソースとの間のマッピング関係に関する情報を前記端末装置へ送信するよう更に構成され、前記マッピング関係の情報は、前記複数のＨＡＲＱタイミング及び前記複数のＨＡＲＱタイミングの各々に対応するリソースを含む、請求項２０又は２１に記載のネットワーク装置。
【請求項２３】
前記マッピング関係の情報は、以下の対応：
複数のダウンリンクＨＡＲＱタイミング、及び前記複数のダウンリンクＨＡＲＱタイミングの各々に対応する物理アップリンク制御チャネルＰＵＣＣＨリソース、
複数のダウンリンクＨＡＲＱタイミング、及び前記複数のダウンリンクＨＡＲＱタイミングの各々に対応する物理アップリンク共有チャネルＰＵＳＣＨリソース、及び、
複数のアップリンクＨＡＲＱタイミング、及び前記複数のアップリンクＨＡＲＱタイミングの各々に対応する物理ハイブリッド自動再送要求指示チャネルＰＨＩＣＨリソース、
を含む、請求項２２に記載のネットワーク装置。
【請求項２４】
情報を伝送するネットワーク装置であって、前記端末装置は、
ネットワーク装置により送信された指示情報を受信するよう構成される受信ユニットであって、前記指示情報は、複数のハイブリッド自動再送要求ＨＡＲＱタイミングの中で、前記端末装置の第１サービスに対応する第１ＨＡＲＱタイミングを示すために使用される、受信ユニットと、
前記第１ＨＡＲＱタイミングに基づき、前記第１サービスに対応するＨＡＲＱフィードバック情報を受信し又は送信するよう構成される伝送ユニットと、
を含む端末装置。
【請求項２５】
前記受信ユニットは、具体的に、
前記ネットワーク装置により送信され且つ前記第１サービスに対応する第１ダウンリンク制御情報ＤＣＩを受信するよう構成され、
前記第１ＤＣＩの種類は前記第１ＨＡＲＱタイミングを示すために使用される、又は、
前記第１ＤＣＩの中の特定情報ビットが、前記第１ＨＡＲＱタイミングを示すために使用される、又は、
前記第１ＤＣＩを伝達する無線インタフェースリソース位置が、前記第１ＨＡＲＱタイミングを示すために使用される、又は、
前記第１ＤＣＩをスクランブリングする第１無線ネットワーク一時識別子ＲＮＴＩが、前記第１ＨＡＲＱタイミングを示すために使用される、請求項２４に記載の端末装置。
【請求項２６】
前記ネットワーク装置により送信された前記指示情報を受信する前に、前記受信ユニットは、
ＨＡＲＱタイミングとリソースとの間のマッピング関係に関し且つ前記ネットワーク装置により送信された情報を受信するよう更に構成され、前記マッピング関係の情報は、複数のＨＡＲＱタイミング及び前記複数のＨＡＲＱタイミングの各々に対応するリソースを含む、請求項２４又は２５に記載の端末装置。
【請求項２７】
前記マッピング関係の情報は、以下の対応：
複数のダウンリンクＨＡＲＱタイミング、及び前記複数のダウンリンクＨＡＲＱタイミングの各々に対応する物理アップリンク制御チャネルＰＵＣＣＨリソース、
複数のダウンリンクＨＡＲＱタイミング、及び前記複数のダウンリンクＨＡＲＱタイミングの各々に対応する物理アップリンク共有チャネルＰＵＳＣＨリソース、及び、
複数のアップリンクＨＡＲＱタイミング、及び前記複数のアップリンクＨＡＲＱタイミングの各々に対応する物理ハイブリッド自動再送要求指示チャネルＰＨＩＣＨリソース、
を含む、請求項２６に記載の端末装置。
【請求項２８】
情報を伝送するネットワーク装置であって、前記端末装置は、
複数のアップリンク許可ＵＬ＿ｇｒａｎｔタイミングから、前記端末装置の第１アップリンクサービスに対応する第１ＵＬ＿ｇｒａｎｔタイミングを決定するよう構成される決定ユニットと、
ネットワーク装置へ第１指示情報を送信するよう構成される送信ユニットであって、前記第１指示情報は前記第１ＵＬ＿ｇｒａｎｔタイミングを示すために使用される、送信ユニットと、
を含む端末装置。
【請求項２９】
前記送信ユニットは、具体的に、
前記第１アップリンクサービスに対応する第１アップリンクスケジューリング要求ＳＲ及び／又は前記第１アップリンクサービスに対応する第１バッファ状態情報ＢＳＲを前記ネットワーク装置へ送信するよう構成され、
前記第１ＳＲの種類及び／又は前記第１ＢＳＲの種類は、前記第１ＵＬ＿ｇｒａｎｔタイミングを示すために使用される、又は、
前記第１ＳＲ及び／又は前記第１ＢＳＲを伝達する無線インタフェースリソース位置は、前記第１ＵＬ＿ｇｒａｎｔタイミングを示すために使用される、
請求項２８に記載の端末装置。
【請求項３０】
前記端末装置は、
前記ネットワーク装置により送信された第２指示情報を受信するよう構成される受信ユニットであって、前記第２指示情報は、複数の伝送タイミングの中で前記第１アップリンクサービスに対応する第１伝送タイミングを示すために使用される、受信ユニット、を更に含み、
前記送信ユニットは、前記第１伝送タイミングに基づき、前記第１アップリンクサービスを前記ネットワーク装置へ送信するよう更に構成される、請求項２８又は２９に記載の端末装置。
【請求項３１】
前記受信ユニットは、具体的に、
前記ネットワーク装置により送信された第１ダウンリンク制御情報ＤＣＩを受信するよう構成され、前記第１ＤＣＩは第１ＵＬ＿ｇｒａｎｔ情報を含み、
前記第１ＤＣＩのフォーマット情報は前記第１伝送タイミングを示すために使用される、又は、
前記第１ＤＣＩの中の特定情報ビットが、前記第１伝送タイミングを示すために使用される、又は、
前記第１ＤＣＩを伝達する無線インタフェースリソース位置が、前記第１伝送タイミングを示すために使用される、又は、
前記第１ＤＣＩをスクランブリングする第１無線ネットワーク一時識別子ＲＮＴＩが、前記第１伝送タイミングを示すために使用される、
請求項３０に記載の端末装置。
【請求項３２】
情報を伝送するネットワーク装置であって、前記ネットワーク装置は、
端末装置により送信された第１指示情報を受信するよう構成される受信ユニットであって、前記第１指示情報は、複数のアップリンク許可ＵＬ＿ｇｒａｎｔタイミングの中で、前記端末装置の第１アップリンクサービスに対応する第１ＵＬ＿ｇｒａｎｔタイミングを示すために使用される、受信ユニットと、
前記第１ＵＬ＿ｇｒａｎｔタイミングに基づき、前記第１アップリンクサービスに対応する第１ＵＬ＿ｇｒａｎｔ情報を送信するよう構成される送信ユニットと、
を含むネットワーク装置。
【請求項３３】
前記受信ユニットは、具体的に、
前記第１アップリンクサービスに対応する第１アップリンクスケジューリング要求ＳＲ及び／又は前記第１アップリンクサービスに対応する第１バッファ状態情報ＢＳＲを受信するよう構成され、前記第１ＳＲ及び前記第１ＢＳＲは前記端末装置により送信され、
前記第１ＳＲの種類及び前記第１ＢＳＲの種類は前記第１ＵＬ＿ｇｒａｎｔタイミングを示すために使用される、又は、
前記第１ＳＲ及び前記第１ＢＳＲを伝達する無線インタフェースリソース位置は、前記第１ＵＬ＿ｇｒａｎｔタイミングを示すために使用される、
請求項３２に記載のネットワーク装置。
【請求項３４】
前記ネットワーク装置は、
複数の伝送タイミングから前記第１アップリンクサービスに対応する第１伝送タイミングを決定するよう構成される決定ユニット、を更に含み、
前記送信ユニットは、第２指示情報を前記端末装置へ送信するよう更に構成され、前記第２指示情報は前記第１伝送タイミングを示すために使用される、請求項３２又は３３に記載のネットワーク装置。
【請求項３５】
前記送信ユニットは、具体的に、
前記端末装置へ第１ダウンリンク制御情報ＤＣＩを送信するよう構成され、前記第１ＤＣＩは第１ＵＬ＿ｇｒａｎｔ情報を含み、
前記第１ＤＣＩのフォーマット情報は前記第１伝送タイミングを示すために使用される、又は、
前記第１ＤＣＩの中の特定情報ビットが、前記第１伝送タイミングを示すために使用される、又は、
前記第１ＤＣＩを伝達する無線インタフェースリソース位置が、前記第１伝送タイミングを示すために使用される、又は、
前記第１ＤＣＩをスクランブリングする第１無線ネットワーク一時識別子ＲＮＴＩが、前記第１伝送タイミングを示すために使用される、
請求項３４に記載のネットワーク装置。
【請求項３６】
コンピュータに請求項１乃至１９のいずれかに記載の方法を実行させるプログラム。
【手続補正３】
【補正対象書類名】図面
【補正対象項目名】図１１
【補正方法】変更
【補正の内容】
【図１１】
2019536346.tif 000015
【国際調査報告】
2019536346.tif 000016
2019536346.tif 000017
2019536346.tif 000018
2019536346.tif 000019
2019536346.tif 000020
2019536346.tif 000021